(57)【要約】【課題】遊技者の動作を促進する演出のバリエーションを豊富化し、遊技の興趣を向上させることができる遊技機を提供することである。【解決手段】第１領域２０６Ｆ００１と、第２領域２０６Ｆ００２とを含む特定領域２０６Ｆ０００において、貯留表示されたボタン画像２０６Ｆ００３のような複数の動作促進示唆画像を事前に表示可能にする（（Ｂ））。【選択図】図８
2019084067.tif 000002
【特許請求の範囲】
【請求項１】
遊技を行う遊技機であって、
遊技者による動作を検出可能な動作検出手段と、
遊技者による動作を促進する動作促進画像を所定表示領域で表示可能な動作促進表示手段と、
前記動作検出手段の検出結果に基づいて、遊技者の動作に対応する動作対応演出を実行可能な動作対応演出手段と、
前記動作促進画像が表示されることを事前に示唆する動作促進示唆画像を表示する動作促進示唆手段と、
前記動作促進示唆画像を前記所定表示領域における前記動作促進画像に変更表示する示唆画像変更手段とを備え、
前記動作促進示唆手段は、特定表示領域において、複数の前記動作促進示唆画像を事前に表示可能であり、
前記特定表示領域は、第１表示領域と、第２表示領域とを含み、
前記動作促進示唆手段は、前記第１表示領域で表示されていた前記動作促進示唆画像が前記所定表示領域における前記動作促進画像に変更表示されたことに基づいて、前記第２表示領域で表示されていた前記動作促進示唆画像を前記第１表示領域に移動表示させる、遊技機。
【発明の詳細な説明】
【技術分野】
【０００１】
本発明は、パチンコ遊技機等の遊技機に関し、特に、遊技を行う遊技機に関する。
【背景技術】
【０００２】
このような遊技機としては、所定演出を実行する前の演出画面において、ボタン画像のような遊技者による動作を促進する動作促進画像を、遊技者の動作（操作）に必要な操作回数分だけ事前に動作促進示唆画像として貯留表示（ストック）していくものがあった（特許文献１）。
【先行技術文献】
【特許文献】
【０００３】
【特許文献１】特開２０１６−１６８２６１号公報（段落０３３４〜０３３６等）
【発明の概要】
【発明が解決しようとする課題】
【０００４】
しかし、前述した特許文献１の遊技機では、動作促進示唆画像の貯留表示数を示す表示態様が一様で、演出のバリエーションが乏しいという問題があった。
【０００５】
本発明は、かかる実情に鑑み考え出されたものであり、その目的は、遊技者の動作を促進する演出のバリエーションを豊富化し、遊技の興趣を向上させることができる遊技機を提供することである。
【課題を解決するための手段】
【０００６】
（１）  遊技を行う遊技機（パチンコ遊技機１等）であって、
遊技者による動作（操作動作等）を検出可能な動作検出手段（プッシュセンサ３５Ｂ等）と、
遊技者による動作を促進する動作促進画像（ボタン画像２０６Ｆ００３等）を所定表示領域（図８の特定表示領域２０６Ｆ０００以外の表示領域等）で表示可能な動作促進表示手段（演出制御用ＣＰＵ１２０、図７のＳ１７１，Ｓ１７２等）と、
前記動作検出手段の検出結果に基づいて、遊技者の動作に対応する動作対応演出（発展演出等）を実行可能な動作対応演出手段（演出制御用ＣＰＵ１２０、図７のＳ１７１，Ｓ１７２等）と、
前記動作促進画像が表示されることを事前に示唆する（図８（Ａ）のように、ボタン画像２０６Ｆ００３等を貯留表示することにより、ボタン画像２０６Ｆ００３が放出表示されることを示唆する）動作促進示唆画像（貯留表示されるボタン画像２０６Ｆ００３）を表示する動作促進示唆手段（演出制御用ＣＰＵ１２０、図７のＳ１７１，Ｓ１７２、図１２の２０６ＦＳ００４等）と、
前記動作促進示唆画像を前記所定表示領域における前記動作促進画像に変更表示する（図８（Ｂ）のように、貯留表示されたボタン画像２０６Ｆ００３を放出（移動）表示して操作促進演出用のボタン画像２０６Ｆ００３として表示する等）示唆画像変更手段（演出制御用ＣＰＵ１２０、図７のＳ１７１，Ｓ１７２等）とを備え、
前記動作促進示唆手段は、特定表示領域（特定表示領域２０６Ｆ０００等）において、複数の前記動作促進示唆画像を事前に表示可能であり（図８（Ａ），（Ｂ）等）、
前記特定表示領域は、第１表示領域（第１貯留領域２０６Ｆ００１）と、第２表示領域（第２貯留領域２０６Ｆ００２）とを含み、
前記動作促進示唆手段は、前記第１表示領域で表示されていた前記動作促進示唆画像が前記所定表示領域における前記動作促進画像に変更表示されたことに基づいて、前記第２表示領域で表示されていた前記動作促進示唆画像を前記第１表示領域に移動表示させる（図８（Ｂ）のように、第１領域２０６Ｆ００１で表示されていたボタン画像２０６Ｆ００３が放出表示されたことに基づいて、第２領域２０６Ｆ００２で表示されていたボタン画像２０６Ｆ００３を第１領域２０６Ｆ００１に移動表示させる。）。
【０００７】
このような構成によれば、遊技者の動作を促進する演出に間を持たせることが可能となるので、遊技者の動作を促進する演出のバリエーションを豊富化し、遊技の興趣を向上させることができる。
【０００８】
（２）  前記（１）の遊技機において、
前記第１表示領域は、所定数（４個等）の前記動作促進示唆画像が表示可能であり（図８（Ｂ）等）、
前記第２表示領域は、前記第１表示領域で表示された所定数を超えた数の前記動作促進示唆画像が表示可能である（図８（Ｂ）等）。
【０００９】
このような構成によれば、複数の表示領域で動作促進示唆画像が可能となるので、遊技者の動作を促進する演出のバリエーションをさらに豊富化し、より一層遊技の興趣を向上させることができる。
【００１０】
（３）  前記（１）または（２）の遊技機において、
前記動作促進示唆手段は、
前記第１表示領域で表示されていた前記動作促進示唆画像が前記所定表示領域における前記動作促進画像に変更表示されたことに基づいて、前記第２表示領域で表示されていた前記動作促進示唆画像を前記第１表示領域に移動表示させ（図８（Ｂ）のように、第１貯留領域２０６Ｆ００１で表示されていたボタン画像２０６Ｆ００３が放出されると、それに伴い第１貯留領域２０６Ｆ００１で空いた貯留部に第２貯留領域２０６Ｆ００２で表示されていたボタン画像２０６Ｆ００３が移動表示される等。）、
前記第１表示領域で表示されていた所定数以内の前記動作促進示唆画像が前記動作促進画像に変更表示されたときは、前記動作対応演出の実行後において、前記第２表示領域で表示されていた前記動作促進示唆画像を前記第１表示領域に移動表示させ（〔第２貯留領域から第１貯留領域への移動タイミングのその他の制御例〕：一契機の放出演出時において、第１貯留領域２０６Ｆ００１で表示されていたボタン画像２０６Ｆ００３が４個以内で放出されると、成功演出等の終了後に、第１貯留領域２０６Ｆ００１で空いた貯留部に第２貯留領域２０６Ｆ００２で表示されていたボタン画像２０６Ｆ００３が移動表示される等。）、
前記第１表示領域で表示されていた所定数を超える前記動作促進示唆画像が前記動作促進画像に変更表示されたときは、前記動作促進示唆画像から前記動作促進画像への変更表示中において、前記第２表示領域で表示されていた前記動作促進示唆画像を前記第１表示領域に移動表示させる（〔第２貯留領域から第１貯留領域への移動タイミングのその他の制御例〕：一契機の放出演出時において、第１貯留領域２０６Ｆ００１で表示されていたボタン画像２０６Ｆ００３が４個を超えて放出されると、成功演出等の終了後に、第１貯留領域２０６Ｆ００１で空いた部分に第２貯留領域２０６Ｆ００２で表示されていたボタン画像２０６Ｆ００３が移動表示される等。）。
【００１１】
このような構成によれば、第１表示領域で表示されていた所定数以内の動作促進示唆画像が動作促進画像に変更表示されたときと、第１表示領域で表示されていた所定数を超える動作促進示唆画像が動作促進画像に変更表示されたときとで、第２表示領域で表示されていた動作促進示唆画像を第１表示領域に移動表示させるタイミングが異なるので、遊技者の動作を促進する演出のバリエーションをさらに豊富化し、より一層遊技の興趣を向上させることができる。
【００１２】
（４）  前記（１）から（３）のいずれかの遊技機において、
前記動作促進示唆手段は、前記第１表示領域で表示されていた前記動作促進示唆画像が前記所定表示領域における前記動作促進画像に変更表示されるときに、前記第１表示領域が所定動作を実行する（図８（Ｂ）のように、第１貯留領域２０６Ｆ００１で表示されていたボタン画像２０６Ｆ００３が放出されると、それに伴い第１貯留領域２０６Ｆ００１で空いた部分に第２貯留領域２０６Ｆ００２で表示されていたボタン画像２０６Ｆ００３が移動表示される等。）
【００１３】
このような構成によれば、動作促進画像への変更表示に対応した第１表示領域の動作が可能となるので、遊技者の動作を促進する演出のバリエーションをさらに豊富化し、より一層遊技の興趣を向上させることができる。
【００１４】
（５）  前記（１）から（４）のいずれかの遊技機において、
前記動作対応演出手段は、一契機の前記動作対応演出（図９に示す１回実行される成功演出表示のような動作対応演出等）に対応して、複数の前記動作促進画像を表示可能である（図１０（Ｂ）〜（Ｄ）の貯留放出演出パターンのように、１回実行される動作対応演出に関して複数の画像２０６Ｆ００３を放出表示可能等）。
【００１５】
このような構成によれば、一契機の動作対応演出に対応して複数の動作促進画像を表示可能であることにより、遊技者の動作を促進する演出のバリエーションをさらに豊富化し、より一層遊技の興趣を向上させることができる。
【００１６】
（６）  前記（１）から（５）のいずれかの遊技機において、前記（１）または（２）の遊技機において、
前記示唆画像変更手段により前記動作促進示唆画像から前記動作促進画像に変更表示された画像数（放出表示して操作促進演出用のボタン画像２０６Ｆ００３として表示するボタン画像数等）に応じて、前記動作対応演出手段により遊技者にとって有利な状態となることを示唆する演出が実行される割合が異なる（図１０（Ａ）〜（Ｄ）のように、大当り時に放出（使用）するボタン画像数の選択割合と、はずれ時に放出（使用）するボタン画像数の選択割合とが異なる等）。
【００１７】
このような構成によれば、動作促進示唆画像から動作促進画像に変更表示された画像数に応じて遊技者にとって有利な状態となることを示唆する演出が実行される割合が異なることにより、遊技者の動作を促進する演出のバリエーションをさらに豊富化し、より一層遊技の興趣を向上させることができる。
【００１８】
（７）  前記（１）から（６）のいずれかの遊技機において、
前記動作促進表示手段は、一契機の前記動作対応演出（１回実行される動作対応演出等）に対応して前記示唆画像変更手段により前記動作促進示唆画像から前記動作促進画像に変更表示された画像数を特定可能な特別画像（図８（Ｂ）のボタン画像の放出演出における「放出×３」という特別画像等）を表示可能である。
【００１９】
このような構成によれば、一契機の動作対応演出に対応して動作促進示唆画像から動作促進画像に変更表示された画像数を特定可能な特別画像を表示可能であることにより、遊技者の動作を促進する演出のバリエーションをさらに豊富化し、より一層遊技の興趣を向上させることができる。
【００２０】
（８）  前記（１）から（７）のいずれかの遊技機において、
前記動作対応演出手段は、分割して変更表示された特定数の前記動作促進画像のうち、すべての前記動作促進画像に対応する回数の遊技者の動作が前記動作検出手段により検出される前に、前記動作対応演出として、遊技者にとって有利な状態となることを示唆する演出（図９（Ｂ）の３個検出時成功演出制御等）を実行可能である（図１２の２０６ＦＳ００５〜２０６ＦＳ００８等）。
【００２１】
このような構成によれば、分割して変更表示された特定数の動作促進画像のうち、すべての動作促進画像に対応する回数の遊技者の動作が検出される前に、動作対応演出として、遊技者にとって有利な状態となることを示唆する演出を実行可能であることにより、遊技者の動作を促進する演出のバリエーションをさらに豊富化し、より一層遊技の興趣を向上させることができる。
【００２２】
（９）  前記（８）の遊技機において、
前記動作対応演出手段により、すべての前記動作促進画像に対応する回数の遊技者の動作が前記動作検出手段により検出される前に、前記動作対応演出として、遊技者にとって有利な状態となることを示唆する演出が実行されたときに、残余の動作促進画像を前記動作促進示唆画像に変更表示する（図９（Ｂ）の３個検出時成功演出制御でのボタン画像７個戻し貯留表示等）残余動作促進画像変更手段を実行可能である（図１２の２０６ＦＳ００９，２０６ＦＳ０１０等）をさらに備えた。
【００２３】
このような構成によれば、すべての動作促進画像に対応する回数の遊技者の動作が検出される前に、動作対応演出として、遊技者にとって有利な状態となることを示唆する演出が実行されたときに、残余の動作促進画像を動作促進示唆画像に変更表示することにより、遊技者の動作を促進する演出のバリエーションをさらに豊富化し、より一層遊技の興趣を向上させることができる。
【００２４】
（１０）  前記（１）から（９）のいずれかの遊技機において、
前記動作促進示唆画像を事前に表示する個数を事前に示唆する個数示唆演出（図１１の第１〜第４貯留予告演出等）を実行可能な個数示唆演出手段（演出制御用ＣＰＵ１２０、図７のＳ１７１，Ｓ１７２、図１２の２０６ＦＳ０１２等）をさらに備え、
前記個数示唆演出は、複数種類の演出態様（図１１の第１〜第４貯留予告演出等）から選択された演出態様で実行される（図１２の２０６ＦＳ０１２等）。
【００２５】
このような構成によれば、複数種類の演出態様から選択された演出態様で個数示唆演出が実行されることにより、遊技者の動作を促進する演出のバリエーションをさらに豊富化し、より一層遊技の興趣を向上させることができる。
【００２６】
（１１）  前記（１）から（１０）のいずれかの遊技機において、
前記動作促進画像は、前記動作促進示唆画像から変更表示されたとき（図８（Ｂ）のボタン放出演出等）と、前記動作促進示唆画像から変更表示されずに表示されたとき（図８（Ｃ）の通常ボタン演出等）とで表示態様が異なる（図中太線矢印の画像の有無が異なる等）。
【００２７】
このような構成によれば、動作促進画像が動作促進示唆画像から変更表示されたときと、動作促進示唆画像から変更表示されずに表示されたときとで表示態様が異なることにより、遊技者が、動作促進画像について、動作促進示唆画像から変更表示されたときと、動作促進示唆画像から変更表示されずに表示されたときとの区別に関して、遊技者に誤認を与えにくくすることができる。
【００２８】
（１２）  前記（１）から（１１）のいずれかの遊技機において、
前記動作対応演出手段は、複数の前記動作促進示唆画像が前記動作促進画像に変更表示されたときにおいて、前記動作検出手段により遊技者の動作が検出されなかったときは、変更表示されたすべての前記動作促進画像を消化して前記動作対応演出を実行し、かつ、当該動作対応演出の実行に必要とされた個数以外の前記動作促進画像を前記動作促進示唆画像に戻す演出を実行する（〔遊技者動作非検出時の演出制御〕）。
【００２９】
このような構成によれば、複数の動作促進示唆画像が動作促進画像に変更表示されたときにおいて、遊技者の動作が検出されなかったときは、変更表示されたすべての動作促進画像を消化して動作対応演出を実行し、かつ、当該動作対応演出の実行に必要とされた個数以外の動作促進画像を動作促進示唆画像に戻す演出が実行されることにより、遊技者の動作を促進する演出のバリエーションをさらに豊富化し、より一層遊技の興趣を向上させることができる。
【００３０】
（１３）  前記（１）から（１２）のいずれかの遊技機において、
前記動作促進画像は、第１動作促進画像（非突出状態のプッシュボタンの画像等）と第２動作促進画像（突出状態のプッシュボタンの画像等）とのいずれかが表示され（演出表示装置５等）、
前記第１動作促進画像の表示中に前記動作検出手段により遊技者の動作が検出された場合には、当該検出時から第１期間が経過したことに基づいて前記第１動作促進画像の表示を終了し（図１４（Ａ）に示すように、操作促進画像として非突出状態のプッシュボタンの画像の表示中にプッシュボタンが操作された場合には、該操作から期間Ｌ２が経過したタイミングでプッシュボタンの画像を消去する部分等）、
前記第２動作促進画像の表示中に前記動作検出手段により遊技者の動作が検出された場合には、当該検出時から前記第１期間とは異なる第２期間が経過したことに基づいて前記第２動作促進画像の表示を終了する（図１４（Ａ）に示すように、操作促進画像として非突出状態のプッシュボタンの画像の表示中にプッシュボタンが操作された場合には、該操作から期間Ｌ２が経過したタイミングでプッシュボタン３１Ｂの画像を消去する部分等）。
【００３１】
このような構成によれば、表示される動作促進画像に応じて遊技者の動作が検出されてから動作促進画像の表示が終了されるまでの期間を異ならせることにより、遊技興趣を向上できる。
【００３２】
（１４）  前記（１３）の遊技機において、
遊技者による動作により操作可能な操作体（例えば、プッシュボタン３１Ｂ）をさらに備え、
前記操作体の態様は、第１態様（例えば、非突出状態）と、該第１態様とは異なる第２態様（例えば、突出状態）と、を含み、
前記第１動作促進画像は、前記第１態様に対応する動作促進画像（例えば、非突出状態のプッシュボタン３１Ｂの画像）であり、
前記第２動作促進画像は、前記第２態様に対応する動作促進画像（例えば、突出状態のプッシュボタン３１Ｂの画像）である。
このような構成によれば、操作体の態様に適した動作促進画像を表示できる。
【００３３】
（１５）  前記（１３）または（１４）の遊技機において、
前記第２期間は、前記第１期間よりも長い期間（例えば、Ｌ３＞Ｌ２）であり、
前記第２期間において特別演出（例えば、操作後演出）を実行する特別演出実行手段（例えば、演出制御用ＣＰＵ１２０が操作後演出実行処理を実行する部分）をさらに備える。
【００３４】
このような構成によれば、特別演出に遊技者を注目させることができるので、遊技興趣を向上できる。
【００３５】
（１６）  前記（１３）から（１５）のいずれかの遊技機において、
前記特別演出は、前記第２動作促進画像が前記第１動作促進画像に変化する演出である（例えば、図１７に示すように、突出状態のプッシュボタン３１Ｂの画像が非突出状態のプッシュボタン３１Ｂの画像に更新される部分）。
【００３６】
このような構成によれば、操作体の動作に対応して動作促進画像の表示態様が変化したことを遊技者が認識し易くなるので、遊技興趣を向上できる。
【００３７】
（１７）  前記（１３）から（１６）のいずれかの遊技機において、
特定演出（例えば、リーチ演出）を実行可能な特定演出実行手段（例えば、演出制御用ＣＰＵ１２０が図７に示す可変表示中演出処理を実行する部分）を備え、
前記第１動作促進画像と前記第２動作促進画像とは、前記特定演出の同一タイミングから表示を開始する画像である（例えば、図１４及び図１５に示すように、変動開始から期間Ｌ１が経過したタイミングから非突出状態のプッシュボタン３１Ｂの画像または突出状態のプッシュボタン３１Ｂの画像の表示を開始する部分）。
【００３８】
このような構成によれば、第１動作促進画像と第２動作促進画像との表示が開始されるタイミングを遊技者が認識し易くできるので、遊技興趣を向上できる。
【００３９】
（１８）  前記（１３）から（１７）のいずれかの遊技機において、
前記第２動作促進画像は、動作演出に対応して前記第１動作促進画像に変化可能である（例えば、図１７に示すように、可動体４００の退避位置から演出位置への移動（落下）に対応して突出状態のプッシュボタン３１Ｂの画像が非突出状態のプッシュボタン３１Ｂの画像に更新される部分）。
このような構成によれば、動作演出に対応して動作促進画像の表示態様が変化したことを遊技者が認識し易くなるので、遊技興趣を向上できる。
【００４０】
（１９）  前記（１８）の遊技機において、
前記表示手段は、前記動作演出に対応して前記動作促進画像の表示を終了する（例えば、図１４（Ｂ）に示すように、可動体４００の退避位置から演出位置への移動（落下）に対応してプッシュボタン３１Ｂの画像を演出表示装置５から消去する部分）。
【００４１】
（２０）  前記（１９）の遊技機において、
前記表示手段は、前記動作演出が開始されてから前記動作促進画像の表示を終了する（例えば、図１４（Ｂ）に示すように、可動体４００の退避位置から演出位置への移動（落下）開始後にプッシュボタン３１Ｂの画像を演出表示装置５から消去する部分）。
【００４２】
このような構成によれば、動作演出に対応して操作体対応画像の表示が終了したことを遊技者が認識し易くなるので、遊技興趣を向上できる。
【００４３】
（２１）  前記（１３）から（２０）のいずれかの遊技機において、
前記操作体対応画像は、第１動作促進画像（例えば、非突出状態のプッシュボタン３１Ｂの画像）と、該第１動作促進画像とは表示態様が異なる第２動作促進画像（例えば、突出状態のプッシュボタン３１Ｂの画像）と、を含み、
前記動作検出手段により遊技者の動作が検出されたことに基づいて前記動作演出が実行されないとき（例えば、図１５に示すように、変動表示結果がはずれである場合）には、前記動作検出手段により遊技者の動作が検出されてから第３期間が経過したことに基づいて前記第１動作促進画像の表示を終了し（例えば、図１５（Ａ）に示すように、プッシュボタン３１Ｂが操作されてから期間Ｌ２が経過したタイミングでプッシュボタン３１Ｂの画像を消去する部分）、前記動作検出手段により遊技者の動作が検出されてから前記第３期間が経過したことに基づいて前記第２動作促進画像の表示を終了する（例えば、図１４（Ｂ）に示すように、プッシュボタン３１Ｂが操作されてから期間Ｌ２が経過したタイミングでプッシュボタン３１Ｂの画像を消去する部分）。
【００４４】
このような構成によれば、動作演出が実行されないときの表示期間を共通とすることができるので、遊技興趣の低下を防ぐことができる。
【００４５】
（２２）  前記（１３）から（２１）のいずれかの遊技機において、
前記動作促進画像は、第１動作促進画像（例えば、非突出状態のプッシュボタン３１Ｂの画像）と、該第１動作促進画像とは表示態様が異なる第２動作促進画像（例えば、突出状態のプッシュボタン３１Ｂの画像）と、を含み、
前記動作検出手段により遊技者の動作が検出されたことに基づいて前記動作演出が実行される場合（例えば、変動表示結果が大当たりである場合）には、第１態様にて前記第２動作促進画像の表示を終了し（例えば、図１４（Ｂ）に示すように、プッシュボタン３１Ｂが操作されてから期間Ｌ３に亘って突出状態のプッシュボタン３１Ｂの画像を非突出状態のプッシュボタン３１Ｂの画像に更新し、該更新後の非突出状態のプッシュボタン３１Ｂの画像を演出表示装置５から消去する部分）、
前記動作検出手段により遊技者の動作が検出されたことに基づいて前記動作演出が実行されない場合（例えば、変動表示結果がはずれである場合）には、前記第１態様とは異なる第２態様にて前記第２動作促進画像の表示を終了する（例えば、図１５（Ｂ）に示すように、プッシュボタン３１Ｂが操作されてから期間Ｌ２が経過したタイミングで突出状態のプッシュボタン３１Ｂの画像を演出表示装置５から消去する部分）。
【００４６】
このような構成によれば、動作検出手段により遊技者の動作が検出されたことに基づいて動作演出が実行される場合と実行されない場合とで第２動作促進画像の表示を終了する態様が異なることによって、遊技興趣を向上できる。
【００４７】
（２３）  前記（１３）から（２２）のいずれかの遊技機において、
前記動作促進画像は、第１動作促進画像（例えば、変形例２における非突出状態のプッシュボタン３１Ｂの画像）と、該第１動作促進画像とは表示開始タイミングが異なる第２動作促進画像（例えば、変形例２における突出状態のプッシュボタン３１Ｂの画像）と、を含み、
前記第１動作促進画像が表示されている場合は、前記動作検出手段により遊技者の動作が検出されたことに基づいて前記第１動作促進画像の表示を第１態様にて終了し、
前記第２動作促進画像が表示されている場合は、前記動作検出手段により遊技者の動作が検出されたことに基づいて前記第２動作促進画像の表示を前記第１態様とは異なる第２態様にて終了する（例えば、変形例２に示すように、突出状態のプッシュボタン３１Ｂの画像が表示されているときにプッシュボタン３１Ｂが操作されたことに基づいて該突出状態のプッシュボタン３１Ｂの画像を消去する態様と、非突出状態のプッシュボタン３１Ｂの画像が表示されているときにプッシュボタン３１Ｂが操作されたことに基づいて該非突出状態のプッシュボタン３１Ｂの画像を消去する態様と、が異なる部分）。
【００４８】
このような構成によれば、動作促進画像の表示開始タイミングに応じて動作促進画像の表示の終了態様が異なることによって遊技興趣を向上できる。
【００４９】
（２４）  前記（１３）から（２３）のいずれかの遊技機において、
前記動作検出手段に対応した特定表示を行う特定表示実行手段（例えば、演出表示装置５）とを備え、
前記特定表示実行手段は、第１動作促進画像（例えば、非突出状態のプッシュボタン３１Ｂの画像）と、該第１動作促進画像とは表示態様が異なる動作促進画像であって、該第１操作体対応画像よりも遊技者にとって有利度が高い第２動作促進画像（例えば、非突出状態のプッシュボタン３１Ｂの画像）と、を含み、
前記第１動作促進画像を表示した後、該第１動作促進画像に作用する作用演出が実行されることにより前記第２動作促進画像を表示可能である（例えば、変形例１として図１８に示すように、作用演出に応じて非突出状態のプッシュボタン３１Ｂの画像を突出状態のプッシュボタン３１Ｂの画像に変化させる部分）。
【００５０】
このような構成によれば、作用演出が実行されることによって第１動作促進画像が第２動作促進画像に変化することが解り易くなるので、演出効果を向上できる。
【図面の簡単な説明】
【００５１】
【図１】この実施の形態におけるパチンコ遊技機の正面図である。
【図２】パチンコ遊技機に搭載された各種の制御基板などを示す構成図である。
【図３】遊技制御メイン処理の一例を示すフローチャートである。
【図４】遊技制御用タイマ割込み処理の一例を示すフローチャートである。
【図５】特別図柄プロセス処理の一例を示すフローチャートである。
【図６】演出制御メイン処理の一例を示すフローチャートである。
【図７】演出制御プロセス処理の一例を示すフローチャートである。
【図８】ボタン画像の貯留放出演出を示す表示画面図である。
【図９】貯留放出演出における成功演出の第１演出制御例および第２演出制御例を示すタイミングチャートである。
【図１０】貯留放出演出のために使用される各種データテーブルを示す図である。
【図１１】貯留予告演出の予告演出パターンを選択決定するための貯留予告演出選択テーブルである。
【図１２】特別操作演出設処理を示すフローチャートである。
【図１３】操作後演出実行処理を示すフローチャートである。
【図１４】（Ａ）は、プッシュボタンの突出無しで大当りとなる場合のリーチ演出におけるタイミングチャートであり、（Ｂ）は、プッシュボタンの突出有りで大当りとなる場合のリーチ演出におけるタイミングチャートである。
【図１５】（Ａ）は、プッシュボタンの突出無しではずれとなる場合のリーチ演出におけるタイミングチャートであり、（Ｂ）は、プッシュボタンの突出有りではずれとなる場合のリーチ演出におけるタイミングチャートである。
【図１６】リーチ演出での演出表示装置の表示態様及び可動役物の動作態様を示す図である。
【図１７】リーチ演出での演出表示装置の表示態様及び可動役物の動作態様を示す図である。
【図１８】変形例１におけるリーチ演出での演出表示装置の表示態様及び可動役物の動作態様を示す図である。
【発明を実施するための形態】
【００５２】
（基本説明）
まず、パチンコ遊技機１の基本的な構成及び制御（一般的なパチンコ遊技機の構成及び制御でもある。）について説明する。
【００５３】
（パチンコ遊技機１の構成等）
図１は、パチンコ遊技機１の正面図であり、主要部材の配置レイアウトを示す。パチンコ遊技機（遊技機）１は、大別して、遊技盤面を構成する遊技盤（ゲージ盤）２と、遊技盤２を支持固定する遊技機用枠（台枠）３とから構成されている。遊技盤２には、遊技領域が形成され、この遊技領域には、遊技媒体としての遊技球が、所定の打球発射装置から発射されて打ち込まれる。
【００５４】
遊技盤２の所定位置（図１に示す例では、遊技領域の右側方）には、複数種類の特別識別情報としての特別図柄（特図ともいう）の可変表示（特図ゲームともいう）を行う第１特別図柄表示装置４Ａ及び第２特別図柄表示装置４Ｂが設けられている。これらは、それぞれ、７セグメントのＬＥＤなどからなる。特別図柄は、「０」〜「９」を示す数字や「−」などの点灯パターンなどにより表される。特別図柄には、ＬＥＤを全て消灯したパターンが含まれてもよい。
【００５５】
なお、特別図柄の「可変表示」とは、例えば、複数種類の特別図柄を変動可能に表示することである（後述の他の図柄についても同じ）。変動としては、複数の図柄の更新表示、複数の図柄のスクロール表示、１以上の図柄の変形、１以上の図柄の拡大／縮小などがある。特別図柄や後述の普通図柄の変動では、複数種類の特別図柄又は普通図柄が更新表示される。後述の飾り図柄の変動では、複数種類の飾り図柄がスクロール表示又は更新表示されたり、１以上の飾り図柄が変形や拡大／縮小されたりする。なお、変動には、ある図柄を点滅表示する態様も含まれる。可変表示の最後には、表示結果として所定の特別図柄が停止表示（導出又は導出表示などともいう）される（後述の他の図柄の可変表示についても同じ）。なお、可変表示を変動表示、変動と表現する場合がある。
【００５６】
なお、第１特別図柄表示装置４Ａにおいて可変表示される特別図柄を「第１特図」ともいい、第２特別図柄表示装置４Ｂにおいて可変表示される特別図柄を「第２特図」ともいう。また、第１特図を用いた特図ゲームを「第１特図ゲーム」といい、第２特図を用いた特図ゲームを「第２特図ゲーム」ともいう。なお、特別図柄の可変表示を行う特別図柄表示装置は１種類であってもよい。
【００５７】
遊技盤２における遊技領域の中央付近には画像表示装置５が設けられている。画像表示装置５は、例えばＬＣＤ（液晶表示装置）や有機ＥＬ（Electro Luminescence）等から構成され、各種の演出画像を表示する。画像表示装置５は、プロジェクタ及びスクリーンから構成されていてもよい。画像表示装置５には、各種の演出画像が表示される。
【００５８】
例えば、画像表示装置５の画面上では、第１特図ゲームや第２特図ゲームと同期して、特別図柄とは異なる複数種類の装飾識別情報としての飾り図柄（数字などを示す図柄など）の可変表示が行われる。ここでは、第１特図ゲーム又は第２特図ゲームに同期して、「左」、「中」、「右」の各飾り図柄表示エリア５Ｌ、５Ｃ、５Ｒにおいて飾り図柄が可変表示（例えば上下方向のスクロール表示や更新表示）される。なお、同期して実行される特図ゲーム及び飾り図柄の可変表示を総称して単に可変表示ともいう。
【００５９】
画像表示装置５の画面上には、実行が保留されている可変表示に対応する保留表示や、実行中の可変表示に対応するアクティブ表示を表示するための表示エリアが設けられていてもよい。保留表示及びアクティブ表示を総称して可変表示に対応する可変表示対応表示ともいう。
【００６０】
保留されている可変表示の数は保留記憶数ともいう。第１特図ゲームに対応する保留記憶数を第１保留記憶数、第２特図ゲームに対応する保留記憶数を第２保留記憶数ともいう。また、第１保留記憶数と第２保留記憶数との合計を合計保留記憶数ともいう。
【００６１】
また、遊技盤２の所定位置には、複数のＬＥＤを含んで構成された第１保留表示器２５Ａと第２保留表示器２５Ｂとが設けられ、第１保留表示器２５Ａは、ＬＥＤの点灯個数によって、第１保留記憶数を表示し、第２保留表示器２５Ｂは、ＬＥＤの点灯個数によって、第２保留記憶数を表示する。
【００６２】
画像表示装置５の下方には、入賞球装置６Ａと、可変入賞球装置６Ｂとが設けられている。
【００６３】
入賞球装置６Ａは、例えば所定の玉受部材によって常に遊技球が進入可能な一定の開放状態に保たれる第１始動入賞口を形成する。第１始動入賞口に遊技球が進入したときには、所定個（例えば３個）の賞球が払い出されるとともに、第１特図ゲームが開始され得る。
【００６４】
可変入賞球装置６Ｂ（普通電動役物）は、ソレノイド８１（図２参照）によって閉鎖状態と開放状態とに変化する第２始動入賞口を形成する。可変入賞球装置６Ｂは、例えば、一対の可動翼片を有する電動チューリップ型役物を備え、ソレノイド８１がオフ状態であるときに可動翼片が垂直位置となることにより、当該可動翼片の先端が入賞球装置６Ａに近接し、第２始動入賞口に遊技球が進入しない閉鎖状態になる（第２始動入賞口が閉鎖状態になるともいう。）。その一方で、可変入賞球装置６Ｂは、ソレノイド８１がオン状態であるときに可動翼片が傾動位置となることにより、第２始動入賞口に遊技球が進入できる開放状態になる（第２始動入賞口が開放状態になるともいう。）。第２始動入賞口に遊技球が進入したときには、所定個（例えば３個）の賞球が払い出されるとともに、第２特図ゲームが開始され得る。なお、可変入賞球装置６Ｂは、閉鎖状態と開放状態とに変化するものであればよく、電動チューリップ型役物を備えるものに限定されない。
【００６５】
遊技盤２の所定位置（図１に示す例では、遊技領域の左右下方４箇所）には、所定の玉受部材によって常に一定の開放状態に保たれる一般入賞口１０が設けられる。この場合には、一般入賞口１０のいずれかに進入したときには、所定個数（例えば１０個）の遊技球が賞球として払い出される。
【００６６】
入賞球装置６Ａと可変入賞球装置６Ｂの下方には、大入賞口を有する特別可変入賞球装置７が設けられている。特別可変入賞球装置７は、ソレノイド８２（図２参照）によって開閉駆動される大入賞口扉を備え、その大入賞口扉によって開放状態と閉鎖状態とに変化する特定領域としての大入賞口を形成する。
【００６７】
一例として、特別可変入賞球装置７では、大入賞口扉用（特別電動役物用）のソレノイド８２がオフ状態であるときに大入賞口扉が大入賞口を閉鎖状態として、遊技球が大入賞口に進入（通過）できなくなる。その一方で、特別可変入賞球装置７では、大入賞口扉用のソレノイド８２がオン状態であるときに大入賞口扉が大入賞口を開放状態として、遊技球が大入賞口に進入しやすくなる。
【００６８】
大入賞口に遊技球が進入したときには、所定個数（例えば１４個）の遊技球が賞球として払い出される。大入賞口に遊技球が進入したときには、例えば第１始動入賞口や第２始動入賞口及び一般入賞口１０に遊技球が進入したときよりも多くの賞球が払い出される。
【００６９】
一般入賞口１０を含む各入賞口に遊技球が進入することを「入賞」ともいう。特に、始動口（第１始動入賞口、第２始動入賞口始動口）への入賞を始動入賞ともいう。
【００７０】
遊技盤２の所定位置（図１に示す例では、遊技領域の左側方）には、普通図柄表示器２０が設けられている。一例として、普通図柄表示器２０は、７セグメントのＬＥＤなどからなり、特別図柄とは異なる複数種類の普通識別情報としての普通図柄の可変表示を行う。普通図柄は、「０」〜「９」を示す数字や「−」などの点灯パターンなどにより表される。普通図柄には、ＬＥＤを全て消灯したパターンが含まれてもよい。このような普通図柄の可変表示は、普図ゲームともいう。
【００７１】
画像表示装置５の左方には、遊技球が通過可能な通過ゲート４１が設けられている。遊技球が通過ゲート４１を通過したことに基づき、普図ゲームが実行される。
【００７２】
普通図柄表示器２０の上方には、普図保留表示器２５Ｃが設けられている。普図保留表示器２５Ｃは、例えば４個のＬＥＤを含んで構成され、実行が保留されている普図ゲームの数である普図保留記憶数をＬＥＤの点灯個数により表示する。
【００７３】
遊技盤２の表面には、上記の構成以外にも、遊技球の流下方向や速度を変化させる風車及び多数の障害釘が設けられている。遊技領域の最下方には、いずれの入賞口にも進入しなかった遊技球が取り込まれるアウト口が設けられている。
【００７４】
遊技機用枠３の左右上部位置には、効果音等を再生出力するためのスピーカ８Ｌ、８Ｒが設けられており、さらに遊技領域周辺部には、遊技効果用の遊技効果ランプ９が設けられている。遊技効果ランプ９は、ＬＥＤを含んで構成されている。
【００７５】
遊技盤２の所定位置（図１では図示略）には、演出に応じて動作する可動体３２が設けられている。
【００７６】
遊技機用枠３の右下部位置には、遊技球を打球発射装置により遊技領域に向けて発射するために遊技者等によって操作される打球操作ハンドル（操作ノブ）３０が設けられている。
【００７７】
遊技領域の下方における遊技機用枠３の所定位置には、賞球として払い出された遊技球や所定の球貸機により貸し出された遊技球を、打球発射装置へと供給可能に保持（貯留）する打球供給皿（上皿）が設けられている。上皿の下方には、上皿満タン時に賞球が払い出される打球供給皿（下皿）が設けられている。
【００７８】
遊技領域の下方における遊技機用枠３の所定位置には、遊技者が把持して傾倒操作が可能なスティックコントローラ３１Ａが取り付けられている。スティックコントローラ３１Ａには、遊技者が押下操作可能なトリガボタンが設けられている。スティックコントローラ３１Ａに対する操作は、コントローラセンサユニット３５Ａ（図２参照）により検出される。
【００７９】
遊技領域の下方における遊技機用枠３の所定位置には、遊技者が押下操作などにより所定の指示操作を可能なプッシュボタン３１Ｂが設けられている。プッシュボタン３１Ｂに対する操作は、プッシュセンサ３５Ｂ（図２参照）により検出される。
【００８０】
パチンコ遊技機１では、遊技者の動作（操作等）を検出する検出手段として、スティックコントローラ３１Ａやプッシュボタン３１Ｂが設けられるが、これら以外の検出手段が設けられていてもよい。
【００８１】
（遊技の進行の概略）
パチンコ遊技機１が備える打球操作ハンドル３０への遊技者による回転操作により、遊技球が遊技領域に向けて発射される。遊技球が通過ゲート４１を通過すると、普通図柄表示器２０による普図ゲームが開始される。なお、前回の普図ゲームの実行中の期間等に遊技球が通過ゲート４１を通過した場合（遊技球が通過ゲート４１を通過したが当該通過に基づく普図ゲームを直ちに実行できない場合）には、当該通過に基づく普図ゲームは所定の上限数（例えば４）まで保留される。
【００８２】
この普図ゲームでは、特定の普通図柄（普図当り図柄）が停止表示されれば、普通図柄の表示結果が「普図当り」となる。その一方、確定普通図柄として、普図当り図柄以外の普通図柄（普図ハズレ図柄）が停止表示されれば、普通図柄の表示結果が「普図ハズレ」となる。「普図当り」となると、可変入賞球装置６Ｂを所定期間開放状態とする開放制御が行われる（第２始動入賞口が開放状態になる）。
【００８３】
入賞球装置６Ａに形成された第１始動入賞口に遊技球が進入すると、第１特別図柄表示装置４Ａによる第１特図ゲームが開始される。
【００８４】
可変入賞球装置６Ｂに形成された第２始動入賞口に遊技球が進入すると、第２特別図柄表示装置４Ｂによる第２特図ゲームが開始される。
【００８５】
なお、特図ゲームの実行中の期間や、後述する大当り遊技状態や小当り遊技状態に制御されている期間に、遊技球が始動入賞口へ進入（入賞）した場合（始動入賞が発生したが当該始動入賞に基づく特図ゲームを直ちに実行できない場合）には、当該進入に基づく特図ゲームは所定の上限数（例えば４）までその実行が保留される。
【００８６】
特図ゲームにおいて、確定特別図柄として特定の特別図柄（大当り図柄、例えば「７」、後述の大当り種別に応じて実際の図柄は異なる。）が停止表示されれば、「大当り」となり、大当り図柄とは異なる所定の特別図柄（小当り図柄、例えば「２」）が停止表示されれば、「小当り」となる。また、大当り図柄や小当り図柄とは異なる特別図柄（ハズレ図柄、例えば「−」）が停止表示されれば「ハズレ」となる。
【００８７】
特図ゲームでの表示結果が「大当り」になった後には、遊技者にとって有利な有利状態として大当り遊技状態に制御される。特図ゲームでの表示結果が「小当り」になった後には、小当り遊技状態に制御される。
【００８８】
大当り遊技状態では、特別可変入賞球装置７により形成される大入賞口が所定の態様で開放状態となる。当該開放状態は、所定期間（例えば２９秒間や１．８秒間）の経過タイミングと、大入賞口に進入した遊技球の数が所定個数（例えば９個）に達するまでのタイミングと、のうちのいずれか早いタイミングまで継続される。前記所定期間は、１ラウンドにおいて大入賞口を開放することができる上限期間であり、以下、開放上限期間ともいう。このように大入賞口が開放状態となる１のサイクルをラウンド（ラウンド遊技）という。大当り遊技状態では、当該ラウンドが所定の上限回数（１５回や２回）に達するまで繰り返し実行可能となっている。
【００８９】
大当り遊技状態においては、遊技者は、遊技球を大入賞口に進入させることで、賞球を得ることができる。従って、大当り遊技状態は、遊技者にとって有利な状態である。大当り遊技状態におけるラウンド数が多い程、また、開放上限期間が長い程遊技者にとって有利となる。
【００９０】
なお、「大当り」には、大当り種別が設定されている。例えば、大入賞口の開放態様（ラウンド数や開放上限期間）や、大当り遊技状態後の遊技状態（後述の、通常状態、時短状態、確変状態など）を複数種類用意し、これらに応じて大当り種別が設定されている。大当り種別として、多くの賞球を得ることができる大当り種別や、賞球の少ない又はほとんど賞球を得ることができない大当り種別が設けられていてもよい。
【００９１】
小当り遊技状態では、特別可変入賞球装置７により形成される大入賞口が所定の開放態様で開放状態となる。例えば、小当り遊技状態では、一部の大当り種別のときの大当り遊技状態と同様の開放態様（大入賞口の開放回数が上記ラウンド数と同じであり、かつ、大入賞口の閉鎖タイミングも同じ等）で大入賞口が開放状態となる。なお、大当り種別と同様に、「小当り」にも小当り種別を設けてもよい。
【００９２】
大当り遊技状態が終了した後は、上記大当り種別に応じて、時短状態や確変状態に制御されることがある。
【００９３】
時短状態では、平均的な特図変動時間（特図を変動させる期間）を通常状態よりも短縮させる制御（時短制御）が実行される。時短状態では、平均的な普図変動時間（普図を変動させる期間）を通常状態よりも短縮させたり、普図ゲームで「普図当り」となる確率を通常状態よりも向上させる等により、第２始動入賞口に遊技球が進入しやすくなる制御（高開放制御、高ベース制御）も実行される。時短状態は、特別図柄（特に第２特別図柄）の変動効率が向上する状態であるので、遊技者にとって有利な状態である。
【００９４】
確変状態（確率変動状態）では、時短制御に加えて、表示結果が「大当り」となる確率が通常状態よりも高くなる確変制御が実行される。確変状態は、特別図柄の変動効率が向上することに加えて「大当り」となりやすい状態であるので、遊技者にとってさらに有利な状態である。
【００９５】
時短状態や確変状態は、所定回数の特図ゲームが実行されたことと、次回の大当り遊技状態が開始されたこと等といった、いずれか１つの終了条件が先に成立するまで継続する。所定回数の特図ゲームが実行されたことが終了条件となるものを、回数切り（回数切り時短、回数切り確変等）ともいう。
【００９６】
通常状態とは、遊技者にとって有利な大当り遊技状態等の有利状態、時短状態、確変状態等の特別状態以外の遊技状態のことであり、普図ゲームにおける表示結果が「普図当り」となる確率及び特図ゲームにおける表示結果が「大当り」となる確率などのパチンコ遊技機１が、パチンコ遊技機１の初期設定状態（例えばシステムリセットが行われた場合のように、電源投入後に所定の復帰処理を実行しなかったとき）と同一に制御される状態である。
【００９７】
確変制御が実行されている状態を高確状態、確変制御が実行されていない状態を低確状態ともいう。時短制御が実行されている状態を高ベース状態、時短制御が実行されていない状態を低ベース状態ともいう。これらを組み合わせて、時短状態は低確高ベース状態、確変状態は高確高ベース状態、通常状態は低確低ベース状態などともいわれる。高確状態かつ低ベース状態は高確低ベース状態ともいう。
【００９８】
小当り遊技状態が終了した後は、遊技状態の変更が行われず、特図ゲームの表示結果が「小当り」となる以前の遊技状態に継続して制御される（但し、「小当り」発生時の特図ゲームが、上記回数切りにおける上記所定回数目の特図ゲームである場合には、当然遊技状態が変更される）。なお、特図ゲームの表示結果として「小当り」がなくてもよい。
【００９９】
なお、遊技状態は、大当り遊技状態中に遊技球が特定領域（例えば、大入賞口内の特定領域）を通過したことに基づいて、変化してもよい。例えば、遊技球が特定領域を通過したとき、その大当り遊技状態後に確変状態に制御してもよい。
【０１００】
（演出の進行など）
パチンコ遊技機１では、遊技の進行に応じて種々の演出（遊技の進行状況を報知したり、遊技を盛り上げたりする演出）が実行される。当該演出について以下説明する。なお、当該演出は、画像表示装置５に各種の演出画像を表示することによって行われるが、当該表示に加えて又は代えて、スピーカ８Ｌ、８Ｒからの音声出力、及び／又は、遊技効果ランプ９の点等／消灯、可動体３２の動作等により行われてもよい。
【０１０１】
遊技の進行に応じて実行される演出として、画像表示装置５に設けられた「左」、「中」、「右」の飾り図柄表示エリア５Ｌ、５Ｃ、５Ｒでは、第１特図ゲーム又は第２特図ゲームが開始されることに対応して、飾り図柄の可変表示が開始される。第１特図ゲームや第２特図ゲームにおいて表示結果（確定特別図柄ともいう。）が停止表示されるタイミングでは、飾り図柄の可変表示の表示結果となる確定飾り図柄（３つの飾り図柄の組合せ）も停止表示（導出）される。
【０１０２】
飾り図柄の可変表示が開始されてから終了するまでの期間では、飾り図柄の可変表示の態様が所定のリーチ態様となる（リーチが成立する）ことがある。ここで、リーチ態様とは、画像表示装置５の画面上にて停止表示された飾り図柄が後述の大当り組合せの一部を構成しているときに未だ停止表示されていない飾り図柄については可変表示が継続している態様などのことである。
【０１０３】
また、飾り図柄の可変表示中に上記リーチ態様となったことに対応してリーチ演出が実行される。パチンコ遊技機１では、演出態様に応じて表示結果（特図ゲームの表示結果や飾り図柄の可変表示の表示結果）が「大当り」となる割合（大当り信頼度、大当り期待度とも呼ばれる。）が異なる複数種類のリーチ演出が実行される。リーチ演出には、例えば、ノーマルリーチと、ノーマルリーチよりも大当り信頼度の高いスーパーリーチと、がある。
【０１０４】
特図ゲームの表示結果が「大当り」となるときには、画像表示装置５の画面上において、飾り図柄の可変表示の表示結果として、予め定められた大当り組合せとなる確定飾り図柄が導出される（飾り図柄の可変表示の表示結果が「大当り」となる）。一例として、「左」、「中」、「右」の飾り図柄表示エリア５Ｌ、５Ｃ、５Ｒにおける所定の有効ライン上に同一の飾り図柄（例えば、「７」等）が揃って停止表示される。
【０１０５】
大当り遊技状態の終了後に確変状態に制御される「確変大当り」である場合には、奇数の飾り図柄（例えば、「７」等）が揃って停止表示され、大当り遊技状態の終了後に確変状態に制御されない「非確変大当り（通常大当り）」である場合には、偶数の飾り図柄（例えば、「６」等）が揃って停止表示されるようにしてもよい。この場合、奇数の飾り図柄を確変図柄、偶数の飾り図柄を非確変図柄（通常図柄）ともいう。非確変図柄でリーチ態様となった後に、最終的に「確変大当り」となる昇格演出を実行するようにしてもよい。
【０１０６】
特図ゲームの表示結果が「小当り」となるときには、画像表示装置５の画面上において、飾り図柄の可変表示の表示結果として、予め定められた小当り組合せとなる確定飾り図柄（例えば、「１  ３  ５」等）が導出される（飾り図柄の可変表示の表示結果が「小当り」となる）。一例として、「左」、「中」、「右」の飾り図柄表示エリア５Ｌ、５Ｃ、５Ｒにおける所定の有効ライン上にチャンス目を構成する飾り図柄が停止表示される。なお、特図ゲームの表示結果が、一部の大当り種別（小当り遊技状態と同様の態様の大当り遊技状態の大当り種別）の「大当り」となるときと、「小当り」となるときとで、共通の確定飾り図柄が導出表示されてもよい。
【０１０７】
特図ゲームの表示結果が「ハズレ」となる場合には、飾り図柄の可変表示の態様がリーチ態様とならずに、飾り図柄の可変表示の表示結果として、非リーチ組合せの確定飾り図柄（「非リーチハズレ」ともいう。）が停止表示される（飾り図柄の可変表示の表示結果が「非リーチハズレ」となる）ことがある。また、表示結果が「ハズレ」となる場合には、飾り図柄の可変表示の態様がリーチ態様となった後に、飾り図柄の可変表示の表示結果として、大当り組合せでない所定のリーチ組合せ（「リーチハズレ」ともいう）の確定飾り図柄が停止表示される（飾り図柄の可変表示の表示結果が「リーチハズレ」となる）こともある。
【０１０８】
パチンコ遊技機１が実行可能な演出には、上記の可変表示対応表示（保留表示やアクティブ表示）を表示することも含まれる。また、他の演出として、例えば、大当り信頼度を予告する予告演出等が飾り図柄の可変表示中に実行される。予告演出には、実行中の可変表示における大当り信頼度を予告する予告演出や、実行前の可変表示（実行が保留されている可変表示）における大当り信頼度を予告する先読み予告演出がある。先読み予告演出として、可変表示対応表示（保留表示やアクティブ表示）の表示態様を通常とは異なる態様に変化させる演出が実行されるようにしてもよい。
【０１０９】
また、画像表示装置５において、飾り図柄の可変表示中に飾り図柄を一旦仮停止させた後に可変表示を再開させることで、１回の可変表示を擬似的に複数回の可変表示のように見せる擬似連演出を実行するようにしてもよい。
【０１１０】
大当り遊技状態中にも、大当り遊技状態を報知する大当り中演出が実行される。大当り中演出としては、ラウンド数を報知する演出や、大当り遊技状態の価値が向上することを示す昇格演出が実行されてもよい。また、小当り遊技状態中にも、小当り遊技状態を報知する小当り中演出が実行される。なお、小当り遊技状態中と、一部の大当り種別（小当り遊技状態と同様の態様の大当り遊技状態の大当り種別で、例えばその後の遊技状態を高確状態とする大当り種別）での大当り遊技状態とで、共通の演出を実行することで、現在が小当り遊技状態中であるか、大当り遊技状態中であるかを遊技者に分からないようにしてもよい。そのような場合であれば、小当り遊技状態の終了後と大当り遊技状態の終了後とで共通の演出を実行することで、高確状態であるか低確状態であるかを識別できないようにしてもよい。
【０１１１】
また、例えば特図ゲーム等が実行されていないときには、画像表示装置５にデモ（デモンストレーション）画像が表示される（客待ちデモ演出が実行される）。
【０１１２】
（基板構成）
パチンコ遊技機１には、例えば図２に示すような主基板１１、演出制御基板１２、音声制御基板１３、ランプ制御基板１４、中継基板１５などが搭載されている。その他にも、パチンコ遊技機１の背面には、例えば払出制御基板、情報端子基板、発射制御基板、電源基板などといった、各種の基板が配置されている。
【０１１３】
主基板１１は、メイン側の制御基板であり、パチンコ遊技機１における上記遊技の進行（特図ゲームの実行（保留の管理を含む）、普図ゲームの実行（保留の管理を含む）、大当り遊技状態、小当り遊技状態、遊技状態など）を制御する機能を有する。主基板１１は、遊技制御用マイクロコンピュータ１００、スイッチ回路１１０、ソレノイド回路１１１などを有する。
【０１１４】
主基板１１に搭載された遊技制御用マイクロコンピュータ１００は、例えば１チップのマイクロコンピュータであり、ＲＯＭ（Read Only Memory）１０１と、ＲＡＭ（Random Access Memory）１０２と、ＣＰＵ（Central Processing Unit）１０３と、乱数回路１０４と、Ｉ／Ｏ（Input/Output port）１０５とを備える。
【０１１５】
ＣＰＵ１０３は、ＲＯＭ１０１に記憶されたプログラムを実行することにより、遊技の進行を制御する処理（主基板１１の機能を実現する処理）を行う。このとき、ＲＯＭ１０１が記憶する各種データ（後述の変動パターン、後述の演出制御コマンド、後述の各種決定を行う際に参照される各種テーブルなどのデータ）が用いられ、ＲＡＭ１０２がメインメモリとして使用される。ＲＡＭ１０２は、その一部または全部がパチンコ遊技機１に対する電力供給が停止しても、所定期間記憶内容が保存されるバックアップＲＡＭとなっている。なお、ＲＯＭ１０１に記憶されたプログラムの全部又は一部をＲＡＭ１０２に展開して、ＲＡＭ１０２上で実行するようにしてもよい。
【０１１６】
乱数回路１０４は、遊技の進行を制御するときに使用される各種の乱数値（遊技用乱数）を示す数値データを更新可能にカウントする。遊技用乱数は、ＣＰＵ１０３が所定のコンピュータプログラムを実行することで更新されるもの（ソフトウェアで更新されるもの）であってもよい。
【０１１７】
Ｉ／Ｏ１０５は、例えば各種信号（後述の検出信号）が入力される入力ポートと、各種信号（第１特別図柄表示装置４Ａ、第２特別図柄表示装置４Ｂ、普通図柄表示器２０、第１保留表示器２５Ａ、第２保留表示器２５Ｂ、普図保留表示器２５Ｃなどを制御（駆動）する信号、ソレノイド駆動信号）を伝送するための出力ポートとを含んで構成される。
【０１１８】
スイッチ回路１１０は、遊技球検出用の各種スイッチ（ゲートスイッチ２１、始動口スイッチ（第１始動口スイッチ２２Ａおよび第２始動口スイッチ２２Ｂ）、カウントスイッチ２３）からの検出信号（遊技球が通過又は進入してスイッチがオンになったことを示す検出信号など）を取り込んで遊技制御用マイクロコンピュータ１００に伝送する。検出信号の伝送により、遊技球の通過又は進入が検出されたことになる。
【０１１９】
ソレノイド回路１１１は、遊技制御用マイクロコンピュータ１００からのソレノイド駆動信号（例えば、ソレノイド８１やソレノイド８２をオンする信号など）を、普通電動役物用のソレノイド８１や大入賞口扉用のソレノイド８２に伝送する。
【０１２０】
主基板１１（遊技制御用マイクロコンピュータ１００）は、遊技の進行の制御の一部として、遊技の進行に応じて演出制御コマンド（遊技の進行状況等を指定（通知）するコマンド）を演出制御基板１２に供給する。主基板１１から出力された演出制御コマンドは、中継基板１５により中継され、演出制御基板１２に供給される。当該演出制御コマンドには、例えば主基板１１における各種の決定結果（例えば、特図ゲームの表示結果（大当り種別を含む。）、特図ゲームを実行する際に使用される変動パターン（詳しくは後述））、遊技の状況（例えば、可変表示の開始や終了、大入賞口の開放状況、入賞の発生、保留記憶数、遊技状態）、エラーの発生等を指定するコマンド等が含まれる。
【０１２１】
演出制御基板１２は、主基板１１とは独立したサブ側の制御基板であり、演出制御コマンドを受信し、受信した演出制御コマンドに基づいて演出（遊技の進行に応じた種々の演出であり、可動体３２の駆動、エラー報知、電断復旧の報知等の各種報知を含む）を実行する機能を有する。
【０１２２】
演出制御基板１２には、演出制御用ＣＰＵ１２０と、ＲＯＭ１２１と、ＲＡＭ１２２と、表示制御部１２３と、乱数回路１２４と、Ｉ／Ｏ１２５とが搭載されている。
【０１２３】
演出制御用ＣＰＵ１２０は、ＲＯＭ１２１に記憶されたプログラムを実行することにより、表示制御部１２３とともに演出を実行するための処理（演出制御基板１２の上記機能を実現するための処理であり、実行する演出の決定等を含む）を行う。このとき、ＲＯＭ１２１が記憶する各種データ（各種テーブルなどのデータ）が用いられ、ＲＡＭ１２２がメインメモリとして使用される。
【０１２４】
演出制御用ＣＰＵ１２０は、コントローラセンサユニット３５Ａやプッシュセンサ３５Ｂからの検出信号（遊技者による操作を検出したときに出力される信号であり、操作内容を適宜示す信号）に基づいて演出の実行を表示制御部１２３に指示することもある。
【０１２５】
表示制御部１２３は、ＶＤＰ（Video Display Processor）、ＣＧＲＯＭ（Character Generator ROM）、ＶＲＡＭ（Video RAM）などを備え、演出制御用ＣＰＵ１２０からの演出の実行指示に基づき、演出を実行する。
【０１２６】
表示制御部１２３は、演出制御用ＣＰＵ１２０からの演出の実行指示に基づき、実行する演出に応じた映像信号を画像表示装置５に供給することで、演出画像を画像表示装置５に表示させる。表示制御部１２３は、さらに、演出画像の表示に同期した音声出力や、遊技効果ランプ９の点灯／消灯を行うため、音指定信号（出力する音声を指定する信号）を音声制御基板１３に供給したり、ランプ信号（ランプの点灯／消灯態様を指定する信号）をランプ制御基板１４に供給したりする。また、表示制御部１２３は、可動体３２を動作させる信号を当該可動体３２又は当該可動体３２を駆動する駆動回路に供給する。
【０１２７】
音声制御基板１３は、スピーカ８Ｌ、８Ｒを駆動する各種回路を搭載しており、当該音指定信号に基づきスピーカ８Ｌ、８Ｒを駆動し、当該音指定信号が指定する音声をスピーカ８Ｌ、８Ｒから出力させる。
【０１２８】
ランプ制御基板１４は、遊技効果ランプ９を駆動する各種回路を搭載しており、当該ランプ信号に基づき遊技効果ランプ９を駆動し、当該ランプ信号が指定する態様で遊技効果ランプ９を点灯／消灯する。このようにして、表示制御部１２３は、音声出力、ランプの点灯／消灯を制御する。
【０１２９】
なお、音声出力、ランプの点灯／消灯の制御（音指定信号やランプ信号の供給等）、可動体３２の制御（可動体３２を動作させる信号の供給等）は、演出制御用ＣＰＵ１２０が実行するようにしてもよい。
【０１３０】
乱数回路１２４は、各種演出を実行するために使用される各種の乱数値（演出用乱数）を示す数値データを更新可能にカウントする。演出用乱数は、演出制御用ＣＰＵ１２０が所定のコンピュータプログラムを実行することで更新されるもの（ソフトウェアで更新されるもの）であってもよい。
【０１３１】
演出制御基板１２に搭載されたＩ／Ｏ１２５は、例えば主基板１１などから伝送された演出制御コマンドを取り込むための入力ポートと、各種信号（映像信号、音指定信号、ランプ信号）を伝送するための出力ポートとを含んで構成される。
【０１３２】
演出制御基板１２、音声制御基板１３、ランプ制御基板１４といった、主基板１１以外の基板をサブ基板ともいう。パチンコ遊技機１のようにサブ基板が機能別に複数設けられていてもよいし、１のサブ基板が複数の機能を有するように構成してもよい。
【０１３３】
（動作）
次に、パチンコ遊技機１の動作（作用）を説明する。
【０１３４】
（主基板１１の主要な動作）
まず、主基板１１における主要な動作を説明する。パチンコ遊技機１に対して電力供給が開始されると、遊技制御用マイクロコンピュータ１００が起動し、ＣＰＵ１０３によって遊技制御メイン処理が実行される。図３は、主基板１１におけるＣＰＵ１０３が実行する遊技制御メイン処理を示すフローチャートである。
【０１３５】
図３に示す遊技制御メイン処理では、ＣＰＵ１０３は、まず、割込禁止に設定する（ステップＳ１）。続いて、必要な初期設定を行う（ステップＳ２）。初期設定には、スタックポインタの設定、内蔵デバイス（ＣＴＣ（カウンタ／タイマ回路）、パラレル入出力ポート等）のレジスタ設定、ＲＡＭ１０２をアクセス可能状態にする設定等が含まれる。
【０１３６】
次いで、クリアスイッチからの出力信号がオンであるか否かを判定する（ステップＳ３）。クリアスイッチは、例えば電源基板に搭載されている。クリアスイッチがオンの状態で電源が投入されると、出力信号（クリア信号）が入力ポートを介して遊技制御用マイクロコンピュータ１００に入力される。クリアスイッチからの出力信号がオンである場合（ステップＳ３；Ｙｅｓ）、初期化処理（ステップＳ８）を実行する。初期化処理では、ＣＰＵ１０３は、ＲＡＭ１０２に記憶されるフラグ、カウンタ、バッファをクリアするＲＡＭクリア処理を行い、作業領域に初期値を設定する。
【０１３７】
また、ＣＰＵ１０３は、初期化を指示する演出制御コマンドを演出制御基板１２に送信する（ステップＳ９）。演出制御用ＣＰＵ１２０は、当該演出制御コマンドを受信すると、例えば画像表示装置５において、遊技機の制御の初期化がなされたことを報知するための画面表示を行う。
【０１３８】
クリアスイッチからの出力信号がオンでない場合には（ステップＳ３；Ｎｏ）、ＲＡＭ１０２（バックアップＲＡＭ）にバックアップデータが保存されているか否かを判定する（ステップＳ４）。不測の停電等（電断）によりパチンコ遊技機１への電力供給が停止したときには、ＣＰＵ１０３は、当該電力供給の停止によって動作できなくなる直前に、電源供給停止時処理を実行する。この電源供給停止時処理では、ＲＡＭ１０２にデータをバックアップすることを示すバックアップフラグをオンする処理、ＲＡＭ１０２のデータ保護処理等が実行される。データ保護処理には、誤り検出符号（チェックサム、パリティビット等）の付加、各種データをバックアップする処理が含まれる。バックアップされるデータには、遊技を進行するための各種データ（各種フラグ、各種タイマの状態等を含む）の他、前記バックアップフラグの状態や誤り検出符号も含まれる。ステップＳ４では、バックアップフラグがオンであるか否かを判定する。バックアップフラグがオフでＲＡＭ１０２にバックアップデータが記憶されていない場合（ステップＳ４；Ｎｏ）、初期化処理（ステップＳ８）を実行する。
【０１３９】
ＲＡＭ１０２にバックアップデータが記憶されている場合（ステップＳ４；Ｙｅｓ）、ＣＰＵ１０３は、バックアップしたデータのデータチェックを行い（誤り検出符号を用いて行われる）、データが正常か否かを判定する（ステップＳ５）。ステップＳ５では、例えば、パリティビットやチェックサムにより、ＲＡＭ１０２のデータが、電力供給停止時のデータと一致するか否かを判定する。これらが一致すると判定された場合、ＲＡＭ１０２のデータが正常であると判定する。
【０１４０】
ＲＡＭ１０２のデータが正常でないと判定された場合（ステップＳ５；Ｎｏ）、内部状態を電力供給停止時の状態に戻すことができないので、初期化処理（ステップＳ８）を実行する。
【０１４１】
ＲＡＭ１０２のデータが正常であると判定された場合（ステップＳ５；Ｙｅｓ）、ＣＰＵ１０３は、主基板１１の内部状態を電力供給停止時の状態に戻すための復旧処理（ステップＳ６）を行う。復旧処理では、ＣＰＵ１０３は、ＲＡＭ１０２の記憶内容（バックアップしたデータの内容）に基づいて作業領域の設定を行う。これにより、電力供給停止時の遊技状態に復旧し、特別図柄の変動中であった場合には、後述の遊技制御用タイマ割込み処理の実行によって、復旧前の状態から特別図柄の変動が再開されることになる。
【０１４２】
そして、ＣＰＵ１０３は、電断からの復旧を指示する演出制御コマンドを演出制御基板１２に送信する（ステップＳ７）。これに合わせて、バックアップされている電断前の遊技状態を指定する演出制御コマンドや、特図ゲームの実行中であった場合には当該実行中の特図ゲームの表示結果を指定する演出制御コマンドを送信するようにしてもよい。これらコマンドは、後述の特別図柄プロセス処理で送信設定されるコマンドと同じコマンドを使用できる。演出制御用ＣＰＵ１２０は、電断からの復旧時を特定する演出制御コマンドを受信すると、例えば画像表示装置５において、電断からの復旧がなされたこと又は電断からの復旧中であることを報知するための画面表示を行う。演出制御用ＣＰＵ１２０は、前記演出制御コマンドに基づいて、適宜の画面表示を行うようにしてもよい。
【０１４３】
復旧処理または初期化処理を終了して演出制御基板１２に演出制御コマンドを送信した後には、ＣＰＵ１０３は、乱数回路１０４を初期設定する乱数回路設定処理を実行する（ステップＳ１０）。そして、所定時間（例えば２ｍｓ）毎に定期的にタイマ割込がかかるように遊技制御用マイクロコンピュータ１００に内蔵されているＣＴＣのレジスタの設定を行い（ステップＳ１１）、割込みを許可する（ステップＳ１２）。その後、ループ処理に入る。以後、所定時間（例えば２ｍｓ）ごとにＣＴＣから割込み要求信号がＣＰＵ１０３へ送出され、ＣＰＵ１０３は定期的にタイマ割込み処理を実行することができる。
【０１４４】
こうした遊技制御メイン処理を実行したＣＰＵ１０３は、ＣＴＣからの割込み要求信号を受信して割込み要求を受け付けると、図４のフローチャートに示す遊技制御用タイマ割込み処理を実行する。図４に示す遊技制御用タイマ割込み処理を開始すると、ＣＰＵ１０３は、まず、所定のスイッチ処理を実行することにより、スイッチ回路１１０を介してゲートスイッチ２１、第１始動口スイッチ２２Ａ、第２始動口スイッチ２２Ｂ、カウントスイッチ２３といった各種スイッチからの検出信号の受信の有無を判定する（ステップＳ２１）。続いて、所定のメイン側エラー処理を実行することにより、パチンコ遊技機１の異常診断を行い、その診断結果に応じて必要ならば警告を発生可能とする（ステップＳ２２）。この後、所定の情報出力処理を実行することにより、例えばパチンコ遊技機１の外部に設置されたホール管理用コンピュータに供給される大当り情報（大当りの発生回数等を示す情報）、始動情報（始動入賞の回数等を示す情報）、確率変動情報（確変状態となった回数等を示す情報）などのデータを出力する（ステップＳ２３）。
【０１４５】
情報出力処理に続いて、主基板１１の側で用いられる遊技用乱数の少なくとも一部をソフトウェアにより更新するための遊技用乱数更新処理を実行する（ステップＳ２４）。この後、ＣＰＵ１０３は、特別図柄プロセス処理を実行する（ステップＳ２５）。ＣＰＵ１０３がタイマ割込み毎に特別図柄プロセス処理を実行することにより、特図ゲームの実行及び保留の管理や、大当り遊技状態や小当り遊技状態の制御、遊技状態の制御などが実現される（詳しくは後述）。
【０１４６】
特別図柄プロセス処理に続いて、普通図柄プロセス処理が実行される（ステップＳ２６）。ＣＰＵ１０３がタイマ割込み毎に普通図柄プロセス処理を実行することにより、ゲートスイッチ２１からの検出信号に基づく（通過ゲート４１に遊技球が通過したことに基づく）普図ゲームの実行及び保留の管理や、「普図当り」に基づく可変入賞球装置６Ｂの開放制御などを可能にする。普図ゲームの実行は、普通図柄表示器２０を駆動することにより行われ、普図保留表示器２５Ｃを点灯させることにより普図保留数を表示する。
【０１４７】
普通図柄プロセス処理を実行した後、遊技制御用タイマ割込み処理の一部として、電断が発生したときの処理、賞球を払い出すための処理等が行われてもよい。その後、ＣＰＵ１０３は、コマンド制御処理を実行する（ステップＳ２７）。ＣＰＵ１０３は、上記各処理にて演出制御コマンドを送信設定することがある。ステップＳ２７のコマンド制御処理では、送信設定された演出制御コマンドを演出制御基板１２などのサブ側の制御基板に対して伝送させる処理が行われる。コマンド制御処理を実行した後には、割込みを許可してから、遊技制御用タイマ割込み処理を終了する。
【０１４８】
図５は、特別図柄プロセス処理として、図４に示すステップＳ２５にて実行される処理の一例を示すフローチャートである。この特別図柄プロセス処理において、ＣＰＵ１０３は、まず、始動入賞判定処理を実行する（ステップＳ１０１）。
【０１４９】
始動入賞判定処理では、始動入賞の発生を検出し、ＲＡＭ１０２の所定領域に保留情報を格納し保留記憶数を更新する処理が実行される。始動入賞が発生すると、表示結果（大当り種別を含む）や変動パターンを決定するための乱数値が抽出され、保留情報として記憶される。また、抽出した乱数値に基づいて、表示結果や変動パターンを先読み判定する処理が実行されてもよい。保留情報や保留記憶数を記憶した後には、演出制御基板１２に始動入賞の発生、保留記憶数、先読み判定等の判定結果を指定するための演出制御コマンドを送信するための送信設定が行われる。こうして送信設定された始動入賞時の演出制御コマンドは、例えば特別図柄プロセス処理が終了した後、図４に示すステップＳ２７のコマンド制御処理が実行されることなどにより、主基板１１から演出制御基板１２に対して伝送される。
【０１５０】
Ｓ１０１にて始動入賞判定処理を実行した後、ＣＰＵ１０３は、ＲＡＭ１０２に設けられた特図プロセスフラグの値に応じて、ステップＳ１１０〜Ｓ１２０の処理のいずれかを選択して実行する。なお、特別図柄プロセス処理の各処理（ステップＳ１１０〜Ｓ１２０）では、各処理に対応した演出制御コマンドを演出制御基板１２に送信するための送信設定が行われる。
【０１５１】
ステップＳ１１０の特別図柄通常処理は、特図プロセスフラグの値が“０”（初期値）のときに実行される。この特別図柄通常処理では、保留情報の有無などに基づいて、第１特図ゲーム又は第２特図ゲームを開始するか否かの判定が行われる。また、特別図柄通常処理では、表示結果決定用の乱数値に基づき、特別図柄や飾り図柄の表示結果を「大当り」または「小当り」とするか否かや「大当り」とする場合の大当り種別を、その表示結果が導出表示される以前に決定（事前決定）する。さらに、特別図柄通常処理では、決定された表示結果に対応して、特図ゲームにおいて停止表示させる確定特別図柄（大当り図柄や小当り図柄、ハズレ図柄のいずれか）が設定される。その後、特図プロセスフラグの値が“１”に更新され、特別図柄通常処理は終了する。なお、第２特図を用いた特図ゲームが第１特図を用いた特図ゲームよりも優先して実行されるようにしてもよい（特図２優先消化ともいう）。また、第１始動入賞口及び第２始動入賞口への遊技球の入賞順序を記憶し、入賞順に特図ゲームの開始条件を成立させるようにしてもよい（入賞順消化ともいう）。
【０１５２】
乱数値に基づき各種の決定を行う場合には、ＲＯＭ１０１に格納されている各種のテーブル（乱数値と比較される決定値が決定結果に割り当てられているテーブル）が参照される。主基板１１における他の決定、演出制御基板１２における各種の決定についても同じである。演出制御基板１２においては、各種のテーブルがＲＯＭ１２１に格納されている。
【０１５３】
ステップＳ１１１の変動パターン設定処理は、特図プロセスフラグの値が“１”のときに実行される。この変動パターン設定処理には、表示結果を「大当り」または「小当り」とするか否かの事前決定結果等に基づき、変動パターン決定用の乱数値を用いて変動パターンを複数種類のいずれかに決定する処理などが含まれている。変動パターン設定処理では、変動パターンを決定したときに、特図プロセスフラグの値が“２”に更新され、変動パターン設定処理は終了する。
【０１５４】
変動パターンは、特図ゲームの実行時間（特図変動時間）（飾り図柄の可変表示の実行時間でもある）や、飾り図柄の可変表示の態様（リーチの有無等）、飾り図柄の可変表示中の演出内容（リーチ演出の種類等）を指定するものであり、可変表示パターンとも呼ばれる。
【０１５５】
ステップＳ１１２の特別図柄変動処理は、特図プロセスフラグの値が“２”のときに実行される。この特別図柄変動処理には、第１特別図柄表示装置４Ａや第２特別図柄表示装置４Ｂにおいて特別図柄を変動させるための設定を行う処理や、その特別図柄が変動を開始してからの経過時間を計測する処理などが含まれている。また、計測された経過時間が変動パターンに対応する特図変動時間に達したか否かの判定も行われる。そして、特別図柄の変動を開始してからの経過時間が特図変動時間に達したときには、特図プロセスフラグの値が“３”に更新され、特別図柄変動処理は終了する。
【０１５６】
ステップＳ１１３の特別図柄停止処理は、特図プロセスフラグの値が“３”のときに実行される。この特別図柄停止処理には、第１特別図柄表示装置４Ａや第２特別図柄表示装置４Ｂにて特別図柄の変動を停止させ、特別図柄の表示結果となる確定特別図柄を停止表示（導出）させるための設定を行う処理が含まれている。そして、表示結果が「大当り」である場合には特図プロセスフラグの値が“４”に更新される。その一方で、大当りフラグがオフであり、表示結果が「小当り」である場合には、特図プロセスフラグの値が“８”に更新される。また、表示結果が「ハズレ」である場合には、特図プロセスフラグの値が“０”に更新される。表示結果が「小当り」又は「ハズレ」である場合、時短状態や確変状態に制御されているときであって、回数切りの終了成立する場合には、遊技状態も更新される。特図プロセスフラグの値が更新されると、特別図柄停止処理は終了する。
【０１５７】
ステップＳ１１４の大当り開放前処理は、特図プロセスフラグの値が“４”のときに実行される。この大当り開放前処理には、表示結果が「大当り」となったことなどに基づき、大当り遊技状態においてラウンドの実行を開始して大入賞口を開放状態とするための設定を行う処理などが含まれている。大入賞口を開放状態とするときには、大入賞口扉用のソレノイド８２に対してソレノイド駆動信号を供給する処理が実行される。このときには、例えば大当り種別がいずれであるかに対応して、大入賞口を開放状態とする開放上限期間や、ラウンドの上限実行回数を設定する。これらの設定が終了すると、特図プロセスフラグの値が“５”に更新され、大当り開放前処理は終了する。
【０１５８】
ステップＳ１１５の大当り開放中処理は、特図プロセスフラグの値が“５”のときに実行される。この大当り開放中処理には、大入賞口を開放状態としてからの経過時間を計測する処理や、その計測した経過時間やカウントスイッチ２３によって検出された遊技球の個数などに基づいて、大入賞口を開放状態から閉鎖状態に戻すタイミングとなったか否かを判定する処理などが含まれている。そして、大入賞口を閉鎖状態に戻すときには、大入賞口扉用のソレノイド８２に対するソレノイド駆動信号の供給を停止させる処理などを実行した後、特図プロセスフラグの値が“６”に更新し、大当り開放中処理を終了する。
【０１５９】
ステップＳ１１６の大当り開放後処理は、特図プロセスフラグの値が“６”のときに実行される。この大当り開放後処理には、大入賞口を開放状態とするラウンドの実行回数が設定された上限実行回数に達したか否かを判定する処理や、上限実行回数に達した場合に大当り遊技状態を終了させるための設定を行う処理などが含まれている。そして、ラウンドの実行回数が上限実行回数に達していないときには、特図プロセスフラグの値が“５”に更新される一方、ラウンドの実行回数が上限実行回数に達したときには、特図プロセスフラグの値が“７”に更新される。特図プロセスフラグの値が更新されると、大当り解放後処理は終了する。
【０１６０】
ステップＳ１１７の大当り終了処理は、特図プロセスフラグの値が“７”のときに実行される。この大当り終了処理には、大当り遊技状態の終了を報知する演出動作としてのエンディング演出が実行される期間に対応した待ち時間が経過するまで待機する処理や、大当り遊技状態の終了に対応して確変制御や時短制御を開始するための各種の設定を行う処理などが含まれている。こうした設定が行われたときには、特図プロセスフラグの値が“０”に更新され、大当り終了処理は終了する。
【０１６１】
ステップＳ１１８の小当り開放前処理は、特図プロセスフラグの値が“８”のときに実行される。この小当り開放前処理には、表示結果が「小当り」となったことに基づき、小当り遊技状態において大入賞口を開放状態とするための設定を行う処理などが含まれている。このときには、特図プロセスフラグの値が“９”に更新され、小当り開放前処理は終了する。
【０１６２】
ステップＳ１１９の小当り開放中処理は、特図プロセスフラグの値が“９”のときに実行される。この小当り開放中処理には、大入賞口を開放状態としてからの経過時間を計測する処理や、その計測した経過時間などに基づいて、大入賞口を開放状態から閉鎖状態に戻すタイミングとなったか否かを判定する処理などが含まれている。大入賞口を閉鎖状態に戻して小当り遊技状態の終了タイミングとなったときには、特図プロセスフラグの値が“１０”に更新され、小当り開放中処理は終了する。
【０１６３】
ステップＳ１２０の小当り終了処理は、特図プロセスフラグの値が“１０”のときに実行される。この小当り終了処理には、小当り遊技状態の終了を報知する演出動作が実行される期間に対応した待ち時間が経過するまで待機する処理などが含まれている。ここで、小当り遊技状態が終了するときには、小当り遊技状態となる以前のパチンコ遊技機１における遊技状態を継続させる。小当り遊技状態の終了時における待ち時間が経過したときには、特図プロセスフラグの値が“０”に更新され、小当り終了処理は終了する。
【０１６４】
（演出制御基板１２の主要な動作）
次に、演出制御基板１２における主要な動作を説明する。演出制御基板１２では、電源基板等から電源電圧の供給を受けると、演出制御用ＣＰＵ１２０が起動して、図６のフローチャートに示すような演出制御メイン処理を実行する。図６に示す演出制御メイン処理を開始すると、演出制御用ＣＰＵ１２０は、まず、所定の初期化処理を実行して（ステップＳ７１）、ＲＡＭ１２２のクリアや各種初期値の設定、また演出制御基板１２に搭載されたＣＴＣ（カウンタ／タイマ回路）のレジスタ設定等を行う。また、初期動作制御処理を実行する（ステップＳ７２）。初期動作制御処理では、可動体３２を駆動して初期位置に戻す制御、所定の動作確認を行う制御といった可動体３２の初期動作を行う制御が実行される。
【０１６５】
その後、タイマ割込みフラグがオンとなっているか否かの判定を行う（ステップＳ７３）。タイマ割込みフラグは、例えばＣＴＣのレジスタ設定に基づき、所定時間（例えば２ミリ秒）が経過するごとにオン状態にセットされる。このとき、タイマ割込みフラグがオフであれば（ステップＳ７３；Ｎｏ）、ステップＳ７３の処理を繰り返し実行して待機する。
【０１６６】
また、演出制御基板１２の側では、所定時間が経過するごとに発生するタイマ割込みとは別に、主基板１１からの演出制御コマンドを受信するための割込みが発生する。この割込みは、例えば主基板１１からの演出制御ＩＮＴ信号がオン状態となることにより発生する割込みである。演出制御ＩＮＴ信号がオン状態となることによる割込みが発生すると、演出制御用ＣＰＵ１２０は、自動的に割込み禁止に設定するが、自動的に割込み禁止状態にならないＣＰＵを用いている場合には、割込み禁止命令（ＤＩ命令）を発行することが望ましい。演出制御用ＣＰＵ１２０は、演出制御ＩＮＴ信号がオン状態となることによる割込みに対応して、例えば所定のコマンド受信割込み処理を実行する。このコマンド受信割込み処理では、Ｉ／Ｏ１２５に含まれる入力ポートのうちで、中継基板１５を介して主基板１１から送信された制御信号を受信する所定の入力ポートより、演出制御コマンドを取り込む。このとき取り込まれた演出制御コマンドは、例えばＲＡＭ１２２に設けられた演出制御コマンド受信用バッファに格納する。その後、演出制御用ＣＰＵ１２０は、割込み許可に設定してから、コマンド受信割込み処理を終了する。
【０１６７】
ステップＳ７３にてタイマ割込みフラグがオンである場合には（ステップＳ７３；Ｙｅｓ）、タイマ割込みフラグをクリアしてオフ状態にするとともに（ステップＳ７４）、コマンド解析処理を実行する（ステップＳ７５）。コマンド解析処理では、例えば主基板１１の遊技制御用マイクロコンピュータ１００から送信されて演出制御コマンド受信用バッファに格納されている各種の演出制御コマンドを読み出した後に、その読み出された演出制御コマンドに対応した設定や制御などが行われる。例えば、どの演出制御コマンドを受信したかや演出制御コマンドが特定する内容等を演出制御プロセス処理等で確認できるように、読み出された演出制御コマンドをＲＡＭ１２２の所定領域に格納したり、ＲＡＭ１２２に設けられた受信フラグをオンしたりする。また、演出制御コマンドが遊技状態を特定する場合、遊技状態に応じた背景の表示を表示制御部１２３に指示してもよい。
【０１６８】
ステップＳ７５にてコマンド解析処理を実行した後には、演出制御プロセス処理を実行する（ステップＳ７６）。演出制御プロセス処理では、例えば画像表示装置５の表示領域における演出画像の表示動作、スピーカ８Ｌ、８Ｒからの音声出力動作、遊技効果ランプ９及び装飾用ＬＥＤといった装飾発光体における点灯動作、可動体３２の駆動動作といった、各種の演出装置を動作させる制御が行われる。また、各種の演出装置を用いた演出動作の制御内容について、主基板１１から送信された演出制御コマンド等に応じた判定や決定、設定などが行われる。
【０１６９】
ステップＳ７６の演出制御プロセス処理に続いて、演出用乱数更新処理が実行され（ステップＳ７７）、演出制御基板１２の側で用いられる演出用乱数の少なくとも一部がソフトウェアにより更新される。その後、ステップＳ７３の処理に戻る。ステップＳ７３の処理に戻る前に、他の処理が実行されてもよい。
【０１７０】
図７は、演出制御プロセス処理として、図６のステップＳ７６にて実行される処理の一例を示すフローチャートである。図７に示す演出制御プロセス処理において、演出制御用ＣＰＵ１２０は、まず、先読予告設定処理を実行する（ステップＳ１６１）。先読予告設定処理では、例えば、主基板１１から送信された始動入賞時の演出制御コマンドに基づいて、先読み予告演出を実行するための判定や決定、設定などが行われる。また、当該演出制御コマンドから特定される保留記憶数に基づき保留表示を表示するための処理が実行される。
【０１７１】
ステップＳ１６１の処理を実行した後、演出制御用ＣＰＵ１２０は、例えばＲＡＭ１２２に設けられた演出プロセスフラグの値に応じて、以下のようなステップＳ１７０〜Ｓ１７７の処理のいずれかを選択して実行する。
【０１７２】
ステップＳ１７０の可変表示開始待ち処理は、演出プロセスフラグの値が“０”（初期値）のときに実行される処理である。この可変表示開始待ち処理は、主基板１１から可変表示の開始を指定するコマンドなどを受信したか否かに基づき、画像表示装置５における飾り図柄の可変表示を開始するか否かを判定する処理などを含んでいる。画像表示装置５における飾り図柄の可変表示を開始すると判定された場合、演出プロセスフラグの値を“１”に更新し、可変表示開始待ち処理を終了する。
【０１７３】
ステップＳ１７１の可変表示開始設定処理は、演出プロセスフラグの値が“１”のときに実行される処理である。この可変表示開始設定処理では、演出制御コマンドにより特定される表示結果や変動パターンに基づいて、飾り図柄の可変表示の表示結果（確定飾り図柄）、飾り図柄の可変表示の態様、リーチ演出や各種予告演出などの各種演出の実行の有無やその態様や実行開始タイミングなどを決定する。そして、その決定結果等を反映した演出制御パターン（表示制御部１２３に演出の実行を指示するための制御データの集まり）を設定する。その後、設定した演出制御パターンに基づいて、飾り図柄の可変表示の実行開始を表示制御部１２３に指示し、演出プロセスフラグの値を“２”に更新し、可変表示開始設定処理を終了する。表示制御部１２３は、飾り図柄の可変表示の実行開始の指示により、画像表示装置５において、飾り図柄の可変表示を開始させる。
【０１７４】
ステップＳ１７２の可変表示中演出処理は、演出プロセスフラグの値が“２”のときに実行される処理である。この可変表示中演出処理において、演出制御用ＣＰＵ１２０は、表示制御部１２３を指示することで、ステップＳ１７１にて設定された演出制御パターンに基づく演出画像を画像表示装置５の表示画面に表示させることや、可動体３２を駆動させること、音声制御基板１３に対する指令（効果音信号）の出力によりスピーカ８Ｌ、８Ｒから音声や効果音を出力させること、ランプ制御基板１４に対する指令（電飾信号）の出力により遊技効果ランプ９や装飾用ＬＥＤを点灯／消灯／点滅させることといった、飾り図柄の可変表示中における各種の演出制御を実行する。こうした演出制御を行った後、例えば演出制御パターンから飾り図柄の可変表示終了を示す終了コードが読み出されたこと、あるいは、主基板１１から確定飾り図柄を停止表示させることを指定するコマンドを受信したことなどに対応して、飾り図柄の表示結果となる確定飾り図柄を停止表示させる。確定飾り図柄を停止表示したときには、演出プロセスフラグの値が“３”に更新され、可変表示中演出処理は終了する。
【０１７５】
ステップＳ１７３の特図当り待ち処理は、演出プロセスフラグの値が“３”のときに実行される処理である。この特図当り待ち処理において、演出制御用ＣＰＵ１２０は、主基板１１から大当り遊技状態又は小当り遊技状態を開始することを指定する演出制御コマンドの受信があったか否かを判定する。そして、大当り遊技状態又は小当り遊技状態を開始することを指定する演出制御コマンドを受信したきに、そのコマンドが大当り遊技状態の開始を指定するものであれば、演出プロセスフラグの値を“６”に更新する。これに対して、そのコマンドが小当り遊技状態の開始を指定するものであれば、演出プロセスフラグの値を小当り中演出処理に対応した値である“４”に更新する。また、大当り遊技状態又は小当り遊技状態を開始することを指定するコマンドを受信せずに、当該コマンドの受信待ち時間が経過したときには、特図ゲームにおける表示結果が「ハズレ」であったと判定して、演出プロセスフラグの値を初期値である“０”に更新する。演出プロセスフラグの値を更新すると、特図当り待ち処理を終了する。
【０１７６】
ステップＳ１７４の小当り中演出処理は、演出制御プロセスフラグの値が“４”のときに実行される処理である。この小当り中演出処理において、演出制御用ＣＰＵ１２０は、例えば小当り遊技状態における演出内容に対応した演出制御パターン等を設定し、その設定内容に基づく小当り遊技状態における各種の演出制御を実行する。また、小当り中演出処理では、例えば主基板１１から小当り遊技状態を終了することを指定するコマンドを受信したことに対応して、演出プロセスフラグの値を小当り終了演出に対応した値である“５”に更新し、小当り中演出処理を終了する。
【０１７７】
ステップＳ１７５の小当り終了演出処理は、演出制御プロセスフラグの値が“５”のときに実行される処理である。この小当り終了演出処理において、演出制御用ＣＰＵ１２０は、例えば小当り遊技状態の終了などに対応した演出制御パターン等を設定し、その設定内容に基づく小当り遊技状態の終了時における各種の演出制御を実行する。その後、演出プロセスフラグの値を初期値である“０”に更新し、小当り終了演出処理を終了する。
【０１７８】
ステップＳ１７６の大当り中演出処理は、演出プロセスフラグの値が“６”のときに実行される処理である。この大当り中演出処理において、演出制御用ＣＰＵ１２０は、例えば大当り遊技状態における演出内容に対応した演出制御パターン等を設定し、その設定内容に基づく大当り遊技状態における各種の演出制御を実行する。また、大当り中演出処理では、例えば主基板１１から大当り遊技状態を終了することを指定するコマンドを受信したことに対応して、演出制御プロセスフラグの値をエンディング演出処理に対応した値である“７”に更新し、大当り中演出処理を終了する。
【０１７９】
ステップＳ１７７のエンディング演出処理は、演出プロセスフラグの値が“７”のときに実行される処理である。このエンディング演出処理において、演出制御用ＣＰＵ１２０は、例えば大当り遊技状態の終了などに対応した演出制御パターン等を設定し、その設定内容に基づく大当り遊技状態の終了時におけるエンディング演出の各種の演出制御を実行する。その後、演出プロセスフラグの値を初期値である“０”に更新し、エンディング演出処理を終了する。
【０１８０】
（基本説明の変形例）
この発明は、上記基本説明で説明したパチンコ遊技機１に限定されず、本発明の趣旨を逸脱しない範囲で、様々な変形及び応用が可能である。
【０１８１】
上記基本説明のパチンコ遊技機１は、入賞の発生に基づいて所定数の遊技媒体を景品として払い出す払出式遊技機であったが、遊技媒体を封入し入賞の発生に基づいて得点を付与する封入式遊技機であってもよい。
【０１８２】
特別図柄の可変表示中に表示されるものは１種類の図柄（例えば、「−」を示す記号）だけで、当該図柄の表示と消灯とを繰り返すことによって可変表示を行うようにしてもよい。さらに可変表示中に当該図柄が表示されるものも、可変表示の停止時には、当該図柄が表示されなくてもよい（表示結果としては「−」を示す記号が表示されなくてもよい）。
【０１８３】
上記基本説明では、遊技機としてパチンコ遊技機１を示したが、メダルが投入されて所定の賭け数が設定され、遊技者による操作レバーの操作に応じて複数種類の図柄を回転させ、遊技者によるストップボタンの操作に応じて図柄を停止させたときに停止図柄の組合せが特定の図柄の組み合わせになると、所定数のメダルが遊技者に払い出されるゲームを実行可能なスロット機（例えば、ビッグボーナス、レギュラーボーナス、ＲＴ、ＡＴ、ＡＲＴ、ＣＺ（以下、ボーナス等）のうち１以上を搭載するスロット機）にも本発明を適用可能である。
【０１８４】
本発明を実現するためのプログラム及びデータは、パチンコ遊技機１に含まれるコンピュータ装置などに対して、着脱自在の記録媒体により配布・提供される形態に限定されるものではなく、予めコンピュータ装置などの有する記憶装置にインストールしておくことで配布される形態を採っても構わない。さらに、本発明を実現するためのプログラム及びデータは、通信処理部を設けておくことにより、通信回線等を介して接続されたネットワーク上の、他の機器からダウンロードすることによって配布する形態を採っても構わない。
【０１８５】
そして、ゲームの実行形態も、着脱自在の記録媒体を装着することにより実行するものだけではなく、通信回線等を介してダウンロードしたプログラム及びデータを、内部メモリ等に一旦格納することにより実行可能とする形態、通信回線等を介して接続されたネットワーク上における、他の機器側のハードウェア資源を用いて直接実行する形態としてもよい。さらには、他のコンピュータ装置等とネットワークを介してデータの交換を行うことによりゲームを実行するような形態とすることもできる。
【０１８６】
なお、本明細書において、演出の実行割合などの各種割合の比較の表現（「高い」、「低い」、「異ならせる」などの表現）は、一方が「０％」の割合であることを含んでもよい。例えば、一方が「０％」の割合で、他方が「１００％」の割合又は「１００％」未満の割合であることも含む。
【０１８７】
（特徴部２０６Ｆに関する説明）
次に、本実施の形態の特徴部２０６Ｆについて説明する。図８は、画像表示装置５におけるボタン画像の貯留放出演出を示す表示画面図である。ボタン画像の貯留放出演出は、飾り図柄の可変表示中において、プッシュセンサ３５Ｂ等の遊技者による動作（操作）が検出可能な動作検出手段の検出対象となるプッシュボタン３１Ｂ等の操作手段を示すボタン画像２０６Ｆ００３について、貯留表示をする貯留演出と、放出表示をする放出演出とを実行可能な演出である。ボタン画像２０６Ｆ００３は、遊技者による動作（操作）を促進する動作促進画像であり、操作促進画像とも呼ばれる。
【０１８８】
図８（Ａ）には、縮小化されて画面左下隅部に小図柄として表示された「左」、「中」、「右」の各飾り図柄表示エリア５Ｌ、５Ｃ、５Ｒにおける飾り図柄の可変表示中において、ボタン画像２０６Ｆ００３が出現し、出現した画像を第１領域２０６Ｆ００１および第２領域２０６Ｆ００２よりなる特定表示領域２０６Ｆ０００にストック（貯留）していく演出態様で貯留表示をするボタン画像の貯留演出が示されている。
【０１８９】
図８（Ｂ）には、縮小化されて画面左下隅部に小図柄として表示された「左」、「中」、「右」の各飾り図柄表示エリア５Ｌ、５Ｃ、５Ｒにおける飾り図柄の可変表示中において、特定表示領域２０６Ｆ０００に貯留表示されたボタン画像２０６Ｆ００３を放出していく演出態様で放出表示をするボタン画像の放出演出が示されている。
【０１９０】
図８（Ａ）のようにボタン画像２０６Ｆ００３を貯留表示する演出は、ボタン画像２０６Ｆ００３のような動作促進画像が表示を貯留表示することにより、ボタン画像２０６Ｆ００３が放出表示されて動作促進画像が表示されることを事前に示唆する動作促進示唆画像である。
【０１９１】
図８（Ｃ）には、ボタン画像２０６Ｆ００３の貯留放出演出により放出されたボタン画像２０６Ｆ００３以外の通常のボタン画像２０６Ｆ００８を用いる演出の代表例としての通常ボタン画像演出が示されている。
【０１９２】
この実施の形態では、複数種類の変動パターンによる可変表示において、ボタン画像の貯留放出演出が実行可能であり、第１の特定の変動パターン（第１のスーパーリーチ、第１のノーマルリーチ等）では、図８（Ａ），（Ｂ）のようなボタン画像の貯留放出演出が実行される。また、この実施の形態では、第１の特定の変動パターン以外の変動パターン（１種類の変動パターンでも複数種類の変動パターンでもよい）における演出として、可変表示中において、ボタン画像の貯留放出演出を実行せずに、図８（Ｃ）のようなバトル演出時において通常のボタン画像２０６Ｆ００８を出現表示させ、プッシュセンサ３５Ｂ等の遊技者による動作（操作）によりプッシュボタン３１Ｂ等の操作手段の操作動作が検出されたときに、成功演出／失敗演出等の各種演出を実行する通常ボタン画像演出が実行される場合がある。通常ボタン画像演出では、図８（Ａ），（Ｂ）に示すような第１領域２０６Ｆ００１および第２領域２０６Ｆ００２よりなる特定表示領域２０６Ｆ０００が背景画像的に表示されるが、ボタン画像の貯留放出演出自体は実行されない。
【０１９３】
なお、複数種類の変動パターンによる可変表示において、ボタン画像の貯留放出演出が実行可能であり、第１の特定の変動パターン（第１のスーパーリーチ、第１のノーマルリーチ等）では、図８（Ａ），（Ｂ）のようなボタン画像の貯留放出演出が実行され、第２の特定の変動パターン（第２のスーパーリーチ、第２のノーマルリーチ等）では、第１領域２０６Ｆ００１および第２領域２０６Ｆ００２よりなる特定表示領域２０６Ｆ０００を用いるボタン画像の貯留放出演出の貯留表示が実行されるが、ボタン画像の放出表示が実行されずに、図８（Ｃ）のようなバトル演出が実行されて、貯留放出演出で用いられるボタン画像とは無関係なボタン画像を所定領域に出現表示させる演出が実行可能となるようにしてもよい。その場合には、図８（Ａ），（Ｂ）のボタン画像の貯留放出演出と、図８（Ｃ）のボタン画像の貯留放出演出とは、ボタン画像の貯留演出の演出パターンが同様の演出態様であり、バトル演出、および、成功演出／失敗演出等のボタン画像の操作動作を促進する演出に用いるボタン画像が、放出演出により放出されたボタン画像か、放出演出によらずに出現表示されたボタン画像であるかという演出態様で異なる。
【０１９４】
また、図８（Ａ），（Ｂ）のボタン画像の貯留放出演出と、図８（Ｃ）の通常ボタン画像演出とは、同じ変動パターンコマンドに基づく同じ変動パターンによる可変表示において実行可能としてもよい。たとえば、演出制御用ＣＰＵ１２０側において、特定の変動パターンコマンドを受信したときに、その変動パターンでの可変表示において、ボタン画像の貯留放出演出を実行しつつ、その可変表示中の所定タイミングで通常ボタン画像を出現させる通常ボタン画像演出をする演出パターンを実行するか否かを抽選により選択してもよい。そのような抽選としては、たとえば、ボタン画像の貯留放出演出を実行するが通常ボタン画像演出を実行しない演出パターンと、ボタン画像の貯留放出演出を実行するとともに、通常ボタン画像演出を所定タイミングで実行する演出パターンとを含む複数種類の演出パターンのうちから、演出制御用ＣＰＵ１２０が実行する演出パターンをランダムに選択して実行すればよい。そのように、ボタン画像の貯留放出演出を実行しつつ通常ボタン画像演出を実行する演出パターンにおいては、ボタン画像の貯留放出演出により放出されたボタン画像による操作促進表示と、通常ボタン画像演出により出現したボタン画像による操作促進表示とのうちのどちらの表示であるかを遊技者が認識しやすいようにするために、ボタン画像の貯留放出演出により放出されるボタン画像の出現動作表示と、通常ボタン画像演出によるボタン画像の出現動作表示とで、出現動作表示態様（出現パターン）を異ならせることが好ましい。また、ボタン画像の貯留放出演出により放出されるボタン画像の出現動作表示と、通常ボタン画像演出によるボタン画像の出現動作表示とで、出現表示されたボタン画像の表示態様（例えば色、形状、大きさ等を含む各種表示態様）を異ならせるようにしてもよい。
【０１９５】
まず、ボタン画像の貯留放出演出の概要を説明する。ボタン画像の貯留放出演出では、図８（Ａ），（Ｂ）に示すような「左」、「中」、「右」の各飾り図柄表示エリア５Ｌ、５Ｃ、５Ｒにおける飾り図柄の可変表示中において、ボタン画像２０６Ｆ００３が、第１領域２０６Ｆ００１と第２領域２０６Ｆ００２とからなる特定領域２０６Ｆ０００で貯留表示される貯留演出が所定タイミングで実行される。その後、遊技者が戦うバトル演出の対象となる敵キャラクタの画像（図示省略）が表示された後、特定タイミングで遊技者が敵キャラクタを攻撃等するためのボタンを操作する動作を促進する演出として、貯留表示されていたボタン画像２０６Ｆ００３が放出表示される放出演出が実行される。そのボタン画像２０６Ｆ００３は、図８（Ａ），（Ｂ）に示すような攻撃用の槍を示唆する槍画像（図中太線矢印の画像）が含まれる円形の画像である。そして、遊技者がプッシュボタン３１Ｂ等の操作手段を所定回数操作し、その動作がプッシュセンサ３５Ｂにより検出されることに基づいて、放出表示されたボタン画像２０６Ｆ００３が消化されつつ敵キャラクタを攻撃する等の特定の演出が行われた後、敵キャラクタに遊技者が勝利して成功演出が実行されるか、または、敵キャラクタに遊技者が敗北して失敗演出が実行される。具体的には、以下に説明するような、図８（Ａ）に示すボタン画像の貯留演出と、図８（Ｂ）に示すボタン画像の放出演出とが複数回繰返し実行される。このような遊技者の操作動作に対応して実行される演出は、動作対応演出という総称で呼ばれる場合がある。
【０１９６】
この実施の形態では、貯留演出と放出演出との組合せによる演出が第１回目の演出と、第２回目の演出とで合計２回実行される。第１回目の演出では、敵キャラクタが登場し、遊技者の操作動作の検出に基づき、第１回目に放出表示されたボタン画像２０６Ｆ００３の消化に応じて、敵キャラクタが一部破壊されていく演出表示が実行され、敵キャラクタとの対戦が勝利に至るか敗北に至るかまでは表示されない。この実施の形態では、第１回目の演出で成功演出となるか、失敗演出となるかが示されることとなる。
【０１９７】
なお、可変表示結果に基づいて大当りとなるか否に応じて、第１回目の演出における敵キャラクタの破壊度合が異なるようにしてもよい（大当りとなるときははずれとなるときと比べて破壊度合が大きい等）。これにより、この実施の形態では、第２回目の貯留演出と放出演出との組合せによる演出では、１回目の演出における敵キャラクタとの対戦の続きが実行される。この実施の形態では、第２回目の貯留演出と放出演出との組合せによる演出の表示後に成功演出または失敗演出が実行されることとなる。
【０１９８】
なお、１回目の貯留演出と放出演出と組合せ演出と、２回目の貯留演出と放出演出と組合せ演出との両方で敵キャラクタとの対戦に基づく成功演出と失敗演出とが実行され、１回目の演出で失敗演出が実行され、２回目の演出でも失敗演出が実行される第１演出パターン、１回目の演出で失敗演出が実行されるが、２回目の演出で成功演出が実行される第２演出パターン、および、１回目の演出で成功演出が実行され、さらに２回目の演出でも成功演出が実行される第３演出パターンのうちから演出パターンが選択されるようにしてもよい。その場合には、大当りの期待度の関係が「第３演出パターン＞第２演出パターン＞第１演出パターン」となるように選択割合を設定すればよい。
【０１９９】
成功演出は、例えば、遊技者が敵キャラクタ２０６に勝利し、擬似連の演出が開始される、スーパーリーチの演出に発展する、または、大当り図柄が停止表示される等、遊技者にとって有利な状態となることを示唆する演出である。一方、この場合の失敗演出は、例えば、遊技者が敵キャラクタ２０６に敗北し、擬似連の演出が開始されない、スーパーリーチの演出に発展しない、または、大当り図柄が停止表示されない等、遊技者にとって有利な状態となることを示唆しない演出である。成功演出および失敗演出は、変動パターンの種類に応じて、異なる種類の演出が選択されて実行される。なお、成功演出および失敗演出は、変動パターンの種類によらず、全ての可変表示において、同じ種類の演出が実行されるようにしてもよい。
【０２００】
このような成功演出として実行可能な各種演出は、遊技者にとって有利な状態となることを示唆する演出である。
【０２０１】
以下に、ボタン画像の貯留放出演出の具体的な説明をする。ボタン画像の貯留放出演出は、例えば、特定のスーパーリーチ演出の実行を指定する変動パターンコマンドまたは特定のノーマルリーチ演出の事項を指定する変動パターンコマンドを演出制御用ＣＰＵ１２０側が受信したときに実行される。ボタン画像の貯留放出演出が実行されるときには、図８（Ａ），（Ｂ）に示すように、画像表示装置５において、ボタン画像２０６Ｆ００３を貯留表示可能な表示領域である特定領域２０６Ｆ０００が表示される。
【０２０２】
特定領域２０６Ｆ０００は、第１領域２０６Ｆ００１と、第２領域２０６Ｆ００２との複数の領域からなるボタン画像貯留表示領域である。第１領域２０６Ｆ００１は、図中の破線矢印で示されるような方向に回転可能であり、最大４個のボタン画像２０６Ｆ００３を貯留表示可能な４つの貯留部を備えた領域である。第２領域２０６Ｆ００２は、第１領域２０６Ｆ００１の周囲を取り囲む態様で９つ列設された矩形の貯留部を備えた領域であり、図８（Ａ）の破線矢印に示すような方向へ順番にボタン画像２０６Ｆ００３を貯留表示していくことが可能な領域である。第２領域２０６Ｆ００２は、最大９個のボタン画像２０６Ｆ００３を貯留表示可能である。これにより、特定領域２０６Ｆ０００は、最大１３個のボタン画像２０６Ｆ００３を貯留表示可能である。
【０２０３】
このように、第１領域２０６Ｆ００１と、第２領域２０６Ｆ００２とを含む特定領域２０６Ｆ０００において、貯留表示されたボタン画像２０６Ｆ００３のような複数の動作促進示唆画像を事前に表示可能である。これにより、遊技者の動作を促進する演出のバリエーションを豊富化し、遊技の興趣を向上させることができる。
【０２０４】
ボタン画像の貯留放出演出のうち、ボタン画像の貯留演出は、次のように実行される。ボタン画像の貯留演出が実行されるときには、ボタン画像の貯留表示をする前に、貯留表示をするボタン画像の個数を事前に示唆可能な個数示唆演出としての貯留予告演出が実行される。図８（Ａ）には、複数種類の貯留予告演出のうち、基本予告演出と呼ばれる演出が一例として示されている。
【０２０５】
基本予告演出では、図８（Ａ）に示すように、飾り図柄の可変表示中において、第１回目の貯留タイミングとなると、予め選択された貯留表示個数に対応する個数分のストック用ボタンアイコン画像２０６Ｆ００４が、画面中央部に貯留予告表示として出現表示される。ストック用ボタンアイコン画像２０６Ｆ００４は、ボタン画像が５角形状のストックアイコン内に収容された態様の画像として表示される。このような貯留表示される個数のストック用ボタンアイコン画像２０６Ｆ００４が予告演出として表示されることにより、貯留表示をするボタン画像の個数をストック用ボタンアイコン画像数により事前に示唆可能な個数示唆演出が貯留予告演出として実行される。さらに、個数示唆演出としては、「貯留×２！」というような貯留表示される個数を数値により示す貯留追加数値画像も貯留予告演出として表示される。これにより、遊技者に正確な貯留追加数を予告報知することができる。ストック用ボタンアイコン画像２０６Ｆ００４は、特定表示領域２０６Ｆ０００以外の表示領域であればどのような表示領域に表示されてもよい。
【０２０６】
ストック用ボタンアイコン画像２０６Ｆ００４内のボタン画像は、図８（Ｃ）に示す通常のボタン画像２０６Ｆ００８とは異なり、円形状のボタンに槍形状（図中太線矢印）の武器が付加された形状のボタン画像であり、武器と関連することが示されている。ストック用ボタンアイコン画像２０６Ｆ００４内のボタン画像は、図中の破線矢印に示す方向に移動表示し、回転する第１領域２０６Ｆ００１の４つの貯留部のうちの空き貯留部にボタン画像２０６Ｆ００３として貯留表示されていく。そのときに、５角形状のストックアイコンは消去される。なお、ストック表示（貯留表示）されるときのボタン画像（ストック前のボタンアイコン画像含む）としては、槍以外に剣等のその他の武器がボタン画像に付加される複数種類の画像が用いることが可能であってもよい。その場合においては、ボタン画像に付加される武器の種類に応じて、大当りとなる期待度が異なるように設定してもよい。また、ボタン画像（ストック前のボタンアイコン画像含む）自体の表示態様を、通常の画像よりも濃度が薄い画像で表示したり、通常の画像とは異なる色で表示することで、ストック表示（貯留表示）されていないボタン画像（ボタンアイコン画像含む）と、ストック表示（貯留表示）されているボタン画像（ボタンアイコン画像含む）とを差別化（区別）して視認可能となるようにしてもよい。
【０２０７】
このように、貯留予告演出が実行された後に貯留演出が実行されるので、貯留放出演出に対する遊技者の期待感を高め、演出の面白みを向上させることができる。
【０２０８】
１回のボタン画像の貯留演出で貯留表示されるボタン画像２０６Ｆ００３の個数は、複数種類の演出パターン（図１０（Ｂ）〜（Ｄ）参照）のうちから選択決定された演出パターンに応じた個数に決定される。このような貯留表示は、１回の可変表示中に複数回（この実施の形態では２回）実行される。貯留表示において、第１領域２０６Ｆ００１の４つの貯留部がボタン画像２０６Ｆ００３で満杯となったときには、９つの第２領域２０６Ｆ００２内において、図８（Ａ）の破線矢印に示す方向に並ぶ順番に従い、ボタン画像２０６Ｆ００３が、１つずつシフトする移動態様で移動表示され、空き貯留部に貯留表示されていく。これにより、第１領域２０６Ｆ００１で表示された所定数を超えた数のボタン画像２０６Ｆ００３のような動作促進示唆画像が第２領域２０６Ｆ００２において表示可能であることにより、複数の表示領域で動作促進示唆画像が可能となるので、遊技者の動作を促進する演出のバリエーションをさらに豊富化し、より一層遊技の興趣を向上させることができる。
【０２０９】
９つの第２領域２０６Ｆ００２のそれぞれが、ボタン画像２０６Ｆ００３が表示されていない空き状態では、グレイスケール（図中斜線部がある状態）で目立ちにくく表示され、ボタン画像２０６Ｆ００３が表示されていない空き状態では、カラー表示（図中斜線部がない状態）で目立ちやすく表示される。
【０２１０】
なお、第２領域２０６Ｆ００２については、ボタン画像２０６Ｆ００３が表示されていない空き状態において、グレースケールとする以外に、例えば、目立ちにくいカラー表示としてもよい等、ボタン画像２０６Ｆ００３が表示されている状態と異なる表示態様となるものであれば、どのような表示態様にしてもよい。また、逆に、第１領域２０６Ｆ００１について、ボタン画像２０６Ｆ００３が表示されていない状態と表示されている状態とで異なる表示態様となるようにしてもよい。すなわち、第１領域２０６Ｆ００１と第２領域２０６Ｆ００２との少なくとも一方の表示領域について、ボタン画像２０６Ｆ００３が表示されていない状態と表示されている状態とで異なる表示態様となるようにすればよい。このような表示態様とすることにより、貯留表示されたボタン画像２０６Ｆ００３のような動作促進示唆画像が事前に表示されるか否かに応じて表示態様が異なるので、遊技者の動作を促進する演出のバリエーションをさらに豊富化し、より一層遊技の興趣を向上させることができる。
【０２１１】
第２領域２０６Ｆ００２にボタン画像２０６Ｆ００３が貯留表示されるときには、槍形状の武器が除去された円形のボタン画像であり、第１領域２０６Ｆ００１に貯留表示されるときとは異なる表示態様で貯留表示される（図８（Ｂ）参照）。このように、第１領域２０６Ｆ００１と、第２領域２０６Ｆ００２とを含む特定表示領域２０６Ｆ０００において複数のボタン画像２０６Ｆ００３を事前に表示可能であることにより、遊技者の動作を促進する演出のバリエーションを豊富化し、遊技の興趣を向上させることができる。また、第１領域２０６Ｆ００１に表示されるボタン画像２０６Ｆ００３のような動作促進示唆画像と、第２領域２０６Ｆ００２に表示されるボタン画像２０６Ｆ００３のような動作促進示唆画像とで表示態様が異なることにより、表示領域に応じた表示態様となるので、遊技者の動作を促進する演出のバリエーションをさらに豊富化し、より一層遊技の興趣を向上させることができる。
【０２１２】
ボタン画像の貯留放出演出のうち、ボタン画像の放出演出は、次のように実行される。図８（Ｂ）に示すように、飾り図柄の可変表示中において、第１回目の放出タイミングとなると、第１領域２０６Ｆ００１および第２領域２０６Ｆ００２よりなる特定表示領域２０６Ｆ０００に貯留表示されたボタン画像２０６Ｆ００３が、第１領域２０６Ｆ００１が回転することに伴なって、第１領域２０６Ｆ００１に貯留された画像から順番に放出されていく。例えば、第１領域２０６Ｆ００１が回転して貯留表示されたボタン画像２０６Ｆ００３が所定位置に達したときにそれぞれの所定位置からボタン画像２０６Ｆ００３が１個ずつ連続的に放出表示されてもよく、第１領域２０６Ｆ００１が回転しながらボタン画像２０６Ｆ００３が貯留表示された全ての位置からボタン画像２０６Ｆ００３が一度に放出表示されてもよい。
【０２１３】
第１領域２０６Ｆ００１から放出されたボタン画像２０６Ｆ００３は、画面中央部の表示領域まで移動表示され、画面中央部において、「押せ！」という操作を促進するメッセージ画像と一列に並んで表示されることにより、遊技者によるプッシュボタン３１Ｂ等の操作手段の操作動作を促進する動作促進画像に変更表示される。このような動作促進画像としてのボタン画像２０６Ｆ００３は、特定表示領域２０６Ｆ０００以外の表示領域以外の表示領域であれば、固定的な表示領域に限らず非固定的な表示領域（ランダムに変更可能な表示領域等）等、どのような表示領域に表示してもよい。
【０２１４】
１回のボタン画像の放出演出で放出されるボタン画像２０６Ｆ００３の個数は、複数種類の演出パターン（図１０参照）のうちから選択決定された演出パターンに応じた個数に決定される。このような放出表示は、１回の可変表示中に複数回（この実施の形態では２回）実行され、第１領域２０６Ｆ００１の４つの貯留部が空き貯留部となったときにおいて、第２領域２０６Ｆ００２にボタン画像２０６Ｆ００３が貯留されているときには、図８（Ｂ）の破線矢印に示すように、第２領域２０６Ｆ００２から第１領域２０６Ｆ００１の空き貯留部にボタン画像２０６Ｆ００３が移動表示され、第１領域２０６Ｆ００１からさらに放出可能となる。
【０２１５】
そして、第１領域２０６Ｆ００１で表示されていたボタン画像２０６Ｆ００３が放出表示されたことに基づいて、第２領域２０６Ｆ００２で表示されていたボタン画像２０６Ｆ００３を第１領域２０６Ｆ００１に移動表示させることにより、遊技者の動作を促進する演出に間を持たせることが可能となるので、遊技者の動作を促進する演出のバリエーションをさらに豊富化し、より一層遊技の興趣を向上させることができる。
【０２１６】
また、第１領域２０６Ｆ００１で表示されていたボタン画像２０６Ｆ００３が放出表示されて動作作促進画像に変更表示されたときに、第２領域２０６Ｆ００２で表示されていたボタン画像２０６Ｆ００３を第１領域２０６Ｆ００１に移動表示させるというような所定動作が第１領域２０６Ｆ００１で実行される。例えば、これにより、動作促進画像への変更表示に対応した第１表示領域の動作が可能となるので、遊技者の動作を促進する演出のバリエーションをさらに豊富化し、より一層遊技の興趣を向上させることができる。
【０２１７】
第２領域２０６Ｆ００２から第１領域２０６Ｆ００１にボタン画像２０６Ｆ００３が移動表示されたときには、それに伴い、第１領域２０６Ｆ００１内で、移動してきたボタン画像２０６Ｆ００３が複数の貯留部で第１領域２０６Ｆ００１の回転方向にシフトする移動態様で移動表示されるとともに、図８（Ｂ）の破線矢印に示す方向に並ぶ順番（貯留時と逆の順番）に従い、第２領域２０６Ｆ００２内でボタン画像２０６Ｆ００３が１つずつシフトする移動態様で移動表示されていく。第２領域２０６Ｆ００２から第１領域２０６Ｆ００１に移動表示されたボタン画像２０６Ｆ００３は、図８（Ｂ）に示すように、槍形状の武器が付加された形状のボタン画像２０６Ｆ００３に変更表示され、放出表示可能となる。
【０２１８】
このように、第１領域２０６Ｆ００１と第２領域２０６Ｆ００２とのそれぞれの表示領域内で、ボタン画像２０６Ｆ００３が移動表示可能であり、第１領域２０６Ｆ００１と第２領域２０６Ｆ００２とで移動表示態様が異なる。これにより、表示領域に応じた移動表示態様でボタン画像２０６Ｆ００３を移動表示させることが可能となるので、遊技者の動作を促進する演出のバリエーションをさらに豊富化し、より一層遊技の興趣を向上させることができる。
【０２１９】
ボタン画像の放出演出によりボタン画像２０６Ｆ００３が放出表示されるときには、放出されて操作動作促進表示に変更表示されたボタン画像個数が「放出×３！」というような放出数画像として表示される。これにより、遊技者に正確な放出数を報知することができる。また、「放出×３！」というような放出数画像の表示がされることにより、一契機の動作対応演出（１回実行される動作対応演出）に対応して、貯留表示されたボタン画像２０６Ｆ００３のような動作促進示唆画像から放出表示されたボタン画像２０６Ｆ００３のような動作促進画像に変更表示された画像数を特定可能な特別画像が表示可能である。これにより、遊技者の動作を促進する演出のバリエーションをさらに豊富化し、かつ、遊技者が変更表示された画像数を特定しやすくなるので、より一層遊技の興趣を向上させることができる。
【０２２０】
また、貯留演出および放出演出のそれぞれにおいては、画面右下隅部において、第１領域２０６Ｆ００１および第２領域２０６Ｆ００２よりなる特定表示領域２０６Ｆ０００に貯留表示されているボタン画像２０６Ｆ００３の数をディジタル数字により表示するためのアイコン画像としてのボタン画像貯留数表示アイコン画像２０６Ｆ００５が表示される。これにより、特定表示領域２０６Ｆ０００に貯留表示されているボタン画像２０６Ｆ００３が増減しても、貯留表示数を正確に報知することができ、特定表示領域２０６Ｆ０００に貯留表示されているボタン画像２０６Ｆ００３の数が容易に視認可能となるので、遊技者の動作を促進する演出のバリエーションをさらに豊富化し、より一層遊技の興趣を向上させることができる。
【０２２１】
図８（Ｃ）に示す通常ボタン画像演出では、図中の破線で示した第１領域２０６Ｆ００１と第２領域２０６Ｆ００２とからなる特定領域２０６Ｆ０００で図８（Ａ），（Ｂ）に示すようなボタン画像の貯留放出演出が実行されない。
【０２２２】
図８（Ｃ）では、図８（Ａ），（Ｂ）に示すような特定領域２０６Ｆ０００から放出表示されたボタン画像２０６Ｆ００３ではなく、特定領域２０６Ｆ０００で貯留されていなかった円形の通常のボタン画像２０６Ｆ００８が出現表示された状態が示されている。図８（Ｃ）に示す通常ボタン画像演出では、特定領域２０６Ｆ０００において、第１領域２０６Ｆ００１および第２領域２０６Ｆ００２が背景画像的な画像として表示されているが、ボタン画像２０６Ｆ００３の貯留表示および放出表示に関する演出が実行されない。
【０２２３】
図８（Ｃ）に示すような通常ボタン画像演出では、画像表示装置５において、縮小化されて画面左下隅部に小図柄として表示された「左」、「中」、「右」の各飾り図柄表示エリア５Ｌ、５Ｃ、５Ｒにおける飾り図柄の可変表示中において、例えば、味方キャラクタ２０６Ｆ００６と、敵キャラクタ２０６Ｆ００７とが戦うバトル画像が表示され、所定タイミングで遊技者がボタンを操作する動作を促進する演出として、円形のボタン画像２０６Ｆ００８が、特定領域２０６Ｆ０００を用いる貯留放出演出が実行されていない状態で貯留放出演出とは無関係な態様で出現表示されるととともに、「押せ！」という操作を促進するメッセージを示す画像が表示される。
【０２２４】
図８（Ｃ）のボタン画像２０６Ｆ００８は、図８（Ａ），（Ｂ）で説明するようなボタン画像の貯留放出演出で放出表示されるボタン画像２０６Ｆ００３と形状が異なるような表示態様が異なるボタン画像である。具体的には、図８（Ｃ）のボタン画像２０６Ｆ００８は、図８（Ａ），（Ｂ）のボタン画像２０６Ｆ００３に含まれる槍画像（図中太線矢印の画像）が含まれていない。このように、ボタン画像２０６Ｆ００８が、貯留表示から放出されたときと、貯留表示とは関係なく出現表示されたときとで表示態様が異なることにより、遊技者が、ボタン画像について、貯留表示から放出されたときと、貯留表示とは関係なく出現表示されたときとの区別に関して、遊技者に誤認を与えにくくすることができる。
【０２２５】
図８（Ｃ）のボタン画像２０６Ｆ００８が表示された状態で遊技者がプッシュボタン３１Ｂ等の操作手段を１回操作すると、その動作がプッシュセンサ３５Ｂにより検出されることに基づいて、成功演出または失敗演出が実行される。
【０２２６】
この場合の成功演出は、例えば、味方キャラクタ２０６Ｆ００６が勝利し、擬似連の演出が開始される、スーパーリーチの演出に発展する、または、大当り図柄が停止表示される等、遊技者にとって有利な状態となることを示唆する演出である。一方、この場合の失敗演出は、例えば、味方キャラクタ２０６Ｆ００６が敗北し、擬似連の演出が開始されない、スーパーリーチの演出に発展しない、または、大当り図柄が停止表示されない等、遊技者にとって有利な状態となることを示唆しない演出である。
【０２２７】
なお、図８（Ａ），（Ｂ）に示すようなボタン画像の貯留放出演出が実行される可変表示においては、貯留放出演出により放出表示された図８（Ｂ）のような特別な形状のボタン画像２０６Ｆ００３が表示される演出と、貯留表示とは関係なく出現表示された図８（Ｃ）のような通常の形状のボタン画像２０６Ｆ００８が表示される演出とを所定の割合で選択して実行可能としてもよい。このようにすれば、遊技者の動作を促進する演出のバリエーションをさらに豊富化し、より一層遊技の興趣を向上させることができる。
【０２２８】
次に、図８に示した貯留放出演出における成功演出の制御例として、放出表示された個数の全てのボタン画像２０６Ｆ００３に対応する回数の遊技者の動作（操作）が検出されたときに制御演出が表示される第１演出制御例と、放出表示された個数のうち一部のボタン画像２０６Ｆ００３に対応する回数の遊技者の動作（操作）が検出されたときに制御演出が表示される第２演出制御例とについて説明する。
【０２２９】
図９は、貯留放出演出における成功演出の第１演出制御例および第２演出制御例を示すタイミングチャートである。図９（Ａ）には、貯留放出演出における成功演出の第１演出制御例が示されている。図９（Ｂ）には、貯留放出演出における成功演出の第２演出制御例が示されている。図９（Ａ），（Ｂ）のそれぞれでは、ボタン画像表示の状態と、ボタン操作検出の状態と、成功演出表示の状態との関係が時間経過に応じて示されている。
【０２３０】
図９（Ａ），（Ｂ）では、１０個のボタン画像２０６Ｆ００３が成功演出表示の実行前に放出表示され、遊技者によるプッシュボタン３１Ｂの操作動作がプッシュセンサ３５Ｂにより検出されると、１回の検出ごとに１個のボタン画像２０６Ｆ００３が消化表示される（消える）演出表示がされる。
【０２３１】
図９（Ａ）の第１演出制御例では、放出表示された１０個のうち全てのボタン画像２０６Ｆ００３に対応する回数（１０回）の遊技者の操作動作が検出されたことに応じて、成功演出表示の実行が開始される。
【０２３２】
一方、図９（Ｂ）の第１演出制御例では、放出表示された１０個のうち一部（例えば、３個）のボタン画像２０６Ｆ００３に対応する回数（３回）の遊技者の操作動作が検出されたことに応じて、成功演出表示の実行が開始される。そして、放出表示された１０個のうち、遊技者の操作動作の検出に応じて消化表示（消える）された３個以外に、余った７個のボタン画像２０６Ｆ００３を特定表示領域２０６Ｆ０００に戻すボタン画像戻し貯留表示の演出が実行される。
【０２３３】
このように貯留放出演出では、図９（Ａ）のように、放出表示されたボタン画像２０６Ｆ００３のうち全てに対応する回数の操作動作が検出されたことに応じて、成功演出表示の実行が開始される場合と、図９（Ｂ）のように、放出表示されたボタン画像２０６Ｆ００３のうち一部に対応する回数の遊技者の操作動作が検出されたことに応じて、成功演出表示の実行が開始される場合とがある。これにより、遊技者の動作と演出の変化との関係にバリエーションを持たせることができる。そして、遊技者の動作を促進する演出のバリエーションをさらに豊富化し、より一層遊技の興趣を向上させることができる。
【０２３４】
また、貯留放出演出では、図９（Ｂ）のボタン画像戻し貯留表示のように、放出表示されたボタン画像２０６Ｆ００３のような動作促進画像のうち一部に対応する回数の遊技者の操作動作が検出されたことに応じて、成功演出表示の実行が開始される場合において、残余の動作促進画像を貯留表示されたボタン画像２０６Ｆ００３のような動作促進示唆画像に変更表示することがある。これにより、遊技者の動作を促進する演出のバリエーションをさらに豊富化し、より一層遊技の興趣を向上させることができる。
【０２３５】
このような貯留放出演出における遊技者の操作動作回数と、動作対応演出との関係に関する第１演出制御例および第２演出制御例は、貯留放出演出において失敗演出が行われるときにも実行される。なお、このような遊技者の操作動作回数と、動作対応演出との関係に関する第１演出制御例および第２演出制御例は、貯留放出演出において成功演出が行われるときにのみ実行されるようにしてもよい。
【０２３６】
次に、貯留放出演出のために使用されるデータテーブルを説明する。以下に示す各種データテーブルは、ＲＯＭ１２１に記憶されている。図１０は、ボタン画像の貯留放出演出のために使用される各種データテーブルを示す図である。
【０２３７】
図１０（Ａ）のボタン画像使用個数選択テーブルは、一連の貯留放出演出において使用（貯留、放出）されるボタン画像２０６Ｆ００３の合計個数（以下、ボタン画像使用個数という）を選択決定するために用いられる。図１０（Ａ）のボタン画像使用個数選択テーブルでは、一連の貯留放出演出において使用（貯留、放出）されるボタン画像２０６Ｆ００３の合計個数（以下、ボタン画像使用個数という）の種類と、演出選択用乱数ＳＲ２の割振り（合計１００個のＳＲ２の割振られた数値の個数）との対応関係が示されている。
【０２３８】
ボタン画像使用個数選択テーブルは、ＳＲ２の割振りが、大当り表示結果となるときには、「２０個＞１５個＞１０個」という関係で、ボタン画像使用個数が多い程選択割合が高くなり、はずれ表示結果となるときは、その逆の関係で、ボタン画像使用個数が少ない程、選択割合が高くなるようにデータが設定されている。これにより、一連の貯留放出演出において使用されるボタン画像２０６Ｆ００３の個数が多くなる程大当り期待度が高くなり、遊技者の期待感を向上させることができる。
【０２３９】
図１０（Ｂ）〜（Ｄ）のボタン画像使用演出選択テーブルは、図１０（Ａ）のボタン画像使用個数選択テーブルで選択決定されたボタン画像使用個数別に、貯留放出演出の演出パターンについて、複数種類の演出パターンから実行する演出パターンを選択決定するために用いられる。
【０２４０】
図１０（Ｂ）〜（Ｄ）の各ボタン画像使用演出選択テーブルでは、第１回貯留表示個数、第１回放出表示個数、第２回貯留表示個数、および、第２回放出表示個数が予め定められた複数種類の演出パターンのそれぞれについて、大当り決定時（表示結果が大当り表示結果となる可変表示時）と、はずれ決定時（表示結果がはずれ表示結果となる可変表示時）とに分けて演出選択用乱数ＳＲ３の割振り（合計１５０個のＳＲ３の割振られた数値の個数）との対応関係が示されている。
【０２４１】
図１０（Ｂ）は、ボタン画像２０個使用決定時に用いられるボタン画像２０個使用演出選択テーブルである。図１０（Ｃ）は、ボタン画像１５個使用決定時に用いられるボタン画像１５個使用演出選択テーブルである。図１０（Ｄ）は、ボタン画像１０個使用決定時に用いられるボタン画像１０個使用演出選択テーブルである。
【０２４２】
図１０（Ｂ）〜（Ｄ）に示すように、この実施の形態では、ボタン画像の貯留放出演出として貯留演出および放出演出よりなる１組の演出が、２回に亘り実行された後、動作（操作）対応演出としての成功演出か失敗演出が実行される。図中において、「第１回貯留表示個数」は、１回目の貯留演出において貯留表示されるボタン画像２０６Ｆ００３の個数である。「第１回放出表示個数」は、１回目の放出演出において放出表示されるボタン画像２０６Ｆ００３の個数である。「第２回貯留表示個数」は、２回目の貯留演出において貯留表示されるボタン画像２０６Ｆ００３の個数である。「第２回放出表示個数」は、２回目の放出演出において放出表示されるボタン画像２０６Ｆ００３の個数である。図１０（Ｂ）〜（Ｄ）の演出パターンの欄においては、各演出が終了した時点でのボタン画像２０６Ｆ００３の貯留数が括弧書きで示されている。
【０２４３】
例えば、図１０（Ｂ）に示す第１貯留放出演出は、第１回目の貯留演出で１１個のボタン画像が新たに貯留表示され、貯留演出終了時点で合計１１個のボタン画像が貯留表示される。そして、第１回目の放出演出で７個のボタン画像が放出表示され、その放出演出終了時点で合計４個のボタン画像が貯留表示されて残る。次に、第２回目の貯留演出で９個のボタン画像が新たに貯留表示され、貯留演出終了時点で合計１３個のボタン画像が貯留表示される。そして、第２回目の放出演出で１３個のボタン画像が放出表示され、その放出演出終了時点でボタン画像は、貯留表示数は合計０個とされて残らない。
【０２４４】
図１０（Ｂ）〜（Ｄ）に示すボタン画像の貯留放出演出では、例えば、貯留表示された複数の動作促進示唆画像であるボタン画像２０６Ｆ００３を、例えば２回のような所定回数に分割して、遊技者による操作動作を促進する動作促進画像に変更表示可能である。これにより、遊技者の動作を促進する演出のバリエーションを豊富化し、遊技の興趣を向上させることができる。
【０２４５】
また、図１０（Ａ）〜（Ｄ）のように、大当り時に放出（使用）するボタン画像数の選択割合と、はずれ時に放出（使用）するボタン画像数の選択割合とが異なる。これにより、貯留表示されたボタン画像２０６Ｆ００３のような動作促進示唆画像から、放出表示されたボタン画像２０６Ｆ００３のような動作促進画像に変更表示された画像数に応じて遊技者にとって有利な状態となることを示唆する演出が実行される割合が異なることにより、遊技者の動作を促進する演出のバリエーションをさらに豊富化し、より一層遊技の興趣を向上させることができる。
【０２４６】
図１０（Ｂ）〜（Ｄ）に示すボタン画像の貯留放出演出では、予め定められた個数のボタン画像のうちの全部の個数のボタン画像が使用（放出）される。しかし、これに限らず、ボタン画像の貯留放出演出では、予め定められた個数のボタン画像のうちの一部の個数のボタン画像が使用される（放出）演出パターンで実行されてもよい。例えば、予め定められた個数のボタン画像の全部が出現して貯留されるが、一連の貯留放出演出の終了時点で一部のボタン画像が貯留表示状態で残留する演出をしてもよい。
【０２４７】
図１０（Ｂ）〜（Ｄ）に示すボタン画像の貯留放出演出では、１回目の貯留放出演出と、２回目の貯留放出演出とのそれぞれで、貯留および放出されるボタン画像の個数が多い程、大当り表示結果となる期待度が高いので、貯留演出および放出演出で表示されるボタン画像の演出状況を視認することにより、遊技者の大当りに対する期待感を高めることができる。例えば、「第１〜第３貯留放出演出＞第４〜第６貯留放出演出＞第７〜第９貯留放出演出」というような関係により、演出パターンによる大当りの期待度が異なる。
【０２４８】
なお、１回目の貯留放出演出で表示されるボタン画像の個数が多い程、大当りとなる期待度が高くなるような演出の選択方法を設定してもよく、逆に、２回目の貯留放出演出で表示されるボタン画像の個数が多い程、大当りとなる期待度が高くなるような演出パターンの選択態様を設定してもよい。また、貯留放出演出中におけるボタン画像の最大貯留個数が多い程、大当りとなる期待度が高くなるよう演出パターンの選択態様を設定してもよい。
【０２４９】
図１０（Ｂ）〜（Ｄ）に示すボタン画像の貯留放出演出では、図９に示す１回実行される成功演出表示のような動作対応演出に対応して、複数のボタン画像２０６Ｆ００３を放出して動作促進画像を表示可能である。これにより、一契機の動作対応演出に対応して複数の動作促進画像を表示可能であることにより、遊技者の動作を促進する演出のバリエーションをさらに豊富化し、より一層遊技の興趣を向上させることができる。
【０２５０】
図１０（Ｅ）のボタン画像演出成功失敗操作検出数選択テーブルは、２回目の貯留放出演出で、ボタン画像の貯留放出演出の実行後に成功演出または失敗演出を実行する場合において、成功演出または失敗演出の実行を開始する条件となる遊技者によるプッシュボタン３１Ｂの操作による操作検出数を選択決定するためのデータテーブルである。
【０２５１】
図１０（Ｅ）のボタン画像演出成功失敗操作検出数選択テーブルでは、全個数操作検出と３個操作検出という２種類の操作検出数と、演出選択用乱数ＳＲ４の割振り（合計１６０個のＳＲ４の割振られた数値の個数）との対応関係が示されている。
【０２５２】
ボタン画像演出成功失敗操作検出数選択テーブルは、ＳＲ４の割振りが、「全個数操作検出＞３個操作検出」という関係で、基本的に全個数分の操作検出がされたときに成功演出または失敗演出が実行され、たまに３個分というような一部個数分の操作演出がされたときに成功演出または失敗演出が実行されるようにデータが設定されている。これにより、たまに全部の個数分の操作をしなくても途中で成功演出または失敗演出が実行されることがあるので、遊技者に演出の意外感を与えられるため、演出の面白みを向上させることができる。
【０２５３】
なお、ＳＲ４の割振りは、「全個数操作検出＜３個操作検出」というような逆の関係に設定してもよい。また、一部個数分の操作演出がされたときに成功演出または失敗演出が実行されるようにデータを設定する場合には、１個検出、２個検出、３個操作検出…というように、一部個数分の操作演出がされたときに成功演出または失敗演出が実行されるケースを複数種類選択可能なようにデータを設定してもよい。
【０２５４】
図１１は、図８（Ａ）に示したような貯留予告演出の予告演出パターンを選択決定するための貯留予告演出選択テーブルである。貯留予告演出選択テーブルは、ＲＯＭ１２１に記憶されている。
【０２５５】
ボタン画像の貯留演出が実行される場合には、図８（Ａ）に示すように、貯留予告演出が実行された後、ボタン画像２０６Ｆ００３が貯留表示される演出が実行される。貯留予告演出は、基本予告演出、フリーズ予告演出、タッチセンサ予告演出、および、セリフ予告演出というような複数種類の予告演出のうちから選択されたものが実行される。これらの複数種類の貯留予告演出は、個数示唆演出でもあり、複数種類の演出態様から選択された演出態様で個数示唆演出が実行されることにより、遊技者の動作を促進する演出のバリエーションをさらに豊富化し、より一層遊技の興趣を向上させることができる。
【０２５６】
基本予告演出は、図８（Ａ）に示すストック用ボタンアイコン画像２０６Ｆ００４が特有の演出を伴なわずに直接的に表示される基本的な予告演出である。フリーズ予告演出は、画像表示がフリーズ状態（画像動作が中断して停止した状態）となった後、フリーズ状態が解除されて、追加貯留表示数におうストック用ボタンアイコン画像２０６Ｆ００４が表示される特別な予告演出である。タッチセンサ予告演出は、「画面にタッチして！」というような遊技者動作の動作促進表示がされた後、遊技者が手を画面に接触させると、その接触が検出された後、ストック用ボタンアイコン画像２０６Ｆ００４が表示される特別な予告演出である。パチンコ遊技機１においては、画像表示装置５の表示領域（全領域でも一部領域でもよい）にタッチパネルが設けられており、タッチパネルへの遊技者の接触を検出するためのタッチセンサも設けられている。タッチセンサの検出信号は、演出制御用ＣＰＵ１２０に入力される。セリフ予告演出は、所定のキャラクタ画像が表示されてそのキャラクタが特定のセリフを話す表示がされた後、ストック用ボタンアイコン画像２０６Ｆ００４が表示される特別な予告演出である。
【０２５７】
図１１に示すように、この実施の形態では、ボタン画像の貯留予告演出が１回目の貯留表示時と、２回目の貯留表示時との２回の貯留表示時に実行される。図中において、「第１回貯留表示時」は、１回目の貯留演出時における貯留表示前に実行される貯留予告演出の種類が設定され、「第２回貯留表示時」は、２回目の貯留演出時における貯留表示前に実行される貯留予告演出の種類が設定されている。
【０２５８】
例えば、貯留予告演出としては、第１〜第４貯留予告演出の４種類の貯留予告演出が選択可能に設定されており、例えば、第１貯留予告演出は、第１回目の貯留表示時に基本予告演出を実行し、第２回目の貯留表示時にフリーズ予告演出を実行する予告演出パターンである。第２貯留予告演出は、第１回目の貯留表示時に基本予告演出を実行し、第２回目の貯留表示時にタッチセンサ予告演出を実行する予告演出パターンである。第３貯留予告演出は、第１回目の貯留表示時に基本予告演出を実行し、第２回目の貯留表示時にセリフ予告演出を実行する予告演出パターンである。第４貯留予告演出は、第１回目の貯留表示時に基本予告演出を実行し、第２回目の貯留表示時にさらに基本予告演出を実行する予告演出パターンである。
【０２５９】
このように、複数種類の演出態様から選択された演出態様で貯留予告演出が実行されることにより、遊技者の動作を促進する演出のバリエーションをさらに豊富化し、より一層遊技の興趣を向上させることができる。
【０２６０】
図１１の貯留予告演出選択テーブルでは、第１回貯留表示時の予告演出と、第２回貯留表示時の予告演出とが予め定められた複数種類の演出パターンのそれぞれについて、大当り決定時（表示結果が大当り表示結果となる可変表示時）と、はずれ決定時（表示結果がはずれ表示結果となる可変表示時）とに分けて、演出選択用乱数ＳＲ５の割振り（合計１７０個のＳＲ５の割振られた数値の個数）との対応関係が示されている。
【０２６１】
貯留予告演出選択テーブルは、ＳＲ５の割振りが、大当り表示結果となるときには、「第１貯留予告演出＞第２貯留予告演出＞第３貯留予告演出＞第４貯留予告演出」という関係が設定され、はずれ表示結果となるときには、「第１貯留予告演出＜第２貯留予告演出＜第３貯留予告演出＜第４貯留予告演出」という関係が設定されている。これにより、基本予告演出の種類の大当りに対する期待度は、「フリーズ予告演出＞タッチセンサ予告演出＞セリフ予告演出＞基本予告演出」という関係が設定されている。このような設定により、フリーズ予告演出、タッチセンサ予告演出、または、セリフ予告演出のような基本予告演出以外の貯留予告演出が実行されたときには、基本予告演出が実行されたときと比べて、遊技者の大当りに対する期待感を高めることができるので、演出の面白みが向上し、遊技の興趣を向上させることができる。また、「フリーズ予告演出＞タッチセンサ予告演出＞セリフ予告演出」という基本予告演出以外の貯留予告演出の大当りに対する期待度の関係により、貯留予告演出の種類に応じて、遊技者の大当りに対する期待感を高めることができる。
【０２６２】
なお、図１１では、第１回貯留表示時について基本予告演出のみが選択される例を示したが、これに限らず、フリーズ予告演出、タッチセンサ予告演出、または、セリフ予告演出のような、その他の予告演出が選択可能となるような予告演出パターンを設定してもよい。このようにすれば、複数回実行される貯留予告演出の種類の組合せに応じて、遊技者の大当りに対する期待感を高めることができる。
【０２６３】
次に、図８〜図１１で説明したボタン画像の貯留放出演出を実行するための演出設定を行う特別操作演出設処理を説明する。特別操作演出設処理は、図７の可変表示開始設定処理（Ｓ１７１）における一部の処理として実行される。
【０２６４】
図１２は、特別操作演出設処理を示すフローチャートである。特別操作演出設処理においては、まず、今回の可変表示は、複数種類のスーパーリーチのうちの特定のスーパーリーチの変動パターンコマンド、または、複数種類のノーマルリーチの内の特定のノーマルリーチに基づく可変表示であるか否かを判断することにより、ボタン画像の貯留放出演出を実行する変動パターンの可変表示であるか否かを、今回の可変表示の開始時に演出制御用ＣＰＵ１２０側で受信した変動パターンコマンドの種類を確認することにより判断する（２０６ＦＳ００１）。
【０２６５】
ボタン画像の貯留放出演出を実行する可変表示でないときは、処理を終了する。一方、ボタン画像の貯留放出演出を実行する可変表示であるときは、演出選択用乱数ＳＲ２を抽出し、図１０（Ａ）のボタン画像使用個数選択テーブルを用いて、ＳＲ２の抽出値に対応するボタン画像使用個数を選択決定する（２０６ＦＳ００２）。これにより、ボタン画像使用個数が、２０個、１５個、又は１０個のいずれかに決定される。
【０２６６】
次に、演出選択用乱数ＳＲ３を抽出し、２０６ＦＳ００２で決定したボタン画像使用個数（２０個、１５個、又は１０個）に応じたボタン画像使用演出選択テーブルを、図１０（Ｂ）〜（Ｄ）のボタン画像使用演出選択テーブルのうちから選択する。そして、選択したボタン画像使用演出選択テーブルを用いて、ＳＲ３の抽出値に対応する貯留放出演出の演出パターンを選択決定する（２０６ＦＳ００３）。これにより、ボタン画像の貯留放出演出が、図１０（Ｂ）〜（Ｄ）の第１〜第９貯留放出演出のうちのいずれかの演出パターンに決定される。そして、決定された貯留放出演出の演出パターンを実行するための演出データ設定をする（２０６ＦＳ００４）。
【０２６７】
次に、演出選択用乱数ＳＲ４を抽出し、図１０（Ｅ）のボタン画像演出成功失敗操作検出選択テーブルを用いて、ＳＲ４の抽出値に対応するボタン画像演出成功失敗操作検出数を選択決定する（２０６ＦＳ００５）。これにより、ボタン画像演出成功失敗操作検出数が、全個数操作検出と３個操作検出とのうちのいずれかに決定される。
【０２６８】
次に、ボタン画像演出成功失敗操作検出数が全個数操作検出に決定されたか否かを確認する（２０６ＦＳ００６）。全個数操作検出に決定されたときには、決定された全個数操作検出の演出パターンを実行するための演出データ設定をし（２０６ＦＳ００７）、一方、全個数操作検出に決定されていないとき（３個操作検出に決定時）には、決定された３個操作検出の演出パターンを実行するための演出データ設定をする（２０６ＦＳ００８）。そして、図９（Ｂ）に示すような、ボタン画像の戻し貯留表示の演出においてボタン画像を戻す個数を演算により決定する（２０６ＦＳ００９）。例えば、ボタン画像の放出個数が１０個で３個操作検出により成功演出が実行されたときには、「１０個−３個＝７個」が、ボタン画像を戻す個数として決定される。
【０２６９】
次に、演算により決定された個数のボタン画像を戻すボタン画像戻し貯留表示の演出パターンを実行するための演出データ設定をし（２０６ＦＳ０１０）、２０６ＦＳ０１１に進む。
【０２７０】
２０６ＦＳ０１１では、貯留放出演出における貯留演出時に実行する貯留予告演出を実行するために、演出選択用乱数ＳＲ５を抽出し、図１１の貯留予告演出選択テーブルを用いて、ＳＲ５の抽出値に対応する貯留予告演出の予告演出パターンを選択決定する（２０６ＦＳ０１１）。これにより、ボタン画像の貯留予告演出が、第１〜第４貯留予告演出のうちのいずれかの予告演出パターンに決定される。そして、決定された貯留予告演出の予告演出パターンを実行するための演出データ設定をし（２０６ＦＳ０１２）、処理を終了する。
【０２７１】
このように、特別操作演出設定処理でボタン画像の貯留放出演出の演出パターンを実行するための演出データ設定がされると、図７の可変表示中演出処理（Ｓ１７２）により、飾り図柄の可変表示が実行されるときに、設定された演出データに基づいたボタン画像の貯留放出演出が所定タイミングで実行される。これにより、図８および図９に示したようなボタン画像の貯留放出演出が可変表示中に実行されることとなる。
【０２７２】
なお、図１２の特別操作演出設定処理に関しては、次のような変形例を用いてもよい。２０６ＦＳ００１において、特定のスーパーリーチの変動パターンコマンド、または、特定のノーマルリーチに基づく可変表示が実行されるときのような特定条件が成立したときに、１００％の割合でボタン画像の貯留放出演出が実行される判断をする例を示した。しかし、これに限らず、特定条件が成立したときに、１００％未満の所定割合でボタン画像の貯留放出演出が実行される判断をするようにしてもよい。また、ボタン画像の貯留放出演出は、スーパーリーチに関しては、複数種類のスーパーリーチの変動パターンのうち、特別なスーパーリーチの変動パターンが実行されるときにのみ実行される判断をするようにしてもよく、複数種類のスーパーリーチの変動パターンのうち、全てのスーパーリーチの変動パターンが実行されるときに実行されるようにしてもよい。
【０２７３】
また、２０６ＦＳ００１において、特定のスーパーリーチの変動パターンコマンド、または、特定のノーマルリーチに基づく可変表示が実行されるときに、ボタン画像の貯留放出演出を実行する判断をする例を示した。しかし、これに限らず、リーチとならない非リーチではずれ表示結果となる可変表示が実行されるときも、所定の割合でボタン画像の貯留放出演出を実行可能となるようにしてもよい。また、ボタン画像の貯留放出演出は、スーパーリーチとなる可変表示のうち、擬似連の演出が実行されるスーパーリーチの可変表示を対象として実行可能となる例を示した。しかし、これに限らず、擬似連の演出が実行されないスーパーリーチの可変表示を対象として実行可能となるようにしてもよい。また、ボタン画像の貯留放出演出は、スーパーリーチとなる可変表示のみを対象として実行可能となるようにしてもよい。
【０２７４】
また、ボタン画像の貯留放出演出については、貯留したボタン画像２０６Ｆ００３の全てを放出演出で消化するようにしてもよく、貯留したボタン画像２０６Ｆ００３の一部が残るような態様で貯留したボタン画像２０６Ｆ００３を消化するようにしてもよい。貯留したボタン画像２０６Ｆ００３の全てを放出演出で消化するか否かは、演出全体の流れにおいて違和感が生じないような表示態様となるのであれば、どちらを採用してもよい。ボタン画像の貯留放出演出において、貯留したボタン画像２０６Ｆ００３の一部が残る演出をする場合には、残ったボタン画像２０６Ｆ００３をリセットする態様で消去してもよく、その後に実行する特定の演出で使用するようにしてもよい。特に、ノーマルリーチ（表示結果ははずれ）となる可変表示、および、リーチとならない非リーチ（表示結果ははずれ）の可変表示が実行されるときには、演出の進行上、一部残ったボタン画像２０６Ｆ００３を消去してリセットする演出を実行することが一般的に考えられるが、その場合には、消去してリセットせずに、当該可変表示の実行中のいずれかのタイミングで使用（放出して消化）するようにすることが好ましい。
【０２７５】
また、貯留予告演出は、ボタン画像の貯留表示をするときに１００％の割合で実行する例を示した。しかし、これに限らず、貯留予告演出は、ボタン画像の貯留表示をするときに１００％未満の所定割合で実行するようにしてもよい。例えば、ストック用ボタンアイコン画像２０６Ｆ００４を表示するような貯留予告演出をせずにボタン画像２０６Ｆ００３の貯留表示数を増加させる演出を、所定割合で実行してもよい。
【０２７６】
〔遊技者動作非検出時の演出制御例〕
次に、貯留表示されていた複数の動作促進示唆画像であるボタン画像２０６Ｆ００３が放出表示されて動作促進画像としてのボタン画像２０６Ｆ００３に変更表示されたときにおいて、プッシュセンサ３５Ｂにより遊技者の動作が検出されなかったときは、変更表示された全ての動作促進画像を消化して動作対応演出を実行し、かつ、その動作対応演出が、前述のように放出表示されたボタン画像２０６Ｆ００３のうち一部（例えば、３個）に対応する回数の遊技者の操作動作が検出されたことに応じて成功演出表示の実行が開始され、ボタン画像戻し貯留表示を実行する演出制御が設定されていた場合の演出制御例を説明する。
【０２７７】
この実施の形態では、図８（Ｂ）のように貯留表示されていた複数のボタン画像２０６Ｆ００３が放出演出により動作促進画像として表示されたときに、図１２の２０６ＦＳ０１０において図１０（Ｅ）のボタン画像演出成功失敗操作演出数選択テーブルを用いて一部回数動作の検出に応じて成功演出表示または失敗演出表示が実行される場合に、実際に遊技者が操作動作した場合に演出上残り、ボタン画像戻し貯留表示に残ったボタン画像２０６Ｆ００３が、特定表示領域２０６Ｆ０００に貯留表示として戻される場合がある。
【０２７８】
演出制御用ＣＰＵ１２０は、遊技者動作非検出時の演出制御例として、動作促進示唆画像であるボタン画像２０６Ｆ００３が放出表示されて動作促進画像としてのボタン画像２０６Ｆ００３に変更表示されたときにおいて、ボタン画像２０６Ｆ００３に変更表示されたときにおいて、予め定められた操作有効期間内において、プッシュセンサ３５Ｂにより遊技者の動作が検出されなかったときに、動作が検出されたときの演出表示に代えて、ボタン画像表示数に対応する回数の遊技者の動作が検出されて全ての動作促進画像が消化される場合と同様の表示を、変更表示された全ての動作促進画像を対象として実行する演出制御をしてもよい。
【０２７９】
そのような遊技者動作非検出時の演出制御を実行する場合において、実行対象となる演出が、一部回数動作の検出に応じて成功演出表示または失敗演出表示が実行される設定がされている場合には、前述したように残余のボタン画像２０６Ｆ００３を貯留表示に戻す演出が実行される。このため、成功演出表示等の実行後におけるボタン画像２０６Ｆ００３の合計貯留表示数を、遊技者動作検出時の演出後と、遊技者動作非検出時の演出後とで整合させるために、見た目上は動作促進画像として表示された全てのボタン画像２０６Ｆ００３を消化する表示をするが、その後、特定表示領域２０６Ｆ０００においては、遊技者動作検出時の演出が実行されたときの残余のボタン画像数と同じ画像数のボタン画像２０６Ｆ００３を貯留表示として戻す表示を実行する。
【０２８０】
残余のボタン画像数と同じ画像数のボタン画像２０６Ｆ００３を貯留表示として戻す表示は、ボタン画像２０６Ｆ００３の消化終了直後のタイミングで実行してもよく、ボタン画像２０６Ｆ００３の消化終了後において、成功演出および失敗演出のような所定の演出が実行された後のタイミングで実行してもよい。
【０２８１】
このような演出表示を実行すれば、複数の貯留表示されていたボタン画像２０６Ｆ００３が放出されて動作促進画像に変更表示されたときにおいて、遊技者の動作が検出されなかったときは、変更表示された全ての動作促進画像を消化して成功演出のような動作対応演出を実行し、かつ、当該動作対応演出の実行に必要とされた個数以外のボタン画像２０６Ｆ００３のような動作促進画像を貯留表示するボタン画像２０６Ｆ００３としての動作促進示唆画像に戻す演出が実行されることにより、遊技者の動作を促進する演出のバリエーションをさらに豊富化し、より一層遊技の興趣を向上させることができる。
【０２８２】
なお、遊技者動作非検出時の演出制御を実行する場合において、実行対象となる演出が、一部回数動作の検出に応じて成功演出表示または失敗演出表示が実行される設定がされている場合には、遊技者操作検出時と同様に一部のボタン画像２０６Ｆ００３を残して、前述のようなボタン画像戻し貯留表示を明確に視認可能な表示態様で実行してもよい。
【０２８３】
〔第２領域から第１領域への移動タイミングのその他の制御例〕
次に、特定表示領域２０６Ｆ０００における第２領域から２０６Ｆ００２第１領域２０６Ｆ００１への移動タイミングのその他の制御例を説明する。図８（Ｂ）に示す放出演出時における第１領域２０６Ｆ００１で空いた貯留部に第２領域２０６Ｆ００２で表示されていたボタン画像２０６Ｆ００３が移動表示されるタイミングとしては、一契機で放出表示されるボタン画像２０６Ｆ００３の個数に関わらず、放出演出の実行中のタイミングにおいて、第２領域から第１領域にボタン画像２０６Ｆ００３が移動表示される例を示した。
【０２８４】
しかし、一契機で放出表示されるボタン画像２０６Ｆ００３の個数により、第２領域２０６Ｆ００２から第１領域２０６Ｆ００１にボタン画像２０６Ｆ００３が移動表示されるタイミングを異ならせてもよい。例えば、一契機（１回）の放出演出時において、第１領域２０６Ｆ００１で表示されていたボタン画像２０６Ｆ００３が最大貯留表示数の４個以内で放出された場合には、成功演出等の終了後に、第１領域２０６Ｆ００１で空いた貯留部に第２領域２０６Ｆ００２で表示されていたボタン画像２０６Ｆ００３が移動表示させる演出制御を行う。一方、一契機（１回）の放出演出時において、第１領域２０６Ｆ００１で表示されていたボタン画像２０６Ｆ００３が最大貯留表示数の４個を超えて放出された場合には、成功演出等の終了後に、第１領域２０６Ｆ００１で空いた貯留部に第２領域２０６Ｆ００２で表示されていたボタン画像２０６Ｆ００３が移動表示させる演出制御を行う。
【０２８５】
このように、一契機で放出表示されるボタン画像２０６Ｆ００３の個数により、第２領域２０６Ｆ００２から第１領域にボタン画像２０６Ｆ００３が移動表示されるタイミングを異ならせる演出制御を実行すれば、第１領域２０６Ｆ００１で貯留表示されていた所定数以内のボタン画像２０６Ｆ００３のような動作促進示唆画像が放出表示されて動作促進画像に変更表示されたときと、第１領域２０６Ｆ００１で貯留表示されていた所定数を超えるボタン画像２０６Ｆ００３のような動作促進示唆画像が動作促進画像に変更表示されたときとで、第２領域２０６Ｆ００２で表示されていた動作促進示唆画像を第１領域２０６Ｆ００１に移動表示させるタイミングが異なるので、遊技者の動作を促進する演出のバリエーションをさらに豊富化し、より一層遊技の興趣を向上させることができる。
【０２８６】
次に、特徴部２０６Ｆに関する主な効果を説明する。
（１）  図１０（Ｂ）〜（Ｄ）に示すように、ボタン画像の貯留放出演出では、例えば、貯留表示された複数の動作促進示唆画像であるボタン画像２０６Ｆ００３を、例えば２回のような所定回数に分割して、遊技者による操作動作を促進する動作促進画像に変更表示可能である。これにより、遊技者の動作を促進する演出のバリエーションを豊富化し、遊技の興趣を向上させることができる。
【０２８７】
（２）  図９（Ｂ）のように、放出表示されたボタン画像２０６Ｆ００３の全てに対応する回数の遊技者の操作動作が検出される前に、動作対応演出として、成功演出が実行される場合があることにより、遊技者の動作を促進する演出のバリエーションをさらに豊富化し、より一層遊技の興趣を向上させることができる。
【０２８８】
（３）  図８（Ｂ）のように、第１領域２０６Ｆ００１で表示されていたボタン画像２０６Ｆ００３が放出表示されたことに基づいて、第２領域２０６Ｆ００２で表示されていたボタン画像２０６Ｆ００３を第１領域２０６Ｆ００１に移動表示させることにより、遊技者の動作を促進する演出に間を持たせることが可能となるので、遊技者の動作を促進する演出のバリエーションをさらに豊富化し、より一層遊技の興趣を向上させることができる。
【０２８９】
（４）  図８（Ｂ）のように、第１領域２０６Ｆ００１と、第２領域２０６Ｆ００２とを含む特定領域２０６Ｆ０００において、貯留表示されたボタン画像２０６Ｆ００３のような複数の動作促進示唆画像を事前に表示可能である。これにより、遊技者の動作を促進する演出のバリエーションを豊富化し、遊技の興趣を向上させることができる。
【０２９０】
（５）  図１０（Ｂ）〜（Ｄ）に示すボタン画像の貯留放出演出では、図９に示す１回実行される成功演出表示のような動作対応演出に対応して、複数のボタン画像２０６Ｆ００３を放出して動作促進画像を表示可能である。これにより、一契機の動作対応演出に対応して複数の動作促進画像を表示可能であることにより、遊技者の動作を促進する演出のバリエーションをさらに豊富化し、より一層遊技の興趣を向上させることができる。
【０２９１】
（６）  図１０（Ａ）〜（Ｄ）のように、大当り時に放出（使用）するボタン画像数の選択割合と、はずれ時に放出（使用）するボタン画像数の選択割合とが異なる。これにより、貯留表示されたボタン画像２０６Ｆ００３のような動作促進示唆画像から、放出表示されたボタン画像２０６Ｆ００３のような動作促進画像に変更表示された画像数に応じて遊技者にとって有利な状態となることを示唆する演出が実行される割合が異なることにより、遊技者の動作を促進する演出のバリエーションをさらに豊富化し、より一層遊技の興趣を向上させることができる。
【０２９２】
（７）  図８（Ｂ）のように、「放出×３！」というような放出数画像の表示がされることにより、一契機の前記動作対応演出（１回実行される動作対応演出）に対応して、貯留表示されたボタン画像２０６Ｆ００３のような動作促進示唆画像から放出表示されたボタン画像２０６Ｆ００３のような動作促進画像に変更表示された画像数を特定可能な特別画像が表示可能である。これにより、遊技者の動作を促進する演出のバリエーションをさらに豊富化し、より一層遊技の興趣を向上させることができる。
【０２９３】
（８）  図９（Ｂ）のボタン画像戻し貯留表示のように、放出表示されたボタン画像２０６Ｆ００３の全てに対応する回数の遊技者の操作動作が検出される前に、動作対応演出として、成功演出が実行されたときに、残余のボタン画像２０６Ｆ００３を貯留表示に変更表示することにより、遊技者の動作を促進する演出のバリエーションをさらに豊富化し、より一層遊技の興趣を向上させることができる。
【０２９４】
（９）  図１１に示すように、複数種類の貯留予告演出が、個数示唆演出でもあり、複数種類の演出態様から選択された演出態様で個数示唆演出が実行されることにより、遊技者の動作を促進する演出のバリエーションをさらに豊富化し、より一層遊技の興趣を向上させることができる。
【０２９５】
（１０）  図８（Ｃ）の通常ボタン画像演出のボタン画像２０６Ｆ００８が、図８（Ｂ）のボタン画像の放出演出で表示されるボタン画像２０６Ｆ００３に含まれる槍画像（図中太線矢印の画像）が含まれていない。このように、ボタン画像２０６Ｆ００８が、貯留表示から放出されたときと、貯留表示とは無関係に出現表示されたときとで表示態様が異なることにより、遊技者が、ボタン画像２０６Ｆ００８について、貯留表示から放出されたときと、貯留表示とは無関係に出現表示されたときとの区別に関して、遊技者に誤認を与えにくくすることができる。
【０２９６】
（１１）  〔遊技者動作非検出時の演出制御例〕において説明したように、複数の貯留表示されていたボタン画像２０６Ｆ００３が放出されて動作促進画像に変更表示されたときにおいて、遊技者の動作が検出されなかったときは、変更表示された全ての動作促進画像を消化して成功演出のような動作対応演出を実行し、かつ、当該動作対応演出の実行に必要とされた個数以外のボタン画像２０６Ｆ００３のような動作促進画像を貯留表示するボタン画像２０６Ｆ００３としての動作促進示唆画像に戻す演出が実行されることにより、遊技者の動作を促進する演出のバリエーションをさらに豊富化し、より一層遊技の興趣を向上させることができる。
【０２９７】
（１２）  図８（Ｂ）のように、第１領域２０６Ｆ００１ではボタン（円形）および槍（矢印形）がボタン画像２０６Ｆ００３として表示され、第２領域２０６Ｆ００２ではボタンのみがボタン画像２０６Ｆ００３として表示されることにより、第１領域２０６Ｆ００１と第２領域２０６Ｆ００２とで、ボタン画像２０６Ｆ００３のような動作促進示唆画像の表示態様が異なることにより、表示領域に応じた表示態様となるので、遊技者の動作を促進する演出のバリエーションをさらに豊富化し、より一層遊技の興趣を向上させることができる。
【０２９８】
（１３）  図８（Ａ），（Ｂ）のように、第２領域２０６Ｆ００２について、ボタン画像２０６Ｆ００３が表示されないときはグレースケール表示の表示態様となり、ボタン画像２０６Ｆ００３が表示されるときはカラー表示の表示態様となることにより、貯留表示されたボタン画像２０６Ｆ００３のような動作促進示唆画像が事前に表示されるか否かに応じて表示態様が異なるので、遊技者の動作を促進する演出のバリエーションをさらに豊富化し、より一層遊技の興趣を向上させることができる。
【０２９９】
（１４）  図８（Ｂ）のように、第１領域２０６Ｆ００１で表示されていたボタン画像２０６Ｆ００３が放出表示されたことに基づいて、第２領域２０６Ｆ００２で表示されていたボタン画像２０６Ｆ００３を第１領域２０６Ｆ００１に移動表示させることにより、遊技者の動作を促進する演出に間を持たせることが可能となるので、遊技者の動作を促進する演出のバリエーションをさらに豊富化し、より一層遊技の興趣を向上させることができる。
【０３００】
（１５）  図８（Ａ），（Ｂ）に示されるように、第１領域２０６Ｆ００１内では、回転方向にボタン画像２０６Ｆ００３が移動表示可能であり、第２領域２０６Ｆ００２内では、直線方向にボタン画像２０６Ｆ００３が移動表示可能である。これにより、第１領域２０６Ｆ００１と第２領域２０６Ｆ００２とのそれぞれの表示領域内で、ボタン画像２０６Ｆ００３が移動表示可能であり、第１領域２０６Ｆ００１と第２領域２０６Ｆ００２とで移動表示態様が異なる。これにより、表示領域に応じた移動表示態様でボタン画像２０６Ｆ００３を移動表示させることが可能となるので、遊技者の動作を促進する演出のバリエーションをさらに豊富化し、より一層遊技の興趣を向上させることができる。
【０３０１】
（１６）  貯留演出および放出演出のそれぞれにおいて、画面右下隅部において、第１領域２０６Ｆ００１および第２領域２０６Ｆ００２よりなる特定表示領域２０６Ｆ０００に貯留表示されているボタン画像２０６Ｆ００３の数を表示するためのボタン画像貯留数表示アイコン画像２０６Ｆ００５が表示される。これにより、特定表示領域２０６Ｆ０００に貯留表示されているボタン画像２０６Ｆ００３の数が容易に視認可能となるので、遊技者の動作を促進する演出のバリエーションをさらに豊富化し、より一層遊技の興趣を向上させることができる。
【０３０２】
（１７）  貯留表示において、第１領域２０６Ｆ００１の４つの貯留部がボタン画像２０６Ｆ００３で満杯となったときには、第２領域２０６Ｆ００２に移動表示され、空き貯留部に貯留表示されていく。これにより、複数の表示領域で動作促進示唆画像が可能となるので、遊技者の動作を促進する演出のバリエーションをさらに豊富化し、より一層遊技の興趣を向上させることができる。
【０３０３】
（１８）  〔第２領域から第１領域への移動タイミングのその他の制御例〕に示したように、一契機で放出表示されるボタン画像２０６Ｆ００３の個数により、第２領域２０６Ｆ００２から第１領域にボタン画像２０６Ｆ００３が移動表示されるタイミングを異ならせる演出制御を実行すれば、第１領域２０６Ｆ００１で貯留表示されていた所定数以内のボタン画像２０６Ｆ００３のような動作促進示唆画像が放出表示されて動作促進画像に変更表示されたときと、第１領域２０６Ｆ００１で貯留表示されていた所定数を超えるボタン画像２０６Ｆ００３のような動作促進示唆画像が動作促進画像に変更表示されたときとで、第２領域２０６Ｆ００２で表示されていた動作促進示唆画像を第１領域２０６Ｆ００１に移動表示させるタイミングが異なるので、遊技者の動作を促進する演出のバリエーションをさらに豊富化し、より一層遊技の興趣を向上させることができる。
【０３０４】
（１９）  図８（Ｂ）のように、第１領域２０６Ｆ００１で表示されていたボタン画像２０６Ｆ００３が放出表示されて動作促進画像に変更表示されたときに、第２領域２０６Ｆ００２で表示されていたボタン画像２０６Ｆ００３を第１領域２０６Ｆ００１に移動表示させるというような所定動作が第１領域２０６Ｆ００１で実行される。これにより、動作促進画像への変更表示に対応した第１表示領域の動作が可能となるので、遊技者の動作を促進する演出のバリエーションをさらに豊富化し、より一層遊技の興趣を向上させることができる。
【０３０５】
〔特徴部２０６Ｆの各種変形例〕
[１]  ボタン画像の貯留放出演出については、ボタン画像２０６Ｆ００３を放出した後に、遊技者の操作動作に応じて保留表示の表示態様を変化させる演出、遊技者の操作動作に応じてアクティブ表示の表示態様を変化させる演出、疑似連の仮停止図柄が停止するか否かを示唆する演出、スーパーリーチ演出においてカットイン画像を表示する演出、および、スーパーリーチ演出において表示されたカットイン画像を連打操作動作により変化させ得る演出等の各種演出に用いてもよい。
【０３０６】
[２]  ボタン画像の貯留放出演出については、放出表示されたボタン画像２０６Ｆ００３が１回の操作動作を促進する画像であることを説明したが、これに限らず、放出表示されたボタン画像２０６Ｆ００３が複数回の操作動作（例えば連打）を促進する画像である演出を実行してもよい。また、ボタン画像の貯留放出演出については、放出表示されたボタン画像２０６Ｆ００３が１回の操作動作（例えば単打）を促進する画像である場合と、放出表示されたボタン画像２０６Ｆ００３が複数回の操作動作（例えば連打）を促進する画像である場合とが混在（所定の割合で選択される等）するものであってもよく、１画面上に複数のボタン画像が放出されたときに、第１のボタン画像は１回の操作動作（例えば単打）を促進する画像であるが、第２のボタン画像は複数回の操作動作（例えば連打）の操作動作を促進する画像である演出を実行してもよい（例えば、１回の演出で単打と連打との両方の操作演出をする等）。
【０３０７】
[３]  ボタン画像の貯留放出演出については、貯留表示したボタン画像２０６Ｆ００３を最終的に全部放出する演出例を示したが、これに限らず、貯留表示したボタン画像２０６Ｆ００３の一部の貯留表示を残留させておき、その後に実行される各種演出（例えば、一旦はずれ図柄が表示された後の再抽選を示す演出の演出結果を示す契機となる操作促進演出、大当り表示結果となった後の大当り遊技状態中における確変大当りであるか否かを示す契機となる操作促進演出等）に使用するようにしてもよい。
【０３０８】
[４]  基本的に、図８（Ｃ）に示すような通常ボタン画像２０６Ｆ００８は、ボタン画像の貯留放出演出とは無関係にボタン画像が出現表示される演出で用いられるが、変形例として、ボタン画像の貯留放出演出の実行中において、図８（Ｃ）に示すような通常ボタン画像２０６Ｆ００８を表示する場合がある例を前述した。その場合には、ボタン画像の貯留放出演出の実行中において、通常ボタン画像２０６Ｆ００８の表示を制限（表示禁止、表示実行割合を他の演出時よりも低下させる）するようにしてもよい。
【０３０９】
[５]  前述したボタン画像の貯留放出演出は、遊技者用の演出設定モードにおいて、実行するか否かを遊技者の操作動作に応じて設定変更可能なようにしてもよく、遊技場用の演出設定モードにおいて、実行するか否かを管理者の操作動作に応じて設定変更可能なようにしてもよい。
【０３１０】
[６]  前述したボタン画像の貯留放出演出における、遊技者による操作動作は、遊技者用の演出設定モードにおいて、遊技者の操作動作を要さずに自動的に操作動作検出がなされたと判定する自動操作動作モード（所謂オードボタンモード）に設定変更可能なようにしてもよい。
【０３１１】
[７]  前述したボタン画像の貯留放出演出においては、可変表示結果に基づいて大当りになる期待度に応じて、貯留表示するボタン画像の表示態様（色、形状、大きさ等）が異なるようにしてもよい。例えば、大当りとなる期待度が「白＜青＜緑＜赤」という関係となるような表示態様でボタン画像を表示してもよい。そのような表示態様は、第１領域２０６Ｆ００１と第２領域２０６Ｆ００２との少なくとも一方で実行可能とすればよい。
【０３１２】
[８]  前述したボタン画像の貯留放出演出においては、放出演出において放出されたボタン画像２０６Ｆ００３の表示態様（例えば、表示位置、表示色、表示形状、大きさ等）により、大当りとなる期待度が異なるようにしてもよい。また、貯留表示されるボタン画像２０６Ｆ００３が大当り期待度に応じた色で表示可能な場合には、放出演出において放出されて動作促進画像として表示されるときに、ボタン画像２０６Ｆ００３の表示色が変化可能となる演出制御を実行してもよい。
【０３１３】
[９]  前述したボタン画像の貯留放出演出においては、１回の放出演出において放出表示されたボタン画像２０６Ｆ００３の個数が特定個数以上となったときに、可変表示が大当り表示結果となることが確定することとなるような演出制御をしてもよい。
【０３１４】
[１０]  前述したボタン画像の貯留放出演出においては、ボタン画像を貯留表示可能な特定表示領域２０６Ｆ０００として、第１領域２０６Ｆ００１と、第２領域２０６Ｆ００２との２種類の表示領域を設けた例を示したが、これに限らず、ボタン画像を貯留表示可能な特定表示領域２０６Ｆ０００として、１種類のみの表示領域を設けてもよい。
【０３１５】
[１１]  前述したボタン画像の貯留放出演出においては、放出演出においてボタン画像２０６Ｆ００３が放出表示されるときの移動表示速度の高低に応じて、大当りとなる期待度が異なるようにしてもよい。
【０３１６】
[１２]  前述したボタン画像の貯留放出演出については、可変表示を開始する前に、貯留演出における貯留表示個数と、放出演出における放出表示個数との関係を複数種類の演出パターンから選択する例を示した。しかし、これに限らず、貯留演出における貯留表示個数と、放出演出における放出表示個数との関係は、ボタン画像の貯留放出演出の実行中に選択決定してもよい。また、貯留演出における貯留表示個数と、放出演出における放出表示個数との関係は、演出パターンに基づいて決定するのではなく、各貯留演出と各放出演出とについて、個別に、ランダムに決定するようにしてもよい。
【０３１７】
[１３]  遊技者にとって有利な状態としては、前述した大当り遊技状態の他に、高確率状態（確変状態）、時短状態、および、高ベース状態等のその他の有利状態が含まれてもよい。
【０３１８】
[１４]  前述した操作演出では、遊技者の動作（操作）を検出可能な検出手段として、プッシュボタン３１Ｂのような遊技者により操作可能な操作手段のような検出手段を一例として示した。しかし、これに限らず、遊技者の動作を検出可能な検出手段としては、スティックコントローラ１２２の操作を検出可能な傾倒方向センサユニット１２３のような検出手段でもよい。また、遊技者の動作（操作）を検出可能な検出手段としては、操作手段の操作を検出する手段ではなく、赤外線センサ、および、モーションセンサ等のような遊技者の動作を直接的に検出可能な検出手段を用いてもよい。
【０３１９】
[１５]  前述した操作演出では、遊技者の1回の動作（操作）を検出したことにより、貯留放出演出で放出された１個のボタン画像を消化する演出についての操作促進表示が実行される例を示した。しかし、これに限らず、遊技者の1回の動作（操作）を検出したことにより、貯留放出演出で放出された複数個のボタン画像に相当するボタン画像を消化する演出についての操作促進表示が実行されるようにしてもよい。たとえば、貯留放出演出で放出された複数個のボタン画像に相当する特別ボタン画像として、放出表示された複数のボタン画像が合体して１個の特別ボタン画像（合体したことが特定可能な特別な形状のボタン画像であることが望ましい）を表示し、その特別ボタン画像が表示されているときに、遊技者の1回の動作（操作）が検出されたときに、合体したボタン画像の個数に相当する放出数のボタン画像が消化される演出を実行してもよい。
【０３２０】
（特徴部０４０ＳＧに関する説明）
次に、本実施の形態の特徴部２０６Ｆについて説明する。以下の説明においては、可動役物（図１６（Ａ）参照）と突出動作が可能なプッシュボタン３１Ｂ（図１６（Ｄ）参照）とを備え、これらを用いた演出制御をする例を説明する。
【０３２１】
図１３は、図７の可変表示中演出処理の一部の処理である操作後演出実行処理を示すフローチャートである。操作後演出実行処理において、演出制御用ＣＰＵ１２０は、先ず、操作後演出プロセスタイマが動作中であるか否かを判定する（Ｓ４０１）。操作後演出プロセスタイマが動作中である場合（Ｓ４０１；Ｙ）はＳ４０８に進み、操作後演出プロセスタイマが動作中でない場合（Ｓ４０１；Ｎ）は、可変表示結果（変動表示結果）が大当りであるか否かを判定する（Ｓ４０２）。可変表示結果（変動表示結果）が大当りである場合（Ｓ４０２；Ｙ）は大当り用の操作後演出プロセステーブルを選択し（Ｓ４０３）、変動表示結果（可変表示結果）がはずれである場合（Ｓ４０２；Ｎ）ははずれ用の操作後演出プロセステーブルを選択する（Ｓ４０４）。
【０３２２】
そして、Ｓ４０３またはＳ４０４の実行後は、選択した操作後演出プロセステーブルのプロセスデータ１における操作後演出プロセスタイマをスタートさせる（Ｓ４０５）。
【０３２３】
尚、操作後演出プロセステーブルには、画像表示装置５の表示を制御するための表示制御実行データ、各ＬＥＤの点灯を制御するためのＬＥＤ制御実行データ、スピーカ８Ｌ，８Ｒから出力する音の制御するための音制御実行データや、可動役物４００（図１６（Ａ）参照）の動作を制御するための可動役物制御実行データ等が、各プロセスデータｎ（１〜Ｎ番まで）に対応付けて時系列に順番配列されている。
【０３２４】
次いで、演出制御用ＣＰＵ１２０は、操作後演出プロセスデータ１の内容（表示制御実行データ１、ＬＥＤ制御実行データ１、音制御実行データ１、可動役物制御実行データ１、）に従って演出装置（演出用部品としての画像表示装置５、演出用部品としての各種ＬＥＤ及び演出用部品としてのスピーカ８Ｌ，８Ｒ、可動役物４００等））の制御を実行する（Ｓ４０６）。例えば、画像表示装置５において変動表示結果（可変表示結果）に応じた画像を表示させるために、表示制御部１２３に指令を出力する。また、各種ＬＥＤを点灯／消灯制御を行わせるために、ＬＥＤ制御基板１４に対して制御信号（ＬＥＤ制御実行データ）を出力する。また、スピーカ８Ｌ，８Ｒからの音声出力を行わせるために、音声制御基板１３に対して制御信号（音番号データ）を出力する。また、可動役物４００を動作させるために、可動役物第１駆動モータや可動役物第２駆動モータを駆動させる。また、画像表示装置５に表示されている操作促進画像を操作後画像として更新を開始して操作後演出実行処理を終了する（Ｓ４０７）。
【０３２５】
また、Ｓ４０８において演出制御用ＣＰＵ１２０は、操作後演出プロセスタイマの値を−１する。そして、操作後演出プロセスタイマがタイマアウトしたか否かを判定する（Ｓ４０９）。操作後演出プロセスタイマがタイマアウトした場合（Ｓ４０９；Ｙ）は、操作後演出プロセスデータの切り替えを行う（Ｓ４１０）。即ち、操作後演出プロセステーブルにおける次に設定されているプロセスタイマ設定値を操作後演出プロセスタイマに設定することによって操作後演出プロセスタイマをあらためてスタートさせる（Ｓ４１１）。また、その次に設定されている表示制御実行データ、ＬＥＤ制御実行データ、音制御実行データ、可動役物制御実行データ等にもとづいて演出装置（演出用部品）に対する制御状態を変更する（Ｓ４１２）。一方、操作後演出プロセスタイマがタイマアウトしていない場合（Ｓ４０９；Ｎ）は、操作後演出プロセスタイマに対応する操作後演出プロセスデータの内容（表示制御実行データ、ＬＥＤ制御実行データ、音制御実行データ、可動役物制御実行データ等）に従って演出装置（演出用部品）の制御を実行する（Ｓ４１３）。
【０３２６】
そして、Ｓ４１２またはＳ４１３の実行後は、画像表示装置５に表示されている操作後画像を更新し（Ｓ４１４）、変動表示結果が大当りであるか否かを判定する（Ｓ４１５）。変動表示結果がはずれである場合（Ｓ４１５；Ｎ）は操作後演出実行処理を終了し、変動表示結果が大当りである場合（Ｓ４１５；Ｙ）は、演出制御用ＣＰＵ１２０によって制御される可動役物第１駆動モータの正転駆動期間中であるか否か、つまり、可動役物４００の退避位置から演出位置に向けての移動期間中であるか否かを判定する（Ｓ４１６）。可動役物第１駆動モータの正転駆動期間中である場合（Ｓ４１６；Ｙ）は可動役物第１駆動モータを正転駆動させることによって可動役物４００を演出位置に向けて移動させ、Ｓ４１８に進む（Ｓ４１７）。また、可動役物第１駆動モータの正転駆動期間中でない場合（Ｓ４１６；Ｎ）は、Ｓ４１７を経由することなくＳ４１８に進む。
【０３２７】
Ｓ４１８において演出制御用ＣＰＵ１２０は、可動役物第１駆動モータの逆転駆動期間中であるか否か、つまり、可動役物４００の演出位置から退避位置に向けての移動期間中であるか否かを判定する。可動役物第１駆動モータの逆転駆動期間中である場合（Ｓ４１８；Ｙ）は、可動役物第１駆動モータを逆転駆動させることによって可動役物４００を退避位置に向けて移動させ、Ｓ４２０に進む（Ｓ４１９）。また、可動役物第１駆動モータの逆転駆動期間中でない場合（Ｓ４１８；Ｎ）は、Ｓ４１９を経由することなくＳ４２０に進む。
【０３２８】
Ｓ４２０において演出制御用ＣＰＵ１２０は、可動役物第２駆動モータの正転駆動期間中であるか否か、つまり、可動役物４００が演出位置に位置している状態において、可動役物４００を第１可動部４０１と第２可動部４０２とが近接する近接状態から第１可動部４０１と第２可動部４０２とが離間する離間状態に変化させる期間中であるか否かを判定する。可動役物第２駆動モータの正転駆動期間中である場合（Ｓ４２０；Ｙ）は、演出制御用ＣＰＵ１２０によって制御される可動役物第２駆動モータを正転駆動させることによって可動役物４００を離間状態に変化させるとともに（Ｓ４２１）、画像表示装置５に可動役物４００が退避位置に移動したことに対応するエフェクト画像を表示してＳ４２３に進む（Ｓ４２２）。また、可動役物第２駆動モータの正転駆動期間中でない場合（Ｓ４２０；Ｎ）は、Ｓ４２１及びＳ４２２を経由せず、つまり、画像表示装置５でのプッシュボタン３１Ｂ（図１６（Ｄ）参照）の画像の表示中であれば、該プッシュボタン３１Ｂの画像の表示を継続してＳ４２３に進む。
【０３２９】
Ｓ４２３において演出制御用ＣＰＵ１２０は、可動役物第２駆動モータの逆転駆動期間中であるか否か、つまり、可動役物４００が演出位置に位置している状態において第１可動部４０１及び第２可動部４０２の離間位置から近接位置に向けての移動期間中であるか否かを判定する。可動役物第２駆動モータの逆転駆動期間中である場合（Ｓ４２３；Ｙ）は、可動役物第２駆動モータを逆転駆動させることによって第１可動部４０１及び第２可動部４０２を近接位置に向けて移動させて操作後演出実行処理を終了する（Ｓ４２４）。また、可動役物第２駆動モータの逆転駆動期間中でない場合（Ｓ４２３；Ｎ）は、Ｓ４２４を経由せずに操作後演出実行処理を終了する。
【０３３０】
以上のように演出制御用ＣＰＵ１２０によって演出図柄変動開始処理、演出図柄変動中処理、操作後演出実行処理が実行されることによって、スーパーリーチの変動表示においてプッシュボタン３１Ｂを突出させず（演出図柄変動開始処理のＳ２７８においてプッシュボタン３１Ｂの非突出状態から突出状態への変化の非実行を決定した場合）変動表示結果が大当りとなる場合は、図１４（Ａ）に示すように、変動開始から期間Ｌ１が経過したタイミング（リーチ演出実行中のタイミング）から画像表示装置５に操作促進画像としての非突出状態のプッシュボタン３１Ｂの画像と操作促進メッセージの表示が開始される。そして、プッシュボタン３１Ｂの操作受付期間中にプッシュボタン３１Ｂが操作されるかプッシュボタン３１Ｂが操作されることなく該操作受付期間が経過した場合は、プッシュボタン３１Ｂの操作を受け付けたタイミング、または、プッシュボタン３１Ｂの操作受付期間が終了したタイミングにおいて操作促進メッセージの表示が終了する。
【０３３１】
また、プッシュボタン３１Ｂの操作を受け付けたタイミング、または、プッシュボタン３１Ｂの操作受付期間が終了したタイミングから期間Ｌ２に亘って、操作促進画像（非突出状態のプッシュボタン３１Ｂの画像）である操作後画像が画像表示装置５から消去される。更に、プッシュボタン３１Ｂの操作を受け付けたタイミング、または、プッシュボタン３１Ｂの操作受付期間が終了したタイミングから期間Ｌ２よりも長い期間である期間Ｌ３に亘って、可動役物４００を図１に示す退避位置から画像表示装置５と重畳する演出位置に向けての移動（落下）が実行される。
【０３３２】
可動役物４００の演出位置への移動完了後は、第１可動部４０１及び第２可動部４０２を移動させることによって演出位置において可動役物４００を近接状態から離間状態に変化させた後、可動役物４００を離間状態から近接状態に変化させる。そして、再び可動役物４００を演出位置から退避位置に移動させ、変動表示が終了する。
【０３３３】
スーパーリーチの変動表示においてプッシュボタン３１Ｂを突出させて（演出図柄変動開始処理のＳ２７８においてプッシュボタン３１Ｂの非突出状態から突出状態への変化の実行を決定した場合）変動表示結果が大当りとなる場合は、図１４（Ｂ）に示すように、変動開始から期間Ｌ１が経過したタイミング（リーチ演出実行中のタイミング）から画像表示装置５に操作促進画像としての突出状態のプッシュボタン３１Ｂの画像と操作促進メッセージの表示が開始される。尚、プッシュボタン３１Ｂは、リーチ演出中における操作促進画像や操作促進メッセージの表示開始前タイミングの直前に非突出状態から突出状態に変化する。そして、プッシュボタン３１Ｂの操作受付期間中にプッシュボタン３１Ｂが操作されるかプッシュボタン３１Ｂが操作されることなく該操作受付期間が経過した場合は、プッシュボタン３１Ｂの操作を受け付けたタイミング、または、プッシュボタン３１Ｂの操作受付期間が終了したタイミングにおいて操作促進メッセージの表示が終了する。
【０３３４】
また、プッシュボタン３１Ｂの操作を受け付けたタイミング、または、プッシュボタン３１Ｂの操作受付期間が終了したタイミングから期間Ｌ３に亘って、可動役物４００を図１に示す退避位置から画像表示装置５と重畳する演出位置に向けての移動（落下）が実行される。
【０３３５】
更に、可動役物４００の退避位置から演出位置への移動（落下）期間中は、操作後演出として、操作促進画像（突出状態のプッシュボタン３１Ｂの画像）である操作後画像を、非突出状態のプッシュボタン３１Ｂの画像に更新する。このように、可動役物４００の退避位置から演出位置への移動に併せて操作後演出を実行することで、遊技者に対してあたかも落下する可動役物４００が突出状態のプッシュボタン３１Ｂの画像を操作して非突出状態に変化させるように見せることができる。
【０３３６】
尚、本実施例では、操作後画像である突出状態のプッシュボタン３１Ｂの画像を非突出状態のプッシュボタン３１Ｂの画像に更新することによって、落下する可動役物４００が突出状態のプッシュボタン３１Ｂの画像を操作して非突出状態に変化させるように見せる形態を例示しているが、本発明はこれに限定されるものではなく、操作後画像である突出状態のプッシュボタン３１Ｂの画像は、可動役物４００が突出状態のプッシュボタン３１Ｂの画像を操作するように遊技者に対して見せかけることができるのであれば非突出状態のプッシュボタン３１Ｂの画像とは異なる画像に更新するようにしてもよい。
【０３３７】
操作後演出として操作後画像である非突出状態のプッシュボタン３１Ｂの画像の更新が終了した後は、該非突出状態のプッシュボタン３１Ｂの画像が期間Ｌ２に亘って画像表示装置５から消去される。尚、本実施例では、図１４（Ｂ）に示すように、突出状態から非突出状態に変化した後のプッシュボタン３１Ｂの画像の消去が終了するタイミングが可動役物４００の退避位置から演出位置への移動完了タイミングと同一タイミングとなっているが、本発明はこれに限定されるものではなく、突出状態から非突出状態に変化した後のプッシュボタン３１Ｂの画像の消去が終了するタイミングと可動役物４００の退避位置から演出位置への移動完了タイミングとは異なるタイミングであってもよい。
【０３３８】
可動役物４００の演出位置への移動完了後は、第１可動部４０１及び第２可動部４０２を移動させることによって演出位置において可動役物４００を近接状態から離間状態に変化させる。尚、可動役物４００の離間状態への変化が完了したタイミングでは、画像表示装置５に、可動役物４００が演出位置において離間状態に変化したことを示すエフェクト画像を表示する。そして、可動役物４００を離間状態から近接状態に変化させた後、再び可動役物４００を演出位置から退避位置に移動させ、変動表示が終了する。
【０３３９】
スーパーリーチの変動表示においてプッシュボタン３１Ｂを突出させず（演出図柄変動開始処理のＳ２７８においてプッシュボタン３１Ｂの非突出状態から突出状態への変化の非実行を決定した場合）変動表示結果がはずれとなる場合は、図１５（Ａ）に示すように、変動開始から期間Ｌ１が経過したタイミング（リーチ演出実行中のタイミング）から画像表示装置５に操作促進画像としての非突出状態のプッシュボタン３１Ｂの画像と操作促進メッセージの表示が開始される。そして、プッシュボタン３１Ｂの操作受付期間中にプッシュボタン３１Ｂが操作されるかプッシュボタン３１Ｂが操作されることなく該操作受付期間が経過した場合は、プッシュボタン３１Ｂの操作を受け付けたタイミング、または、プッシュボタン３１Ｂの操作受付期間が終了したタイミングにおいて操作促進メッセージの表示が終了する。
【０３４０】
また、プッシュボタン３１Ｂの操作を受け付けたタイミング、または、プッシュボタン３１Ｂの操作受付期間が終了したタイミングから期間Ｌ２に亘って、操作促進画像（非突出状態のプッシュボタン３１Ｂの画像）である操作後画像が画像表示装置５から消去される。そして、可動役物４００が退避位置から演出位置に向けて移動（落下することなく）変動表示が終了する。
【０３４１】
スーパーリーチの変動表示においてプッシュボタン３１Ｂを突出させて（演出図柄変動開始処理のＳ２７８においてプッシュボタン３１Ｂの非突出状態から突出状態への変化の実行を決定した場合）変動表示結果がはずれとなる場合は、図１５（Ｂ）に示すように、変動開始から期間Ｌ１が経過したタイミング（リーチ演出実行中のタイミング）から画像表示装置５に操作促進画像としての突出状態のプッシュボタン３１Ｂの画像と操作促進メッセージの表示が開始される。尚、プッシュボタン３１Ｂは、リーチ演出中における操作促進画像や操作促進メッセージの表示開始前タイミングの直前に非突出状態から突出状態に変化する。そして、プッシュボタン３１Ｂの操作受付期間中にプッシュボタン３１Ｂが操作されるかプッシュボタン３１Ｂが操作されることなく該操作受付期間が経過した場合は、プッシュボタン３１Ｂの操作を受け付けたタイミング、または、プッシュボタン３１Ｂの操作受付期間が終了したタイミングにおいて操作促進メッセージの表示が終了する。
【０３４２】
そして、プッシュボタン３１Ｂの操作を受け付けたタイミング、または、プッシュボタン３１Ｂの操作受付期間が終了したタイミングから期間Ｌ２に亘って、操作促進画像（突出状態のプッシュボタン３１Ｂの画像）である操作後画像が画像表示装置５から消去される。そして、可動役物４００が退避位置から演出位置に向けて移動（落下）することなく変動表示が終了する。
【０３４３】
次に、スーパーリーチの変動表示においてプッシュボタン３１Ｂを突出させることが決定されている場合での画像表示装置５の表示態様及び可動役物４００の動作態様について図１６及び図１７に基づいて説明する。
【０３４４】
先ず、図１６（Ａ）〜図１６（Ｄ）に示すように、可動役物４００が退避位置に配置されている状態において演出図柄がリーチの組み合わせとなると、画像表示装置５においてリーチ演出（スーパーリーチ演出）が開始される。該スーパーリーチ演出中は、所定時間が経過すると、演出制御用ＣＰＵ１２０によって制御されるボタン駆動モータの駆動によって非突出状態のプッシュボタン３１Ｂが突出状態に変化する。そして、図１６（Ｅ）に示すように、画像表示装置５に操作促進画像として突出状態のプッシュボタン３１Ｂの画像と「押せ！！」等の操作促進メッセージが表示され、プッシュボタン３１Ｂの操作の受け付けが開始される。
【０３４５】
プッシュボタン３１Ｂの操作受付期間中に遊技者がプッシュボタン３１Ｂを操作する、または、遊技者がプッシュボタン３１Ｂを操作することなくプッシュボタン３１Ｂの操作受付期間が終了すると、図１７（Ｆ）〜図１７（Ｈ）に示すように、画像表示装置５から操作促進メッセージが消去され、可動役物４００が退避位置から演出位置に向けて移動（落下）を開始する。更に、該可動役物４００の移動（落下）に連動して、操作後画像としての突出状態のプッシュボタン３１Ｂの画像が非突出状態のプッシュボタン３１Ｂの画像に漸次更新されている。
【０３４６】
そして、図１７（Ｉ）及び図１７（Ｊ）に示すように、可動役物４００の演出位置への移動（落下）と非突出状態のプッシュボタン３１Ｂの画像への更新が完了すると、画像表示装置５での操作後画像として非突出状態のプッシュボタン３１Ｂの画像の表示が終了され、可動役物４００が近接状態から離間状態に変化する。また、画像表示装置５にエフェクト画像を表示する。
【０３４７】
以上、本実施例のパチンコ遊技機１にあっては、図１７に示すように、遊技者が突出状態のプッシュボタン３１Ｂを操作したことに基づいて、操作後演出として可動役物４００を落下させるとともに画像表示装置５に表示されている突出状態のプッシュボタン３１Ｂの画像を非突出状態のプッシュボタン３１Ｂの画像に更新する（変化させる）ことによって、可動役物４００があたかも突出状態のプッシュボタン３１Ｂ画像を操作したように見せかけることができるので、これら可動役物４００の動作とプッシュボタン３１Ｂの画像の表示態様の変化との対応によって遊技興趣を向上できる。尚、本実施例では、操作促進画像である突出状態のプッシュボタン３１Ｂの画像が変化する例として、非突出状態のプッシュボタン３１Ｂの画像に更新される形態を開示しているが、本発明はこれに限定されるものではなく、操作促進画像である突出状態のプッシュボタン３１Ｂの画像の変化には、該プッシュボタン３１Ｂの画像が非突出状態のプッシュボタン３１Ｂの画像に変化した後、更に画像表示装置５から消去されるまでを含んでもよい。
【０３４８】
尚、本実施例では、可動役物４００を落下させることによって可動役物４００があたかも突出状態のプッシュボタン３１Ｂの画像を操作したように見せかける形態を例示したが、本発明はこれに限定されるものではなく、突出状態のプッシュボタン３１Ｂの画像を操作したように見せかけることが可能であれば、可動役物４００の動作態様は落下以外であってもよい。
【０３４９】
また、操作後演出では、可動役物４００の落下に応じて突出状態のプッシュボタン３１Ｂの画像が非突出状態のプッシュボタン３１Ｂの画像に更新されるので、可動役物４００の落下に対応してプッシュボタン３１Ｂの画像の表示態様が変化したことを遊技者が認識し易くなるため、遊技興趣を向上できる。
【０３５０】
また、操作後演出では、可動役物４００の落下に応じて突出状態のプッシュボタン３１Ｂの画像が非突出状態のプッシュボタン３１Ｂの画像に更新された後に、該非突出状態のプッシュボタン３１Ｂの画像を画像表示装置５から消去することで、操作後演出における可動役物４００の落下による演出効果を向上できる。
【０３５１】
尚、本実施例の操作後演出では、可動役物４００の落下に応じて突出状態のプッシュボタン３１Ｂの画像を非突出状態のプッシュボタン３１Ｂの画像に更新した後、該非突出状態のプッシュボタン３１Ｂの画像を画像表示装置５から消去する形態を例示したが、本発明はこれに限定されるものではなく、操作後演出では、可動役物４００の落下に応じて突出状態のプッシュボタン３１Ｂの画像を非突出状態のプッシュボタン３１Ｂの画像に更新することなく消去するようにしてもよいし、可動役物４００の落下に応じて突出状態のプッシュボタン３１Ｂの画像を非突出状態のプッシュボタン３１Ｂの画像に更新した後に画像表示装置５から消去しないようにしてもよい。つまり、本発明において、『操作体対応画像（突出状態のプッシュボタン３１Ｂの画像）の表示態様を可動体（可動役物４００）の動作に対応して変化させることには、突出状態のプッシュボタン３１Ｂの画像を非突出状態のプッシュボタン３１Ｂの画像に更新することと、画像表示装置５からプッシュボタン３１Ｂの画像を消去することの両方が含まれている。
【０３５２】
また、本実施例では、操作後演出が開始されてから画像表示装置５から操作後画像であるプッシュボタン３１Ｂの画像を消去するので、可動役物４００の落下に対応してプッシュボタン３１Ｂの画像が消去されたことを遊技者が認識し易くなるので、遊技興趣を向上できる。
【０３５３】
また、スーパーリーチの変動表示においてに変動表示結果がはずれとなる、つまり、プッシュボタン３１Ｂの操作に基づいて操作後演出として可動役物４００の移動（落下）が実行されない場合は、突出状態のプッシュボタン３１Ｂが操作された場合と非突出状態のプッシュボタン３１Ｂが操作された場合とのいずれにおいても、プッシュボタン３１Ｂの画像が期間Ｌ２に亘って画像表示装置５から消去される、つまり、同一タイミングでプッシュボタン３１Ｂの画像が画像表示装置５から消去されるので、突出状態のプッシュボタン３１Ｂが操作された場合と非突出状態のプッシュボタン３１Ｂが操作された場合とで可動役物４００の移動（落下）が実行されないときのプッシュボタン３１Ｂの画像の表示期間を共通とすることができ、遊技興趣の低下を防ぐことができる。
【０３５４】
尚、本実施例では、プッシュボタン３１Ｂの操作に基づいて操作後演出として可動役物４００の移動（落下）が実行されない場合は、突出状態のプッシュボタン３１Ｂが操作された場合と非突出状態のプッシュボタン３１Ｂが操作された場合とで共通のタイミングで画像表示装置５からプッシュボタン３１Ｂの画像を消去する形態を例示したが、本発明はこれに限定されるものではなく、プッシュボタン３１Ｂの操作に基づいて操作後演出として可動役物４００の移動（落下）が実行されない場合は、突出状態のプッシュボタン３１Ｂが操作された場合と非突出状態のプッシュボタン３１Ｂが操作された場合とで異なるタイミングで画像表示装置５からプッシュボタン３１Ｂの画像を消去してもよい。
【０３５５】
また、スーパーリーチの変動表示においてプッシュボタン３１Ｂを突出させて（演出図柄変動開始処理のＳ２７８においてプッシュボタン３１Ｂの非突出状態から突出状態への変化の実行を決定した場合）変動表示結果が大当りとなる場合は、図１４（Ｂ）に示すように、プッシュボタン３１Ｂの操作に基づいて、該プッシュボタン３１Ｂが操作されてから期間Ｌ３が経過したことに基づいてプッシュボタン３１Ｂの画像を消去し、スーパーリーチの変動表示においてプッシュボタン３１Ｂを突出させて（演出図柄変動開始処理のＳ２７８においてプッシュボタン３１Ｂの非突出状態から突出状態への変化の実行を決定した場合）変動表示結果がはずれとなる場合は、図１５（Ｂ）に示すように、プッシュボタン３１Ｂの操作に基づいて、該プッシュボタン３１Ｂが操作されてから期間Ｌ２（期間Ｌ３＞期間Ｌ２）が経過したことに基づいてプッシュボタン３１Ｂの画像を消去する、つまり、プッシュボタン３１Ｂが突出状態に変化しても、プッシュボタン３１Ｂが操作されたことに基づいて可動役物４００の移動（落下）が実行される場合と実行されない場合とでプッシュボタン３１Ｂの画像の表示を終了する態様が異なるので、遊技興趣を向上できる。
【０３５６】
また、スーパーリーチの変動表示においてプッシュボタン３１Ｂを突出させず（演出図柄変動開始処理のＳ２７８においてプッシュボタン３１Ｂの非突出状態から突出状態への変化の非実行を決定した場合）変動表示結果が大当りとなる場合は、図１４（Ａ）に示すように、プッシュボタン３１Ｂが操作されてから期間Ｌ２に亘って操作後画像である非突出状態のプッシュボタン３１Ｂの画像を画像表示装置５から消去し、スーパーリーチの変動表示においてプッシュボタン３１Ｂを突出させて（演出図柄変動開始処理のＳ２７８においてプッシュボタン３１Ｂの非突出状態から突出状態への変化の実行を決定した場合）変動表示結果が大当りとなる場合は、図１４（Ｂ）に示すように、プッシュボタン３１Ｂが操作されてから期間Ｌ３（期間Ｌ３＞期間Ｌ２）に亘って、突出状態のプッシュボタン３１Ｂの画像を非突出状態のプッシュボタン３１Ｂの画像への更新と、操作後画像である該非突出状態のプッシュボタン３１Ｂの画像の画像表示装置５からの消去を実行する、つまり、画像表示装置５に表示されるプッシュボタン３１Ｂの表示態様に応じてプッシュボタン３１Ｂが操作されてからプッシュボタン３１Ｂの画像の表示が終了されるまでの期間が異なるとにより、遊技興趣を向上できる。特に、期間Ｌ３は、期間Ｌ２よりも長い期間であり、該期間Ｌ３中に突出状態のプッシュボタン３１Ｂの画像を非突出状態のプッシュボタン３１Ｂの画像に更新することができるので、該プッシュボタン３１Ｂの画像の更新に遊技者を注目させることができ、遊技興趣を向上できる。更に、期間Ｌ３中に突出状態のプッシュボタン３１Ｂの画像を非突出状態のプッシュボタン３１Ｂの画像に更新することで、可動役物４００の移動（落下）に対応してプッシュボタン３１Ｂの画像が更新されたことを遊技者が認識し易くなるので、遊技興趣を向上できる。
【０３５７】
また、スーパーリーチの変動表示において操作促進画像として表示されるプッシュボタン３１Ｂの画像は、非突出状態のプッシュボタン３１Ｂを示す画像と、突出状態のプッシュボタン３１Ｂを示す画像と、であるので、操作促進画像としてプッシュボタン３１Ｂの態様（突出状態または非突出状態）に適したプッシュボタン３１Ｂの画像を画像表示装置５に表示することができる。
【０３５８】
また、プッシュボタン３１Ｂの突出の実行を決定した場合とプッシュボタン３１Ｂの突出の非実行を決定した場合とでは、図１４（Ａ）、図１４（Ｂ）、図１５（Ａ）、図１５（Ｂ）に示すように、同一タイミング（変動開始から期間Ｌ１が経過したタイミング）から、操作促進画像として突出状態のプッシュボタン３１Ｂの画像または非突出状態のプッシュボタン３１Ｂの画像の表示を開始するので、突出状態のプッシュボタン３１Ｂの画像や非突出状態のプッシュボタン３１Ｂの画像の表示が開始されるタイミングを遊技者が認識し易くなるので、遊技興趣を向上できる。尚、本実施例では、本発明における第１操作促進表示を非突出状態のプッシュボタン３１Ｂの画像、第２操作促進表示を突出状態のプッシュボタン３１Ｂの画像とし、これら非突出状態のプッシュボタン３１Ｂの画像と突出状態のプッシュボタン３１Ｂの画像とを、同一タイミング（変動開始から期間Ｌ１が経過したタイミング）から操作促進画像として画像表示装置５に表示する形態を例示しているが、本発明はこれに限定されるものではなく、これら非突出状態のプッシュボタン３１Ｂの画像と突出状態のプッシュボタン３１Ｂの画像とは、異なるタイミングから操作促進画像として画像表示装置５に表示してもよい。つまり、第１操作促進表示と第２操作促進表示とは、それぞれプッシュボタン３１Ｂが非突出状態のときの異なるタイミングで表示されるものでもよく、また、それぞれプッシュボタン３１Ｂが突出状態のときの異なるタイミングで表示されるものでもよい。
【０３５９】
また、操作後演出において可動役物４００が退避位置から演出位置に移動（落下）した際には、画像表示装置５に表示されているプッシュボタン３１Ｂの画像を更新しつつ維持する一方で、可動役物４００が演出位置に配置されているときに、第１可動部４０１と第２可動部４０２とを可動役物４００の左右幅方向略中央部に近接配置されている状態から互いが離間するように移動させることによって、可動役物４００を近接状態から離間状態に変化させた場合は、画像表示装置５にプッシュボタン３１Ｂの画像とは異なるエフェクト画像を表示することにより、好適に操作後演出を実行することができる。
【０３６０】
また、操作後演出は、遊技者によるプッシュボタン３１Ｂの操作に基づいて実行されるので、遊技興趣を向上できる。
【０３６１】
また、画像表示装置５に操作促進画像として表示される突出状態のプッシュボタン３１Ｂの画像は、可動役物４００が退避位置から演出位置に向けて移動（落下）したことに連動して、操作後画像として非突出状態のプッシュボタン３１Ｂの画像に更新されるので、遊技興趣を向上できる。
【０３６２】
また、操作後演出において可動役物４００が退避位置から演出位置に向けて移動（落下）する場合には、操作後画像として、突出状態のプッシュボタン３１Ｂの画像が非突出状態のプッシュボタン３１Ｂの画像に更新されつつ継続して表示されるので、遊技興趣を向上できる。
【０３６３】
尚、本実施例では、本発明における所定画像であるプッシュボタン３１Ｂの画像を、可動役物４００が演出位置において近接状態から離間状態に変化開始する前のタイミングで画像表示装置５から消去する形態を例示しているが、本発明はこれに限定されるものではなく、プッシュボタン３１Ｂの画像は、可動役物４００が演出位置において近接状態から離間状態に変化開始タイミングで画像表示装置５から消去してもよい。このようにすることで、可動役物４００の近接状態から離間状態への変化に対応して画像表示装置５にプッシュボタン３１Ｂの画像に替えてエフェクト画像が表示されるので、操作後演出の演出効果を高めることができる。
【０３６４】
また、図１４（Ｂ）に示すように、リーチ演出中にプッシュボタン３１Ｂが遊技者によって操作された場合には、プッシュボタン３１Ｂが操作されたタイミングにおいて本発明における補助画像としての操作促進メッセージを画像表示装置５から消去し、操作後画像であるプッシュボタン３１Ｂの画像は、可動役物４００の落下が完了したタイミング（プッシュボタン３１Ｂが操作されてから期間Ｌ３が経過したタイミング）にて画像表示装置５から消去されるので、遊技興趣を向上しつつ、プッシュボタン３１Ｂの操作がパチンコ遊技機１（演出制御用ＣＰＵ１２０）に認識されたことを遊技者が把握し易くできる。
【０３６５】
以上、本発明の実施例を図面により説明してきたが、具体的な構成はこれら実施例に限られるものではなく、本発明の要旨を逸脱しない範囲における変更や追加があっても本発明に含まれる。
【０３６６】
例えば、前記実施例では、操作後演出として、突出状態のプッシュボタン３１Ｂが遊技者によって操作されたことに基づいて可動役物４００を退避位置から演出位置に移動（落下）させるとともに、画像表示装置５に表示されている突出状態のプッシュボタン３１Ｂの画像を非突出状態のプッシュボタン３１Ｂの画像に更新することで、あたかも可動役物４００がプッシュボタン３１Ｂの画像を操作しているように見せる形態を例示しているが、本発明はこれに限定されるものではなく、変形例１として図１８（Ａ）〜図１８（Ｃ）に示すように、操作後演出では、可動役物４００の退避位置から演出位置への移動（落下）に替えて、画像表示装置５に突出状態のプッシュボタン３１Ｂの画像に所定のキャラクタ画像が作用する作用演出を表示するようにしてもよい。このようにすることで、作用演出に対応して突出状態のプッシュボタン３１Ｂの画像が非突出状態のプッシュボタン３１Ｂの画像に更新されるので、該作用演出に遊技者を注目させ、遊技興趣を向上できる。
【０３６７】
尚、本変形例１では、作用演出に対応させてプッシュボタン３１Ｂの画像の態様を変化させる形態を例示したが、本発明はこれに限定されるものではなく、プッシュボタン３１Ｂの画像の態様に対応させる演出は、作用演出以外の演出であってもよい。
【０３６８】
また、前記実施例では、図１４及び図１５に示すように、画像表示装置５に突出状態のプッシュボタン３１Ｂの画像の表示を開始するタイミングと非突出状態のプッシュボタン３１Ｂの画像の表示を開始するタイミングとが同一である（変動開始から期間Ｌ１が経過したタイミング）形態を例示しているが、本発明はこれに限定されるものではなく、変形例２として、突出状態のプッシュボタン３１Ｂの画像の表示を開始するタイミングと非突出状態のプッシュボタン３１Ｂの画像の表示を開始するタイミングとが異なるようにしてもよい。
【０３６９】
尚、このように突出状態のプッシュボタン３１Ｂの画像の表示を開始するタイミングと非突出状態のプッシュボタン３１Ｂの画像の表示を開始するタイミングとが異なる場合は、突出状態のプッシュボタン３１Ｂの画像が表示されているときにプッシュボタン３１Ｂが操作されたことに基づいて該突出状態のプッシュボタン３１Ｂの画像を消去する態様と、非突出状態のプッシュボタン３１Ｂの画像が表示されているときにプッシュボタン３１Ｂが操作されたことに基づいて該非突出状態のプッシュボタン３１Ｂの画像を消去する態様と、が異なるようにし、遊技興趣を向上できるようにしてもよい。
【０３７０】
また、前記実施例のリーチ演出中に操作促進画像として突出状態のプッシュボタン３１Ｂの画像が表示される場合は、操作促進画像として非突出状態のプッシュボタン３１Ｂの画像が表示される場合よりも変動表示結果が大当たりとなる割合が高い形態を例示しているが、本発明はこれに限定されるものではなく、画像表示装置５に非突出状態のプッシュボタン３１Ｂの画像を表示した後、該非突出状態のプッシュボタン３１Ｂの画像が突出状態のプッシュボタン３１Ｂの画像に変化する場合を設けてもよい。更に、このように非突出状態のプッシュボタン３１Ｂの画像が突出状態のプッシュボタン３１Ｂの画像に変化する際には、非突出状態のプッシュボタン３１Ｂの画像に特定のキャラクタの画像が作用する作用演出を実行し、該作用演出の実行後に突出状態のプッシュボタン３１Ｂの画像に変化させることによって、非突出状態のプッシュボタン３１Ｂの画像が突出状態のプッシュボタン３１Ｂの画像に変化することを分かり易くし、遊技興趣を向上してもよい。
【０３７１】
また、前記実施例では、本発明における第１操作体対応画像を非突出状態のプッシュボタン３１Ｂの画像とし、本発明における第２操作体対応画像を突出状態のプッシュボタン３１Ｂの画像とし、可動役物４００の退避位置から演出位置に移動（落下）に対応して突出状態のプッシュボタン３１Ｂの画像を非突出状態のプッシュボタン３１Ｂの画像に変化させる形態を例示したが、本発明はこれに限定されるものではなく、本発明における第１操作体対応画像と第２操作体対応画像とは、互いの表示態様が異なる画像であれば、例えば、色や大きさが異なる画像であってもよい。
【０３７２】
（特徴部２０６Ｆと特徴部０４０ＳＧとの関係）
前述した特徴部２０６Ｆについては、特徴部０４０ＳＧと組合せた演出制御を実行してもよく、特徴部０４０ＳＧと組合せた演出制御を実行しなくてもよい。例えば、ボタン画像の貯留放出演出において、図８（Ａ），（Ｂ）のように放出表示されたボタン画像を表示するときの演出として、特徴部０４０ＳＧの演出を実行してもよく、図８（Ｃ）のように、貯留表示されたボタン画像以外のボタン画像を表示するときの演出として、特徴部０４０ＳＧの演出を実行してもよい。また、前述した特徴部０４０ＳＧについては、特徴部２０６Ｆと組合せた演出制御を実行してもよく、特徴部２０６Ｆと組合せた演出制御を実行しなくてもよい。
【０３７３】
なお、今回開示された実施の形態は全ての点で例示であって制限的なものではないと考えられるべきである。本発明の範囲は上記した説明ではなく特許請求の範囲によって示され、特許請求の範囲と均等の意味および範囲内での全ての変更が含まれることが意図される。
【符号の説明】
【０３７４】
１  パチンコ遊技機、３５Ｂ  プッシュセンサ、３５Ａ  コントローラセンサユニット、２０６Ｆ００３  ボタン画像、１２０  演出制御用ＣＰＵ、２０６Ｆ０００  特定表示領域、２０６Ｆ００１  第１領域、２０６Ｆ００２  第２領域。
【図１】
2019084067.tif 000003
【図２】
2019084067.tif 000004
【図３】
2019084067.tif 000005
【図４】
2019084067.tif 000006
【図５】
2019084067.tif 000007
【図６】
2019084067.tif 000008
【図７】
2019084067.tif 000009
【図８】
2019084067.tif 000010
【図９】
2019084067.tif 000011
【図１０】
2019084067.tif 000012
【図１１】
2019084067.tif 000013
【図１２】
2019084067.tif 000014
【図１３】
2019084067.tif 000015
【図１４】
2019084067.tif 000016
【図１５】
2019084067.tif 000017
【図１６】
2019084067.tif 000018
【図１７】
2019084067.tif 000019
【図１８】
2019084067.tif 000020